(57)【要約】【課題】他の装置で管理されている、特定の装置のコンテンツに関する情報を、容易に参照可能な映像表示システムおよび映像表示装置を提供する。【解決手段】映像表示装置は、複数の通信端末装置の各々に対応する、コンテンツの処理に関するコンテンツ処理関連情報およびコンテンツの嗜好情報に基づいて生成されたお勧めコンテンツ情報の少なくとも一方の情報としてのコンテンツ関連情報を記憶する記憶手段を備え、コンテンツ情報リストに含まれる複数のコンテンツ情報のうち、受信した装置識別情報に対応する通信端末装置のコンテンツ関連情報に対応するコンテンツ情報と、当該コンテンツ情報に対応するコンテンツ処理関連情報およびお勧めコンテンツ情報の少なくとも一方とを対応付けて表示手段に表示させる。【選択図】図５０
2008005412.tif 000002
【特許請求の範囲】
【請求項１】
複数の通信端末装置と、複数のコンテンツ情報を含むコンテンツ情報リストを配信するサービスサーバとデータ通信可能な映像表示装置とから構成される映像表示システムであって、
前記複数の通信端末装置のうちの１つは、
装置を識別するための装置識別情報を、前記映像表示装置へ送信する送信手段を備え、
前記映像表示装置は、
前記装置識別情報および前記コンテンツ情報リストを受信する受信手段と、
前記複数の通信端末装置の各々に対応する、コンテンツの処理に関するコンテンツ処理関連情報およびコンテンツの嗜好情報に基づいて生成されたお勧めコンテンツ情報の少なくとも一方の情報としてのコンテンツ関連情報を記憶する記憶手段とを備え、
前記コンテンツ関連情報はコンテンツを識別するための第１コンテンツ識別情報を含み、
前記コンテンツ情報リストに含まれる前記複数のコンテンツ情報の各々は、コンテンツを識別するための第２コンテンツ識別情報を含み、
前記映像表示装置は、
情報を表示する表示手段と、
受信した前記装置識別情報に対応する通信端末装置のコンテンツ関連情報を、前記記憶手段から読み出す読出し手段と、
受信した前記コンテンツ情報リストに含まれる前記複数のコンテンツ情報のうち、前記読出し手段に読み出されたコンテンツ関連情報に含まれる第１コンテンツ識別情報と一致する第２コンテンツ識別情報を含むコンテンツ情報と、前記読出し手段に読み出されたコンテンツ関連情報としての前記コンテンツ処理関連情報および前記お勧めコンテンツ情報の少なくとも一方とを対応付けて前記表示手段に表示させる表示制御手段とをさらに備える、映像表示システム。
【請求項２】
前記表示手段にコンテンツ情報と対応付けて表示される前記お勧めコンテンツ情報は、対応付けて表示される前記コンテンツ情報により特定されるコンテンツのお勧め度の情報を含む、請求項１に記載の映像表示システム。
【請求項３】
複数のコンテンツ情報を含むコンテンツ情報リストを配信するサービスサーバとデータ通信可能な映像表示装置であって、
前記映像表示装置は、
複数の通信端末装置の各々に対応する、コンテンツの処理に関するコンテンツ処理関連情報およびコンテンツの嗜好情報に基づいて生成されたお勧めコンテンツ情報の少なくとも一方の情報としてのコンテンツ関連情報を記憶する記憶手段と、
前記複数の通信端末装置のうちの１つから、装置を識別するための装置識別情報を受信し、かつ、前記コンテンツ情報リストを受信する受信手段とを備え、
前記コンテンツ関連情報はコンテンツを識別するための第１コンテンツ識別情報を含み、
前記コンテンツ情報リストに含まれる前記複数のコンテンツ情報の各々は、コンテンツを識別するための第２コンテンツ識別情報を含み、
前記映像表示装置は、
情報を表示する表示手段と、
受信した前記装置識別情報に対応する通信端末装置のコンテンツ関連情報を、前記記憶手段から読み出す読出し手段と、
受信した前記コンテンツ情報リストに含まれる前記複数のコンテンツ情報のうち、前記読出し手段に読み出されたコンテンツ関連情報に含まれる第１コンテンツ識別情報と一致する第２コンテンツ識別情報を含むコンテンツ情報と、前記読出し手段に読み出されたコンテンツ関連情報としての前記コンテンツ処理関連情報および前記お勧めコンテンツ情報の少なくとも一方とを対応付けて前記表示手段に表示させる表示制御手段とをさらに備える、映像表示装置。
【請求項４】
前記表示手段にコンテンツ情報と対応付けて表示される前記お勧めコンテンツ情報は、対応付けて表示される前記コンテンツ情報により特定されるコンテンツのお勧め度の情報を含む、請求項３に記載の映像表示装置。
【発明の詳細な説明】
【技術分野】
【０００１】
本発明は、映像表示システムおよび映像表示装置に関し、特に、コンテンツに関連する情報の表示を行なう、映像表示システムおよび映像表示装置に関する。
【背景技術】
【０００２】
近年、宅内の複数種類の装置間において、互いにデータ通信を可能とするための規格（以下、異装置間通信規格ともいう）に準拠した装置が普及しつつある。異装置間通信規格は、たとえば、ＤＬＮＡ（Digital Living Network Alliance）規格である。異装置間通信規格に準拠した装置は、たとえば、テレビ受像機、ＨＤＤ（Hard disk drive）レコーダ、オーディオ装置等である。また、異装置間通信規格に準拠した装置は、一般的に、ルータ等のネットワーク機器を介して、インターネット等のネットワークにも接続可能となっている。
【０００３】
また、ネットワークに接続可能な異装置間通信規格に準拠した装置は、リモコンで操作可能な装置であるのが一般的である。そのため、リモコンで操作可能であり、かつ、ネットワークに接続可能な複数種類の装置を、１つの装置で操作することが要求される。
【０００４】
特開２００２−１３５８１０号公報（特許文献１）には、インターネット等のネットワークに接続可能であって、普及率が非常に高い携帯電話等の通信端末装置を、ネットワークに接続可能な装置を操作するためのリモコンとして使用する技術（以下、第１先行技術ともいう）が開示されている。
【０００５】
また、特開２００５−１２３７８０号公報（特許文献２）には、テレビが、周辺の携帯電話を自動認識し、携帯電話の利用者の嗜好に合ったテレビ番組を提供する技術（以下、第２先行技術ともいう）が開示されている。
【０００６】
また、特開２００４−１５７６１７号公報（特許文献３）には、ユーザの嗜好情報に基づくお勧め番組を特定するための技術（以下、第３先行技術ともいう）が開示されている。
【特許文献１】特開２００２−１３５８１０号公報
【特許文献２】特開２００５−１２３７８０号公報
【特許文献３】特開２００４−１５７６１７号公報
【発明の開示】
【発明が解決しようとする課題】
【０００７】
最近では、携帯電話等の通信端末装置を、テレビ等の映像表示装置のリモコンとして使用する場面が増えつつある。そのため、１台の映像表示装置を、リモコンとして動作する複数の通信端末装置で操作する場面も増えることが予想される。この場合、映像表示装置は、複数の通信端末装置毎のコンテンツに関連する情報（たとえば、コンテンツの録画予約情報等）を管理することが要求される。
【０００８】
また、映像表示装置が、複数の通信端末装置毎のコンテンツに関連する情報を管理する場合、映像表示装置で管理されている特定の装置のコンテンツに関連する情報を参照することも要求される。
【０００９】
しかしながら、第１〜第３先行技術には、上記要求を実現する技術は開示されていない。そのため、上記要求を満たすことができないという問題点が発生する。
【００１０】
本発明は、上述の問題点を解決するためになされたものであって、その目的は、他の装置で管理されている、特定の装置のコンテンツに関する情報を、容易に参照可能な映像表示システムを提供することである。
【００１１】
本発明の他の目的は、他の装置で管理されている、特定の装置のコンテンツに関する情報を、容易に参照可能な映像表示装置を提供することである。
【課題を解決するための手段】
【００１２】
上述の課題を解決するために、この発明のある局面に従うと、複数の通信端末装置と、複数のコンテンツ情報を含むコンテンツ情報リストを配信するサービスサーバとデータ通信可能な映像表示装置とから構成される映像表示システムであって、複数の通信端末装置のうちの１つは、装置を識別するための装置識別情報を、映像表示装置へ送信する送信手段を備え、映像表示装置は、装置識別情報およびコンテンツ情報リストを受信する受信手段と、複数の通信端末装置の各々に対応する、コンテンツの処理に関するコンテンツ処理関連情報およびコンテンツの嗜好情報に基づいて生成されたお勧めコンテンツ情報の少なくとも一方の情報としてのコンテンツ関連情報を記憶する記憶手段とを備え、コンテンツ関連情報はコンテンツを識別するための第１コンテンツ識別情報を含み、コンテンツ情報リストに含まれる複数のコンテンツ情報の各々は、コンテンツを識別するための第２コンテンツ識別情報を含み、映像表示装置は、情報を表示する表示手段と、受信した装置識別情報に対応する通信端末装置のコンテンツ関連情報を、記憶手段から読み出す読出し手段と、受信したコンテンツ情報リストに含まれる複数のコンテンツ情報のうち、読出し手段に読み出されたコンテンツ関連情報に含まれる第１コンテンツ識別情報と一致する第２コンテンツ識別情報を含むコンテンツ情報と、読出し手段に読み出されたコンテンツ関連情報としてのコンテンツ処理関連情報およびお勧めコンテンツ情報の少なくとも一方とを対応付けて表示手段に表示させる表示制御手段とをさらに備える。
【００１３】
好ましくは、表示手段にコンテンツ情報と対応付けて表示されるお勧めコンテンツ情報は、対応付けて表示されるコンテンツ情報により特定されるコンテンツのお勧め度の情報を含む。
【００１４】
この発明の他の局面に従うと、複数のコンテンツ情報を含むコンテンツ情報リストを配信するサービスサーバとデータ通信可能な映像表示装置であって、映像表示装置は、複数の通信端末装置の各々に対応する、コンテンツの処理に関するコンテンツ処理関連情報およびコンテンツの嗜好情報に基づいて生成されたお勧めコンテンツ情報の少なくとも一方の情報としてのコンテンツ関連情報を記憶する記憶手段と、複数の通信端末装置のうちの１つから、装置を識別するための装置識別情報を受信し、かつ、コンテンツ情報リストを受信する受信手段とを備え、コンテンツ関連情報はコンテンツを識別するための第１コンテンツ識別情報を含み、コンテンツ情報リストに含まれる複数のコンテンツ情報の各々は、コンテンツを識別するための第２コンテンツ識別情報を含み、映像表示装置は、情報を表示する表示手段と、受信した装置識別情報に対応する通信端末装置のコンテンツ関連情報を、記憶手段から読み出す読出し手段と、受信したコンテンツ情報リストに含まれる複数のコンテンツ情報のうち、読出し手段に読み出されたコンテンツ関連情報に含まれる第１コンテンツ識別情報と一致する第２コンテンツ識別情報を含むコンテンツ情報と、読出し手段に読み出されたコンテンツ関連情報としてのコンテンツ処理関連情報およびお勧めコンテンツ情報の少なくとも一方とを対応付けて表示手段に表示させる表示制御手段とをさらに備える。
【００１５】
好ましくは、表示手段にコンテンツ情報と対応付けて表示されるお勧めコンテンツ情報は、対応付けて表示されるコンテンツ情報により特定されるコンテンツのお勧め度の情報を含む。
【発明の効果】
【００１６】
本発明に係る映像表示システムは、通信端末装置と、映像表示装置とから構成される。映像表示装置は、複数の通信端末装置の各々に対応する、コンテンツの処理に関するコンテンツ処理関連情報およびコンテンツの嗜好情報に基づいて生成されたお勧めコンテンツ情報の少なくとも一方の情報としてのコンテンツ関連情報を記憶する記憶手段を備え、コンテンツ情報リストに含まれる複数のコンテンツ情報のうち、受信した装置識別情報に対応する通信端末装置のコンテンツ関連情報に対応するコンテンツ情報と、当該コンテンツ情報に対応するコンテンツ処理関連情報およびお勧めコンテンツ情報の少なくとも一方とを対応付けて表示手段に表示させる。
【００１７】
したがって、他の装置で管理されている、特定の装置のコンテンツに関する情報を、容易に参照することができるという効果を奏する。
【００１８】
本発明に係る映像表示装置は、複数の通信端末装置の各々に対応する、コンテンツの処理に関するコンテンツ処理関連情報およびコンテンツの嗜好情報に基づいて生成されたお勧めコンテンツ情報の少なくとも一方の情報としてのコンテンツ関連情報を記憶する記憶手段を備え、コンテンツ情報リストに含まれる複数のコンテンツ情報のうち、受信した装置識別情報に対応する通信端末装置のコンテンツ関連情報に対応するコンテンツ情報と、当該コンテンツ情報に対応するコンテンツ処理関連情報およびお勧めコンテンツ情報の少なくとも一方とを対応付けて表示手段に表示させる。
【００１９】
したがって、他の装置で管理されている、特定の装置のコンテンツに関する情報を、容易に参照することができるという効果を奏する。
【発明を実施するための最良の形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
＜第１の実施の形態＞
図１は、本実施の形態におけるネットワークシステム１０００の構成を示す図である。図１を参照して、ネットワークシステム１０００には、ホームネットワーク５０１が含まれる。
【００２２】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００２３】
通信端末装置５００は、ＰＤＡ（Personal Digital Assistance）である。また、通信端末装置５００は、電話の機能を有する。なお、通信端末装置５００は、電話の機能を有していなくてもよい。また、通信端末装置５００は、ＰＤＡに限定されることなく、通信機能を備え、携帯可能な装置であればどのような装置（たとえば、ＰＣ（Personal Computer）、携帯電話）でもよい。
【００２４】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００２５】
映像表示装置６００は、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＳＴＢ（Set Top Box）、ＨＤＤレコーダ、ＤＶＤ（Digital Versatile Disc）レコーダ等である。
【００２６】
通信端末装置５００と、映像表示装置６００とは、無線または有線でデータ通信を行なう。すなわち、通信端末装置５００と、映像表示装置６００とから映像表示システムが構成される。
【００２７】
通信部５０は、通信端末装置５００、映像表示装置６００およびネットワーク７０の各々と、データ通信を行なう機能を有する。ネットワーク７０は、インターネットなどの外部のネットワークである。
【００２８】
通信部５０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用して、複数の機器と同時にデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００２９】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００３０】
また、通信部５０は、さらに、イーサネット（登録商標）を利用した通信用インターフェースの機能（たとえば、ルータ機能）を有する。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００３１】
また、ネットワーク７０は、電話網６０と、無線または有線によりデータ通信可能である。したがって、通信端末装置５００は、電話網６０を介して、ネットワーク７０とデータ通信可能である。
【００３２】
ネットワークシステム１０００には、さらに、サービスサーバ８００Ａと、検索サーバ８００Ｓと、Ｗｅｂサーバ８００Ｗとが含まれる。
【００３３】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００３４】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００３５】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００３６】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００３７】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００３８】
サービスサーバ８００Ａ、検索サーバ８００ＳおよびＷｅｂサーバ８００Ｗの各々は、ネットワーク７０と、無線または有線でデータ通信を行なう。
【００３９】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓの速度でデータ通信が可能であるとする。
【００４０】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００４１】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００４２】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００４３】
次に、通信端末装置５００について詳細に説明する。
図２は、通信端末装置５００の外観を正面から示した図である。図２を参照して、通信端末装置５００は、表示部５３０と、音声出力部５７０と、ＬＥＤ５７６と、入力部５４０とを備える。
【００４４】
表示部５３０は、文字や画像等を表示する機能を有する。表示部５３０は、ＬＣＤパネル（Liquid Crystal Display Panel）および有機ＥＬディスプレイパネル（Organic Electro luminescence Display Panel）のいずれかを使用した装置である。なお、表示部５３０は、上記以外の表示方式のパネルを使用した装置であってもよい。
【００４５】
表示部５３０の解像度は、横４８０（ドット）×縦６４０（ドット）である。なお、表示部５３０の解像度は、横４８０（ドット）×縦６４０（ドット）に限定されることなく、他の解像度（たとえば、横２４０（ドット）×縦３２０（ドット））であってもよい。
【００４６】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００４７】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００４８】
ＬＥＤ５７６は、通信端末装置５００で行なわれる処理に応じて、光による報知を行なう。たとえば、ＬＥＤ５７６は、電話の着信があった場合、光を点滅させる。
【００４９】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。具体的には、短押操作があった、方向ボタン５４１Ａ，５４１Ｂ，５４１Ｃ，５４１Ｄは、たとえば、カーソルを、それぞれ、上，下，左，右に移動させるためのボタンである。
【００５０】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００５１】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００５２】
機能ボタン５４３Ａは、通信端末装置５００に電話がかかってきた場合、短押操作により通話開始を行なうためのボタンである。機能ボタンボタン５４３Ｂは、通信端末装置５００が通話中である場合、短押操作により通話を終了させるためのボタンである。また、機能ボタンボタン５４３Ｂは、ユーザによる長時間（たとえば、１秒以上）の押下操作（以下、長押操作ともいう）により、通信端末装置５００の電源のオンとオフとの切替えを行なうためのボタンである。
【００５３】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００５４】
通信端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００５５】
図３は、通信端末装置５００の外観を左側面から示した図である。図３を参照して、通信端末装置５００は、記録媒体挿入部５５０Ａを備える。記録媒体挿入部５５０Ａは、通信端末装置５００に後述する記録媒体を挿入する部分である。
【００５６】
図４は、通信端末装置５００の外観を背面から示した図である。図４を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００５７】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００５８】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００５９】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００６０】
図５は、通信端末装置５００の内部構成を示したブロック図である。なお、図５には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００６１】
図５を参照して、通信端末装置５００は、さらに、制御部５１０と、一時記憶部５２２と、記憶部５２０とを備える。
【００６２】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００６３】
制御部５１０は、記憶部５２０に記憶されたプログラム１８０に従って、通信端末装置５００内の各部に対する各種処理や、演算処理等を行なう機能を有する。制御部５１０は、マイクロプロセッサ（Microprocessor）、ＦＰＧＡ（Field Programmable Gate Array）、ＡＳＩＣ（Application Specific Integrated Circuit）およびその他の演算機能を有する回路のいずれであってもよい。
【００６４】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory（登録商標））、Ｄｉｒｅｃｔ−ＲＤＲＡＭ（Direct Rambus Dynamic Random Access Memory（登録商標））、その他、データを揮発的に記憶保持可能な構成を有する回路のいずれであってもよい。
【００６５】
通信端末装置５００は、さらに、アンテナ５０２と、チューナ５０５と、データ処理部５０７とを備える。
【００６６】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００６７】
放送信号は、画像データ、音声データ、テキストデータ、ＥＰＧ（Electric Program Guide）データを含む。なお、放送信号が、ディジタル放送に基づく信号である場合、放送信号は、さらに、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００６８】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データ、音声データを得るとともに、放送信号の垂直帰線区間（ＶＢＩ：Vertical Blanking Interval）から、テキストデータ、ＥＰＧデータを得る。
【００６９】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００７０】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、ＭＰＥＧ（Moving Picture Experts Group）４形式で圧縮されたデータである。なお、録画データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００７１】
また、受信した放送信号が、ディジタル放送に基づく信号である場合、データ処理部５０７は、以下の処理を行なう。まず、データ処理部５０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ４形式で圧縮されたデータである。なお、デコードデータに含まれる、画像データおよび音声データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００７２】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００７３】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００７４】
通信端末装置５００は、さらに、ＶＤＰ５３２と、ＶＲＡＭ（Video Random Access Memory）５３６とを備える。
【００７５】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００７６】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００７７】
通信端末装置５００は、さらに、入力部５４０と、記録媒体アクセス部５５０を備える。
【００７８】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００７９】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００８０】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００８１】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００８２】
記録媒体５５５は、フロッピー（登録商標）ディスク、ＣＦ(Compact Flash（登録商標）) カード、ＳＭ（Smart Media（登録商標））、ＭＭＣ（Multi Media Card（登録商標））、ＳＤ（Secure Digital（登録商標））メモリーカード、メモリースティック（登録商標）、ｘＤピクチャーカード（登録商標）および上記以外の不揮発性メモリのいずれであってもよい。
【００８３】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００８４】
通信部５６０は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ１．１またはＵＳＢ２．０に限定されることなく他の規格であってもよい。
【００８５】
なお、通信部５６０は、パラレル転送を行なう通信用インターフェースの機能を有していてもよい。パラレル転送を行なう通信用インターフェースは、たとえば、セントロニクス（登録商標）準拠の規格またはＩＥＥＥ１２８４（Institute of Electrical and Electronic Engineers 1284）の規格に準拠したインターフェースである。また、通信部５６０は、ＩＥＥＥ１３９４またはＳＣＳＩ規格に基づく通信用インターフェースの機能を有していてもよい。
【００８６】
また、通信部５６０は、さらに、無線データ通信機能を有する。無線データ通信機能は、ブルートゥース（Bluetooth（登録商標））を使用して、無線でデータ通信を行なう機能を有する。なお、無線データ通信は、ブルートゥース（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【００８７】
通信部５６２は、制御部５１０と、データの送受信を行なう。通信部５６２は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５６２は、無線により、通信部５０とデータ通信を行なうことができ、通信部５０を介して、たとえば、映像表示装置６００に対して録画データの送信要求を行ない、送信された録画データを受信してストリーミング再生を行なうことができる。
【００８８】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００８９】
したがって、本実施の形態における通信端末装置５００は、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【００９０】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００９１】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００９２】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００９３】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【００９４】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【００９５】
制御部５１０は、前述した音声出力部５７０，５７２、音声入力部５７４とデータ通信する。
【００９６】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【００９７】
ユーザが音声入力部５７４に含まれるマイクに対して音声を発すると、音声入力部５７４は、マイクにより取得した音声を音声データに変換して、音声データを、制御部５１０へ送信する。
【００９８】
制御部５１０は、前述したＬＥＤ５７６、撮像部５７８とデータ通信する。ＬＥＤ５７６は、制御部５１０からの制御指示に基づいて、光を発する。
【００９９】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【０１００】
通信端末装置５００は、さらに、振動部５７９を備える。振動部５７９は、制御部５１０からの制御指示に基づいて、通信端末装置５００を振動させる機能を有する。振動部５７９は、たとえば、電話の着信、電子メールの受信時に、制御部５１０からの制御指示に基づいて、通信端末装置５００を振動させる。
【０１０１】
通信端末装置５００は、さらに、ＲＦＩＤ５８０を備える。ＲＦＩＤ５８０は、たとえば、Felica(登録商標)などのセキュリティ機能をもったＲＦＩＤ（Radio Frequency Identification）に基づく集積回路で、非接触で図示しない読み取り端末と通信を行う。また、ＲＦＩＤ５８０は、制御部５１０からの制御指示に基づいて、端末ＩＤなどのデータを出力する。
【０１０２】
次に、映像表示装置６００について詳細に説明する。
図６は、映像表示装置６００の外観を正面から示した図である。図６を参照して、映像表示装置６００は、表示部６３０と、音声出力部６７０とを備える。
【０１０３】
表示部６３０は、文字や画像等を表示する機能を有する。表示部６３０は、ＬＣＤパネル、ＣＲＴ（Cathode Ray Tube）、ＦＥＤパネル（Field Emission Display Panel）、ＰＤＰ（Plasma Display Panel）および有機ＥＬディスプレイパネルのいずれかを使用した装置である。なお、表示部６３０は、上記以外の表示方式のパネルを使用した装置であってもよい。表示部６３０の解像度は、表示部５３０の解像度より大きい。たとえば、表示部６３０の解像度は、ＰＣの画像が表示できる横１３６６（ドット）×縦７６８（ドット）の解像度である。なお、表示部６３０の解像度は、横１３６６（ドット）×縦７６８（ドット）に限定されることなく、他の解像度（たとえば、１０２４×７６８）であってもよい。表示部６３０の映像を表示する部分のアスペクト比は１６：９である。なお、アスペクト比は１６：９に限定されることなく、４：３であってもよい。
【０１０４】
音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１０５】
図７は、映像表示装置６００の内部構成を示したブロック図である。なお、図７には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１０６】
図７を参照して、映像表示装置６００は、さらに、制御部６１０と、一時記憶部６２２と、記憶部６２０とを備える。
【０１０７】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤやその他の各種データ等が記憶されている。
【０１０８】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１０９】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１１０】
映像表示装置６００は、さらに、アンテナ６０２と、チューナ６０５と、データ処理部６０７とを備える。
【０１１１】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１１２】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【０１１３】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【０１１４】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１１５】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１６】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１７】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１１８】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１１９】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１２０】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１２１】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１２２】
映像表示装置６００は、さらに、ＶＤＰ６３２と、ＶＲＡＭ６３６とを備える。
ＶＲＡＭ６３６は、画像データを一時的に記憶する機能を有する。
【０１２３】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１２４】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１２５】
映像表示装置６００は、さらに、入力部６４０と、記録媒体アクセス部６５０とを備える。
【０１２６】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１２７】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１２８】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１２９】
記録媒体５５５Ａは、ＢＤ（Blu-ray Disc）、ＨＤ−ＤＶＤ（High-Definition Digital Versatile Disc）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦカード（登録商標）、ＳＭ（Smart Media（登録商標））、ＭＭＣ（登録商標）、ＳＤメモリーカード（登録商標）、メモリースティック（登録商標）、ｘＤピクチャーカード（登録商標）、ＵＳＢメモリ、磁気テープおよび上記以外の不揮発性メモリのいずれであってもよい。
【０１３０】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１３１】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。したがって、通信部５０を介して、通信部６６２に対し、記憶部６２０に記憶されている録画データの送信要求があった場合は、録画データを要求した装置に対して送信、あるいはストリーミング配信する。
【０１３２】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１３３】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１３４】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１３５】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１３６】
図８は、サービスサーバ８００Ａの内部構成を示したブロック図である。図８を参照して、サービスサーバ８００Ａは、表示部８３０と、制御部８１０と、一時記憶部８２２と、記憶部８２０とを備える。
【０１３７】
表示部８３０は、文字や画像等を表示する機能を有する。表示部８３０は、前述の表示部６３０と同様なものであるので詳細な説明は繰り返さない。
【０１３８】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１３９】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１４０】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１４１】
サービスサーバ８００Ａは、さらに、ＶＤＰ８３２と、ＶＲＡＭ８３６とを備える。
ＶＲＡＭ８３６は、画像データを一時的に記憶する機能を有する。
【０１４２】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１４３】
ＶＤＰ８３２は表示部８３０と接続されている。ＶＤＰ８３２は、制御部８１０からの描画指示に応じて、記憶部５２０内の後述するプログラム１８０からフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１４４】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１４５】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１４６】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１４７】
なお、検索サーバ８００ＳおよびＷｅｂサーバ８００Ｗの各々も、前述したサービスサーバ８００Ａと同様な構成を有するので詳細な説明は繰り返さない。
【０１４８】
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１４９】
図９は、一例としてのリモコン画像ＭＧ１００を示す図である。図９を参照して、リモコン画像ＭＧ１００には、ボタン画像ＭＢＧ１１０，ＭＢＧ１２０，ＭＢＧ１３０が配置される。
【０１５０】
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１５１】
ボタン画像ＭＢＧ１１０は、インターフェース操作Ｍにより、押下処理されることで、電源リモコン信号を、映像表示装置６００へ送信するためのボタン画像である。電源リモコン信号は、映像表示装置６００の電源がオンである状態と、映像表示装置６００の電源がオフである状態とを切替えるためのリモコン信号である。
【０１５２】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１５３】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１５４】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１５５】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１５６】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行われた場合、リモコンチャンネル番号は、“１”になる。
【０１５７】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行われた場合、リモコンチャンネル番号は、“１２”になる。
【０１５８】
リモコン画像ＭＧ１００には、さらに、ボタン画像ＭＢＧ１７０，ＭＢＧ１８０が配置される。ボタン画像ＭＢＧ１７０，ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１５９】
ボタン画像ＭＢＧ１７０は、インターフェース操作Ｍにより、押下処理されることで、設定画像表示リモコン信号を、映像表示装置６００へ送信するためのボタン画像である。設定画像表示リモコン信号は、映像表示装置６００の表示部６３０に、後述する設定画像を表示させるためのリモコン信号である。ボタン画像ＭＢＧ１８０は、インターフェース操作Ｍにより、押下処理されることで、詳細リモコン画像表示リモコン信号を、映像表示装置６００へ送信するためのボタン画像である。詳細リモコン画像表示リモコン信号は、映像表示装置６００の表示部６３０に、詳細リモコン画像を表示させるためのリモコン信号である。詳細リモコン画像とは、映像表示装置６００に対し頻繁に使用されるリモコン信号以外のリモコン信号を、映像表示装置６００へ送信するための画像である。
【０１６０】
以下においては、通信端末装置５００が、映像表示装置６００へリモコン信号を送信することで映像表示装置６００を操作可能な場合における、通信端末装置５００の動作モードを、リモコンモードともいう。
【０１６１】
次に、映像表示装置６００の表示部６３０に表示されるコンテンツのログを記録する処理を説明する。表示部６３０に表示されるコンテンツは、一般的に、ユーザが視聴しているコンテンツ（たとえば、番組）である。すなわち、表示部６３０に表示されるコンテンツのログとは、視聴ログである。すなわち、以下においては、記憶部６３０に予め記憶されている視聴ログデータに、視聴情報を記述する処理（以下、視聴情報記述処理ともいう）について説明する。なお、視聴ログデータは、初期状態では、情報が記述されていない。視聴情報記述処理は、映像表示装置６００の電源がオンされると自動的に行なわれる。
【０１６２】
また、映像表示装置６００の電源がオンされると、制御部６１０は、現在の日時を管理する日時管理処理を、他の処理とは独立して自動的に行なう。したがって、日時管理処理により管理されている現在の日時の情報は、時間の経過と共に変化する。
【０１６３】
なお、映像表示装置６００は、同一時刻に複数のチャンネルの番組を録画処理可能であるとする。すなわち、チューナ６０５は、複数のチューナを含むとする。
【０１６４】
図１０は、視聴情報記述処理のフローチャートである。図１０では、映像表示装置６００およびサービスサーバ８００Ａの各々において行なわれる処理を示す。
【０１６５】
映像表示装置６００では、まず、ステップＳ１１０の処理が行なわれる。
ステップＳ１１０では、番組データ取得処理が行なわれる。番組データ取得処理では、制御部６１０が、通信部６６２を利用して、番組データ取得要求を、通信部５０およびネットワーク７０を介して、サービスサーバ８００Ａへ送信する。番組データ取得要求とは、番組データとしてのＥＰＧデータを取得するための要求である。
【０１６６】
サービスサーバ８００Ａでは、まず、ステップＳ１４０の処理が行なわれる。
ステップＳ１４０では、制御部８１０が、番組データ取得要求を受信したか否かを判定する。ステップＳ１４０において、ＹＥＳならば、ステップＳ１４１に進む。一方、ステップＳ１４０において、ＮＯならば、再度、ステップＳ１４０の処理が行なわれる。
【０１６７】
ステップＳ１４１では、制御部８１０が、番組データ取得要求を送信した装置に対し、番組データとしてのＥＰＧデータを送信する。その後、再度、ステップＳ１４０の処理が行なわれる。
【０１６８】
そして、映像表示装置６００の制御部６１０は、以下に説明するＥＰＧデータＤ１００を受信する。制御部６１０は、ＥＰＧデータＤ１００を受信すると、受信したＥＰＧデータＤ１００を記憶部６２０に記憶させる。その後、ステップＳ１１０の処理が終了する。
【０１６９】
図１１は、一例としてのＥＰＧデータＤ１００を示す図である。図１１を参照して、ＥＰＧデータＤ１００は、たとえば、１日分の複数の番組情報データから構成される。「管理番号」とは、複数の番組情報データを管理するための番号である。「ＩＤ番号」とは、番組を識別するための番号である。「チャンネル番号」とは、放送局に割り当てられているチャンネル番号である。「放送局コード」とは、放送局に割り当てられているコード番号である。「放送局名」とは、放送局の名称である。
【０１７０】
「タイトル」とは、対応する番組のタイトルを示す。「開始日時」とは、対応する番組の放送開始日時を示す。「終了日時」とは、対応する番組の放送終了日時を示す。「ジャンル」とは、対応する番組のジャンルを示す。「出演者」とは、対応する番組の主な出演者である。「番組内容」とは、対応する番組の簡単な内容を示す。なお、ＥＰＧデータＤ１００には、さらに、「音声情報」が含まれてもよい。「音声情報」とは、対応する番組の音声が、ステレオおよびモノラルのいずれであるかを示す情報である。
【０１７１】
再び、図１０を参照して、ステップＳ１１０の処理が終了すると、ステップＳ１１２に進む。
【０１７２】
ステップＳ１１２では、制御部６１０が、表示部６３０にＴＶ画像が表示されているか否かを判定する。前述したように、ＴＶ画像は、チューナ６０５が受信した放送信号に基づく画像である。ステップＳ１１２において、ＹＥＳならば、ステップＳ１１４に進む。一方、ステップＳ１１２において、ＮＯならば、後述するステップＳ１２０に進む。
【０１７３】
ステップＳ１１４では、視聴情報記述処理Ａが行なわれる。視聴情報記述処理Ａでは、制御部６１０が、表示部６３０に表示されているＴＶ画像のチャンネルを判定し、日時管理処理により管理されている現在の日時およびＥＰＧデータＤ１００から、ＴＶ画像の番組のタイトルを特定する。そして、制御部６１０は、ＥＰＧデータＤ１００のうち、特定した番組のタイトルに対応する番組情報データの一部を、視聴情報として、視聴ログデータに記述する。その後、ステップＳ１１４の処理は終了する。たとえば、特定された番組のタイトルが「Ａスポーツ」である場合、視聴ログデータに記述される視聴情報は、以下に示すようになる。
【０１７４】
図１２は、視聴ログデータに記述される、一例としての視聴情報を示す図である。図１２（Ａ）は、視聴情報記述処理Ａにより視聴ログデータに記述される視聴情報を示す図である。視聴情報は、図１１のＥＰＧデータＤ１００を構成する複数の番組情報データと比較して、「開始日時」、「終了日時」の情報がない点と、「視聴形態」および「視聴日時」の情報がさらに含まれる点が異なる。それ以外は、番組情報データと同様なので詳細な説明は繰り返さない。
【０１７５】
「視聴形態」の項目の「放送」とは、表示部６３０に表示されている番組がリアルタイムに放送されている番組である場合の視聴形態である。「視聴日時」とは、視聴ログデータに視聴情報が記述された日時を示す。
【０１７６】
再び、図１０を参照して、ステップＳ１１４の処理が終了すると、ステップＳ１２０に進む。
【０１７７】
ステップＳ１２０では、制御部６１０が、表示部６３０に録画データ再生画像が表示されているか否かを判定する。録画データ再生画像は、前述の録画処理により記憶部６２０に記憶された録画データを再生した画像である。なお、録画データには、録画処理が行なわれる際に、図１１のＥＰＧデータＤ１００に示される、対応する番組の番組情報データも含まれる。ステップＳ１２０において、ＹＥＳならば、ステップＳ１２４に進む。一方、ステップＳ１２０において、ＮＯならば、後述するステップＳ１３０に進む。
【０１７８】
ステップＳ１２４では、視聴情報記述処理Ｐが行なわれる。視聴情報記述処理Ｐでは、制御部６１０が、表示部６３０に表示されている録画データ再生画像に対応する録画データに含まれる番組情報データの一部を、視聴情報として、視聴ログデータに記述する。その後、ステップＳ１２４の処理は終了する。たとえば、録画データ再生画像に対応する録画データに含まれる番組情報データが示す番組のタイトルが、「Ｂクイズ」である場合、視聴ログデータに記述される視聴情報は、図１２（Ｂ）に示すようになる。
【０１７９】
再び、図１２を参照して、図１２（Ｂ）は、視聴情報記述処理Ｐにより視聴ログデータに記述される視聴情報を示す図である。図１２（Ｂ）の視聴情報は、図１２（Ａ）の視聴情報と比較して、「視聴形態」の項目が、「放送」の代わりに「録画」である点のみが異なる。それ以外は、図１２（Ａ）の視聴情報と同様なので詳細な説明は繰り返さない。
【０１８０】
「視聴形態」の項目の「録画」とは、表示部６３０に表示されている番組が、録画データを再生している番組である場合の視聴形態である。
【０１８１】
再び、図１０を参照して、ステップＳ１２４の処理が終了すると、ステップＳ１３０に進む。
【０１８２】
ステップＳ１３０では、制御部６１０が、表示部６３０に画像が表示されてないか否かを判定する。表示部６３０に画像が表示されてない場合、映像表示装置６００は、待機モードに設定されることになる。待機モードとは、表示部６３０に画像を表示しない状態であって、主電源がオン状態における、映像表示装置６００のモードである。ステップＳ１３０において、ＹＥＳならば、この視聴情報記述処理は終了する。一方、ステップＳ１３０において、ＮＯならば、ステップＳ１３２に進む。
【０１８３】
ステップＳ１３２では、制御部６１０が、ｎ（自然数）回目のステップＳ１１２の処理が実行されてから所定時間経過したか否かを判定する。ｎの初期値は、１である。したがって、初めて、ステップＳ１３２の処理が行なわれる場合は、１回目のステップＳ１１２の処理が実行されてから所定時間経過したか否かが判定される。ここで、所定時間とは、たとえば、１分である。
【０１８４】
ステップＳ１３２において、ＹＥＳならば、ｎの値を１インクリメントし、再度、ステップＳ１１２の処理が行なわれる。一方、ステップＳ１３２において、ＮＯならば、再度、ステップＳ１３２の処理が行なわれる。したがって、たとえば、ステップＳ１３２の処理が３回目に行なわれた場合、制御部６１０は、３回目のステップＳ１１２の処理が実行されてから所定時間経過したか否かを判定する。以上の処理により、ステップＳ１３０において、ＹＥＳと判定されるまで、ステップＳ１１２，Ｓ１１４，Ｓ１２０，Ｓ１２４，Ｓ１３２の処理が繰り返される。その結果、所定期間（たとえば、１ヶ月）行なわれた視聴情報記述処理により、視聴ログデータは、以下のような視聴ログデータＤ２００となる。
【０１８５】
図１３は、一例としての視聴ログデータＤ２００を示す図である。図１３を参照して、ステップＳ１３２の処理における所定時間が、１分の場合、視聴ログデータは、図１３に示すように、同じ番組の視聴情報が１分毎に記述されたデータとなる。視聴ログデータＤ２００において、「管理番号」とは、視聴情報を管理するための番号である。なお、視聴ログデータは、録画処理された後、再生されてない録画データに含まれる番組情報データの一部も記述されてもよい。なお、視聴ログデータＤ２００において、視聴日時が、現在の日時よりも所定期間（たとえば、１ヶ月）以上前の視聴情報は、制御部６１０が削除する。したがって、視聴ログデータＤ２００には、常に、所定期間（たとえば、１ヶ月）分の視聴情報が記述されていることになる。
【０１８６】
次に、視聴ログデータＤ２００を使用して、ユーザの嗜好情報を集計する処理（以下、嗜好情報集計処理ともいう）について説明する。嗜好情報集計処理は、所定期間（たとえば、１ヶ月）毎に、映像表示装置６００において自動的に行なわれる処理である。なお、映像表示装置６００の記憶部６２０には、現在の日時から、所定期間（たとえば、１ヶ月）前までのＥＰＧデータも記憶されているとする。
【０１８７】
図１４は、嗜好情報集計処理のフローチャートを示す図である。図１４を参照して、ステップＳ２１０では、ｋ（自然数）番目の同一ＩＤの視聴情報の読出しが行なわれる。具体的には、制御部６１０が、視聴ログデータＤ２００から、ｋ番目の同一ＩＤの視聴情報を読み出す。なお、ｋの初期値は“１”である。たとえば、ｋが“１”の場合、視聴ログデータＤ２００において、１番目の同一のＩＤ番号である“１１１２２１”の視聴情報を読み出す。以下においては、ステップＳ２１０で読み出した視聴情報のＩＤ番号を、判定対象ＩＤ番号ともいう。その後、ステップＳ２１１に進む。
【０１８８】
ステップＳ２１１では、番組の視聴時間の算出が行なわれる。具体的には、制御部６１０が、ステップＳ２１０で読み出した視聴情報の数をカウントする。視聴ログデータＤ２００における視聴情報の記述の間隔が、たとえば、１分であれば、視聴情報の数がそのまま、番組の視聴時間とみなす。具体的には、視聴情報の数が３０個である場合、番組の視聴時間は３０分となる。以下においては、ステップＳ２１１において算出した番組の視聴時間を、判定対象視聴時間ともいう。その後、ステップＳ２１２に進む。
【０１８９】
ステップＳ２１２では、ＥＰＧデータの読出しが行なわれる。具体的には、制御部６１０が、判定対象ＩＤ番号（たとえば、“１１１２２１”）を含むＥＰＧデータを、記憶部６２０から読み出す。読み出されたＥＰＧデータは、たとえば、図１１のＥＰＧデータＤ１００であるとする。以下においては、ステップＳ２１２で読み出したＥＰＧデータを、判定対象ＥＰＧデータともいう。その後、ステップＳ２１４に進む。
【０１９０】
ステップＳ２１４では、まず、制御部６１０が、判定対象ＥＰＧデータにおける、判定対象ＩＤ番号の番組の開始日時および終了日時から、判定対象ＩＤ番号の番組の放送時間を算出する。たとえば、判定対象ＩＤ番号が“１１１２２１”であり、判定対象ＥＰＧデータが、ＥＰＧデータＤ１００である場合、判定対象ＩＤ番号の番組の放送時間は６０分となる。以下においては、ステップＳ２１４で算出された番組の放送時間を、判定対象放送時間ともいう。そして、制御部６１０は、判定対象放送時間に対する、判定対象視聴時間の割合（以下、算出割合ともいう）が、所定割合（たとえば、５０％）以上であるか否かを判定する。
【０１９１】
ステップＳ２１４において、ＹＥＳならば、ステップＳ２１６に進む。一方、ステップＳ２１４において、ＮＯならば、ステップＳ２１８に進む。たとえば、判定対象視聴時間が３０分で、判定対象放送時間が６０分である場合、算出割合は、５０％となる。そのため、ステップＳ２１４では、ＹＥＳと判定され、ステップＳ２１６に進む。ステップＳ２１６で、ＹＥＳと判定されるということは、対象となる番組が、所定割合（たとえば、５０％）以上視聴されたということを示す。所定割合（たとえば、５０％）以上視聴されたということは、ユーザが、その番組に興味があったということである。
【０１９２】
ステップＳ２１６では、嗜好情報リストデータ記述処理が行なわれる。嗜好情報リストデータ記述処理は、嗜好情報リストデータに、情報を記述する処理である。なお、嗜好情報リストデータは、記憶部６２０に記憶されており、初期状態では何も記述されていない。具体的には、制御部６１０は、嗜好情報リストデータに、嗜好番組情報を記述する。嗜好番組情報とは、ステップＳ２１４でＹＥＳと判定された判定対象視聴時間の番組の、タイトル、ジャンル、出演者の情報である。判定対象視聴時間の番組のＩＤ番号が、たとえば、“１１１２２１”である場合、図１３の視聴ログデータＤ２００より、嗜好番組情報としてのタイトル、ジャンルおよび出演者は、それぞれ、「Ａスポーツ」、「スポーツ」および「Ｓ．Ｉ，Ｎ．Ｋ」となる。その後、ステップＳ２１８に進む。
【０１９３】
ステップＳ２１８では、制御部６１０が、視聴ログデータＤ２００における全ての視聴情報に対して処理が終了したか否かを判定する。ステップＳ２１８において、ＹＥＳならば、後述するステップＳ２２０に進む。一方、ステップＳ２１８において、ＮＯならば、ステップＳ２１９に進む。ここでは、ＮＯと判定されたとして、ステップＳ２１９に進む
ステップＳ２１９では、制御部６１０が、ｋの値を１インクリメントする。その後、再度、ステップＳ２１０の処理が行なわれる。
【０１９４】
ステップＳ２１０では、制御部６１０が、視聴ログデータＤ２００から、２番目の同一ＩＤの視聴情報を読み出す。この場合、視聴ログデータＤ２００において、２番目の同一のＩＤ番号である“１１１２２２”の視聴情報を読み出す。その後の処理は、前述したのと同様なので詳細な説明は繰り返さない。
【０１９５】
そして、嗜好情報集計処理において、ステップＳ２１８でＹＥＳと判定されるまで、ステップＳ２１０，Ｓ２１１，Ｓ２１２，Ｓ２１４，Ｓ２１６，Ｓ２１８，Ｓ２１９の処理が繰り返される。そして、ステップＳ２１８でＹＥＳと判定されると、ステップＳ２２０に進む。
【０１９６】
ステップＳ２２０では、集計処理が行なわれる。具体的には、制御部６１０が、嗜好情報リストデータに記述された嗜好番組情報を種類毎に集計し、集計した嗜好番組情報を、嗜好情報リストデータに記述しなおす。集計された嗜好番組情報が記述された嗜好情報リストデータは、以下の嗜好情報リストデータＤ２５０となる。
【０１９７】
図１５は、一例としての嗜好情報リストデータＤ２５０を示す図である。図１５を参照して、嗜好情報リストデータＤ２５０は、嗜好番組情報としての「タイトル」「ジャンル」および「出演者」の各々に対し、集計された数の多いものから順に、たとえば、２つのみが記述されたデータであるとする。なお、「タイトル」「ジャンル」および「出演者」の各々に対し、嗜好情報リストデータＤ２５０に記述される情報は２つに限定されることなく、１つまたは３つ以上であってもよい。
【０１９８】
なお、嗜好情報リストデータは、自動で生成されるデータでなく、インターフェース操作Ｍにより、ユーザに入力された情報であってもよい。この場合、嗜好情報リストデータは、嗜好情報リストデータＤ２５０において、「個数」の情報がないデータとなる。
【０１９９】
次に、ユーザの嗜好情報を利用して、コンテンツとしての番組のリストを表示させるための処理（以下、コンテンツリスト表示処理ともいう）について説明する。なお、映像表示装置６００の記憶部６２０には、録画予約処理により、以下の予約情報データテーブルＤ３１０が記憶される。録画予約処理とは、ＥＰＧデータに基づく電子番組表を利用して、番組の録画予約を行なう処理である。なお、録画予約の操作は、通信端末装置５００のインターフェース操作Ｍにより行なわれるものとする。
【０２００】
図１６は、一例として予約情報データテーブルＤ３１０を示す図である。図１６を参照して、予約情報データテーブルＤ３１０は、複数の予約情報データから構成される。なお、録画予約が１つしかない場合、予約情報データテーブルＤ３１０は、１つの予約情報データで構成される。
【０２０１】
予約情報データテーブルＤ３１０において、「管理番号」とは、複数の予約情報データを管理するための番号である。「状態」の項目における「予約」とは、録画予約をしている状態を示す。「装置ＩＤ」とは、録画予約をしている通信端末装置５００を識別するためのＩＤである。「予約種別」とは、録画予約の種類を示す。「予約種別」の項目の「毎週予約」とは、毎週同じ時間帯の録画予約であることを示す。「１回予約」とは、今回限りの録画予約であることを示す。
【０２０２】
「予約種別」における録画予約の種類には、その他に、「キーワード予約」がある。「キーワード予約」とは、ユーザが予め設定しておいたキーワードを含む番組を自動的に録画予約する予約である。キーワードは、たとえば、番組のタイトル、番組のジャンル、出演者等である。
【０２０３】
「画質」とは、録画予約された番組を録画するときの画質である。たとえば、「高画質」の場合は、「普通」よりも、高いビットレートで録画される。「チャンネル番号」とは、放送局に割り当てられているチャンネル番号である。「放送局名」とは、放送局の名称である。「ＩＤ番号」とは、番組を識別するための番号である。「タイトル」とは、対応する番組のタイトルを示す。なお、予約情報データには、「タイトル」の情報はなくてもよい。「開始予定日時」とは、対応する番組の録画を開始する予定となっている日時である。「終了予定日時」とは、対応する番組の録画を終了する予定となっている日時である。
【０２０４】
なお、録画予約処理は、ＥＰＧデータに基づく電子番組表を利用せずに、ユーザが通信端末装置５００を使用して、手動で、「チャンネル番号」、「開始予定日時」、「終了予定日時」等を入力することによって行なわれてもよい。この場合、予約情報データには、「タイトル」の情報は含まれない。
【０２０５】
すなわち、予約情報データテーブルは、コンテンツの処理に関するコンテンツ処理関連情報である。
【０２０６】
なお、映像表示装置６００の記憶部６２０には、録画処理により、記憶部６２０に記憶された録画データの情報を示す、以下の録画情報データテーブルＤ３２０も記憶される。
【０２０７】
図１７は、一例として録画情報データテーブルＤ３２０を示す図である。図１７を参照して、録画情報データテーブルＤ３２０は、複数の録画情報データから構成される。複数の録画情報データは、記憶部６２０に記憶されている複数の録画データにそれぞれ対応する。なお、記憶部６２０に記憶された録画データが１つしかない場合、録画情報データテーブルＤ３２０は、１つの録画情報データで構成される。
【０２０８】
録画情報データテーブルＤ３２０は、図１６の予約情報データテーブルＤ３１０と比較して、「画質」の項目がない点と、「開始予定日時」の項目の代わりに「開始日時」の項目がある点と、「終了予定日時」の項目の代わりに「終了日時」の項目がある点とが異なる。それ以外は、予約情報データテーブルＤ３１０と同様なので詳細な説明は繰り返さない。
【０２０９】
録画情報データテーブルＤ３２０において、「管理番号」とは、複数の録画情報データを管理するための番号である。「開始日時」とは、対応する録画データの録画が開始された日時である。「終了日時」とは、対応する録画データの録画が終了された日時である。
【０２１０】
すなわち、録画情報データテーブルは、コンテンツの処理に関するコンテンツ処理関連情報である。
【０２１１】
次に、コンテンツリスト表示処理について説明する。コンテンツリスト表示処理は、表示部５３０に、図９のリモコン画像ＭＧ１００が表示されている場合に行なわれる処理であるとする。この場合、通信端末装置５００は、リモコンモードに設定されているとする。なお、映像表示装置６００の記憶部６２０には、前述した嗜好情報リストデータが記憶されているとする。
【０２１２】
図１８は、コンテンツリスト表示処理のフローチャートである。図１８は、通信端末装置５００、映像表示装置６００、サービスサーバ８００Ａの各々において行なわれる処理を示す。
【０２１３】
映像表示装置６００では、電源がオンされると自動的にステップＳ３１０の処理が行なわれる。なお、ステップＳ３１０の処理は、電源がオンされると自動的に行なわれるのではなく、インターフェース操作Ｔ、または、リモコンモードに設定された通信端末装置５００におけるインターフェース操作Ｍにより、実行されてもよい。また、ステップＳ３１０の処理は、１日のうち設定された時刻に自動的に行なわれてもよい。
【０２１４】
また、映像表示装置６００の電源がオンされると、制御部６１０は、現在の日時を管理する日時管理処理を、他の処理とは独立して自動的に行なう。したがって、日時管理処理により管理されている現在の日時の情報は、時間の経過と共に変化する。
【０２１５】
ステップＳ３１０では、番組データ取得処理が行なわれる。番組データ取得処理では、制御部６１０が、通信部６６２を利用して、番組データ取得要求を、通信部５０およびネットワーク７０を介して、サービスサーバ８００Ａへ送信する。番組データ取得要求とは、番組データとしてのＥＰＧデータを取得するための要求である。
【０２１６】
サービスサーバ８００Ａでは、まず、ステップＳ３４０の処理が行なわれる。
ステップＳ３４０では、制御部８１０が、番組データ取得要求を受信したか否かを判定する。ステップＳ３４０において、ＹＥＳならば、ステップＳ３４１に進む。一方、ステップＳ３４０において、ＮＯならば、再度、ステップＳ３４０の処理が行なわれる。
【０２１７】
ステップＳ３４１では、制御部８１０が、番組データ取得要求を送信した装置に対し、番組データとしてのＥＰＧデータを送信する。その後、再度、ステップＳ３４０の処理が行なわれる。
【０２１８】
そして、映像表示装置６００の制御部６１０は、以下に説明するＥＰＧデータＤ５００を受信する。制御部６１０は、ＥＰＧデータＤ５００を受信すると、受信したＥＰＧデータＤ５００を記憶部６２０に記憶させる。その後、ステップＳ３１０の処理が終了する。
【０２１９】
図１９は、一例としてのＥＰＧデータＤ５００を示す図である。図１９を参照して、ＥＰＧデータＤ５００は、たとえば、１日分の複数の番組情報データから構成される。ＥＰＧデータＤ５００は、図１１のＥＰＧデータＤ１００と同様なので詳細な説明は繰り返さない。
【０２２０】
再び、図１８を参照して、通信端末装置５００では、まず、ステップＳ３２０の処理が行なわれる。
【０２２１】
ステップＳ３２０では、制御部５１０が、後述する番組表画像を表示させるための番組表表示制御操作があるか否かを判定する。番組表表示制御操作とは、図９のボタン画像ＭＢＧ１２０を押下処理するためのインターフェース操作Ｍである。ステップＳ３２０において、ＹＥＳならば、ステップＳ３２１に進む。一方、ステップＳ３２０において、ＮＯならば、再度、ステップＳ３２０の処理が行なわれる。
【０２２２】
ステップＳ３２１では、番組データ取得処理が行なわれる。番組データ取得処理では、制御部５１０が、通信部５６２を利用して、映像表示装置６００と同様に、番組データ取得要求を、通信部５０およびネットワーク７０を介して、サービスサーバ８００Ａへ送信する。
【０２２３】
サービスサーバ８００Ａでは、前述と同様にステップＳ３４０の処理が行なわれる。この場合、番組データ取得要求を受信したとして、ステップＳ３４１に進み、前述と同様に、ステップＳ３４１の処理が行なわれる。この処理により、通信端末装置５００の制御部５１０は、ＥＰＧデータＤ５００を受信し、受信したＥＰＧデータＤ５００を記憶部５２０に記憶させる。その後、ステップＳ３２１の処理が終了する。
【０２２４】
なお、通信端末装置５００が受信するＥＰＧデータは、映像表示装置６００が受信するＥＰＧデータよりも、簡易なデータであってもよい。通信端末装置５００が受信するＥＰＧデータは、たとえば、図１９のＥＰＧデータＤ５００において、「番組内容」の情報がないデータであってもよい。また、ＥＰＧデータを通信端末装置５００へ送信するサービスサーバ８００Ａと、ＥＰＧデータを映像表示装置６００へ送信するサービスサーバ８００Ａとは、異なる装置であってもよい。
【０２２５】
映像表示装置６００では、ステップＳ３１０の処理の後、ステップＳ３１２に進む。
ステップＳ３１２では、おすすめ番組検索処理が行なわれる。おすすめ番組検索処理は、嗜好情報リストデータに基づいて、ＥＰＧデータＤ５００を構成する複数の番組情報データにそれぞれ対応する複数の番組から、おすすめ番組を検索する処理である。まず、制御部６１０が、嗜好情報リストデータにおける複数の嗜好番組情報と一致する情報を含む番組を識別するためのＩＤ番号に対し、以下のポイント付与テーブルＴ１００に基づいて、ポイントを計算する。なお、ポイント付与テーブルＴ１００は、記憶部６２０に予め記憶されているものとする。なお、嗜好情報リストデータは、一例として、図１５の嗜好情報リストデータＤ２５０であるとする。
【０２２６】
図２０は、一例としてのポイント付与テーブルＴ１００を示す図である。図２０を参照して、ポイント付与テーブルＴ１００は、嗜好情報リストデータに示される嗜好番組情報としての「タイトル」と、ＥＰＧデータＤ５００に示される番組情報データが示す「タイトル」とが一致する場合、対応するＩＤ番号に対し、２０ポイントを加算することを示す。
【０２２７】
また、ポイント付与テーブルＴ１００は、嗜好情報リストデータに示される嗜好番組情報としての「ジャンル」と、ＥＰＧデータＤ５００に示される番組情報データが示す「ジャンル」とが一致する場合、対応するＩＤ番号に対し、１５ポイントを加算することを示す。また、ポイント付与テーブルＴ１００は、嗜好情報リストデータに示される嗜好番組情報としての「出演者」と、ＥＰＧデータＤ５００に示される番組情報データが示す「出演者」とが一致する場合、対応するＩＤ番号に対し、１０ポイントを加算することを示す。なお、ポイント付与テーブルＴ１００において、加算するポイントは、一例に過ぎず、上記ポイントと異なるポイントを加算してもよい。
【０２２８】
図２１は、ポイントの計算の一例を示す図である。図２１を参照して、図１５の嗜好情報リストデータＤ２５０に示される嗜好番組情報としてのタイトル（Ｄドラマ）は、図１９のＥＰＧデータＤ５００に示される、ＩＤ番号が“１１２２３１”の番組情報データが示すタイトル（Ｄドラマ）と一致する。そのため、ＩＤ番号が“１１２２３１”には、ポイント付与テーブルＴ１００に基づいて、２０ポイントが加算される。
【０２２９】
また、嗜好情報リストデータＤ２５０に示される嗜好番組情報としてのジャンル（ドラマ）は、図１９のＥＰＧデータＤ５００に示される、ＩＤ番号が“１１２２３１”の番組情報データが示すジャンル（ドラマ）と一致する。そのため、ＩＤ番号が“１１２２３１”には、ポイント付与テーブルＴ１００に基づいて、１５ポイントが加算される。また、嗜好情報リストデータＤ２５０に示される嗜好番組情報としての出演者（Ｋ．Ｔ）は、図１９のＥＰＧデータＤ５００に示される、ＩＤ番号が“１１２２３１”の番組情報データが示す出演者（Ｋ．Ｔ）と一致する。そのため、ＩＤ番号が“１１２２３１”には、ポイント付与テーブルＴ１００に基づいて、１０ポイントが加算される。以上の計算により、ＩＤ番号“１１２２３１”のポイントは、合計で４５ポイントとなる。
【０２３０】
なお、他のＩＤ番号のポイントに対しても、ＩＤ番号が“１１２２３１”の場合と同様にポイントが計算される。本実施の形態では、一例として、４０ポイント以上がお勧め度“３”に設定され、２０ポイント以上がお勧め度“２”に設定され、１５ポイント以上がお勧め度“１”に設定されるとする。したがって、ＩＤ番号“１１２２３１”は、お勧め度が“３”に設定される。ＩＤ番号“１１２２２２”は、お勧め度が“２”に設定される。ＩＤ番号“１１２２３５”は、お勧め度が“１”に設定される。
【０２３１】
以上の計算に基づき、各ＩＤ番号に対し、ポイントが計算される。なお、お勧め度の判定のポイント数は、上記に限定されることなく、他のポイント数であってもよい。また、お勧め度は、“１”〜“３”の３段階に限定されることなく、２段階または４段階以上であってもよい。
【０２３２】
再び、図１８を参照して、前述のポイントの計算により、制御部６１０は、ＥＰＧデータＤ５００において、お勧め度が１以上のＩＤ番号を記述した、以下に示すお勧め番組データＤ４００を生成し、一時記憶部６２２に記憶させる。そして、ステップＳ３１２の処理は終了する。
【０２３３】
図２２は、一例としてお勧め番組データＤ４００を示す図である。図２２を参照して、お勧め番組データＤ４００には、番組を識別するためのＩＤ番号と、ＩＤ番号に対して設定されたお勧め度が記述される。すなわち、お勧め番組データは、コンテンツの嗜好情報（嗜好情報リストデータ）に基づいて生成されたお勧めコンテンツ情報である。
【０２３４】
再び、図１８を参照して、ステップＳ３１２の処理が終了すると、ステップＳ３１３に進む。
【０２３５】
ステップＳ３１３では、制御部６１０が、記憶部６２０から、予約情報データテーブルおよび録画情報データテーブルを読み出す。ここでは、読み出される予約情報データテーブルおよび録画情報データテーブルは、それぞれ、図１６の予約情報データテーブルＤ３１０および図１７の録画情報データテーブルＤ３２０であるとする。その後、ステップＳ３１４に進む。
【０２３６】
ステップＳ３１４では、制御部６１０が、予約情報データテーブル、録画情報データテーブルおよびお勧め番組データを、通信端末装置５００へ送信する。その後、ステップＳ３１４の処理は終了する。なお、送信される予約情報データテーブル、録画情報データテーブルおよびお勧め番組データは、それぞれ、予約情報データテーブルＤ３１０、録画情報データテーブルＤ３２０およびお勧め番組データＤ４００であるとする。
【０２３７】
通信端末装置５００では、ステップＳ３２１の処理の後、ステップＳ３２４に進む。
ステップＳ３２４では、制御部５１０が、予約情報データテーブル、録画情報データテーブルおよびお勧め番組データを受信する。そして、制御部５１０は、受信した予約情報データテーブル、録画情報データテーブルおよびお勧め番組データを一時記憶部５２２に記憶させる。なお、受信される予約情報データテーブル、録画情報データテーブルおよびお勧め番組データは、それぞれ、予約情報データテーブルＤ３１０、録画情報データテーブルＤ３２０およびお勧め番組データＤ４００であるとする。その後、ステップＳ３２５に進む。
【０２３８】
ステップＳ３２５では、データ統合処理が行なわれる。
図２３は、データ統合処理のフローチャートである。なお、図２３には、映像表示装置６００で行なわれる、後述する処理のフローチャートも示される。図２３を参照して、ステップＳ４１０では、予約情報データ統合処理が行なわれる。予約情報データ統合処理では、制御部５１０が、図１９のＥＰＧデータＤ５００において、図１６の予約情報データテーブルＤ３１０を構成する複数の予約情報データの各々に示されるＩＤ番号と一致するＩＤ番号を含む番組情報データに「予約」という状態を対応づけて追記することにより、以下のＥＰＧデータＤ５００Ａを生成する。そして、制御部５１０は、生成したＥＰＧデータＤ５００Ａを、一時記憶部５２２に記憶させる。その後、このステップＳ４１０の処理は終了する。
【０２３９】
図２４は、一例としてのＥＰＧデータＤ５００Ａを示す図である。図２４を参照して、ＥＰＧデータＤ５００Ａは、図１９のＥＰＧデータＤ５００と比較して、「状態」という項目がさらに追加されている点が異なる。なお、「状態」の項目において、ステップＳ４１０の処理の対象となった番組情報データには「予約」という情報が追記される。それ以外は、ＥＰＧデータＤ５００と同様なので詳細な説明は繰り返さない。
【０２４０】
再び、図２３を参照して、ステップＳ４１０の処理の後、ステップＳ４１２に進む。
ステップＳ４１２では、録画情報データ統合処理が行なわれる。録画情報データ統合処理では、制御部５１０が、ＥＰＧデータＤ５００Ａにおいて、図１７の録画情報データテーブルＤ３２０を構成する複数の録画情報データの各々に示されるＩＤ番号と一致するＩＤ番号を含む番組情報データに「録画済み」という状態を対応づけて追記することにより、以下のＥＰＧデータＤ５００Ｂを生成する。そして、制御部５１０は、生成したＥＰＧデータＤ５００Ｂを、一時記憶部５２２に記憶させる。その後、このステップＳ４１２の処理は終了する。
【０２４１】
図２５は、一例としてのＥＰＧデータＤ５００Ｂを示す図である。図２５を参照して、ＥＰＧデータＤ５００Ｂは、ＥＰＧデータＤ５００Ａと比較して、「状態」の項目において、ステップＳ４１２の処理の対象となった番組情報データに「録画済み」という情報が追記される点が異なる。それ以外は、ＥＰＧデータＤ５００Ａと同様なので詳細な説明は繰り返さない。
【０２４２】
再び、図２３を参照して、ステップＳ４１２の処理の後、ステップＳ４１４に進む。
ステップＳ４１４では、お勧め番組データ統合処理が行なわれる。お勧め番組データ統合処理では、制御部５１０が、ＥＰＧデータＤ５００Ｂにおいて、お勧め番組データに示されるＩＤ番号と一致するＩＤ番号を含む番組情報データに「お勧め度」を対応づけて追記することにより、以下のＥＰＧデータＤ５００Ｃを生成する。本実施の形態で使用されるお勧め番組データは、一例として、図２２のお勧め番組データＤ４００であるとする。
【０２４３】
ここで、記憶部５２０には、予め、お勧め番組自動録画フラグＭが記憶されている。お勧め番組自動録画フラグＭとは、お勧め番組が映像表示装置６００において録画予約されていないときに自動的に録画予約を行なうか否かを決定するためのフラグである。お勧め番組が映像表示装置６００において録画予約されておらず、かつ、お勧め番組自動録画フラグＭがオンに設定されている場合、映像表示装置６００は自動的に録画予約を行なう。一方、お勧め番組自動録画フラグがオフに設定されている場合、お勧め番組が映像表示装置６００において録画予約されているか否かに関わらず、映像表示装置６００は自動的に録画予約を行なわない。なお、お勧め番組自動録画フラグＭは、初期状態ではオンに設定されているとする。また、お勧め番組自動録画フラグＭは、ユーザのインターフェース操作Ｍにより、オフにも設定可能である。
【０２４４】
そのため、お勧め番組データ統合処理では、お勧め番組自動録画フラグＭがオンであり、かつ、ＥＰＧデータＤ５００Ｂにおいて、お勧め番組データ（たとえば、お勧め番組データＤ４００）に示されるＩＤ番号と一致するＩＤ番号を含む番組情報データの「状態」の項目が「予約」となってない場合、制御部５１０が、番組情報データに「お勧め度」を対応づけて追記すると共に、「状態」の項目を「予約」とすることにより、以下のＥＰＧデータＤ５００Ｃを生成する。そして、制御部５１０は、生成したＥＰＧデータＤ５００Ｃを、一時記憶部５２２に記憶させる。その後、このステップＳ４１４の処理は終了する。
【０２４５】
この処理により、予約となってないお勧め番組を自動的に録画予約することが可能となる。以下においては、自動的に録画予約された番組の情報を示す番組情報データを、自動録画予約番組情報データともいう。
【０２４６】
図２６は、一例としてのＥＰＧデータＤ５００Ｃを示す図である。図２６を参照して、ＥＰＧデータＤ５００Ｃは、図２５のＥＰＧデータＤ５００Ｂと比較して、「お勧め度」という項目がさらに追加されている点が異なる。それ以外は、ＥＰＧデータＤ５００Ｂと同様なので詳細な説明は繰り返さない。
【０２４７】
なお、「お勧め度」の項目において、ステップＳ４１４の処理の対象となった番組情報データには“１”〜“３”で表される「お勧め度」が追記される。また、“１１２２３２”のＩＤ番号を含む番組情報データには、状態の項目が「予約」に変更されている。すなわち、“１１２２３２”のＩＤ番号を含む番組情報データは、自動録画予約番組情報データである。
【０２４８】
再び、図２３を参照して、ステップＳ４１４の処理の後、ステップＳ４１６に進む。
ステップＳ４１６では、自動録画予約があるか否かが判定される。具体的には、制御部５１０が、お勧め番組データ統合処理において、自動録画予約番組情報データがあるか否かを判定する。ステップＳ４１６において、ＹＥＳならば、ステップＳ４１７に進む。一方、ステップＳ４１６において、ＮＯならば、このデータ統合処理は終了し、図１８の通信端末装置５００が行なうステップＳ３２５の次のステップＳ３２６に進む。ここでは、自動録画予約番組情報データがあったとして、ステップＳ４１７に進む。
【０２４９】
ステップＳ４１７では、制御部５１０が、自動録画予約番組情報データおよび自装置の装置ＩＤ（０９０１１１１１１）を、映像表示装置６００へ送信する。送信される自動録画予約番組情報データは、たとえば、“１１２２３２”のＩＤ番号を含む番組情報データであるとする。その後、このデータ統合処理は終了し、図１８の通信端末装置５００が行なうステップＳ３２５の次のステップＳ３２６に進む。なお、送信される自動録画予約番組情報データは、複数であってもよい。
【０２５０】
映像表示装置６００では、他の処理とは独立してデータ受信時処理が行なわれる。データ受信時処理では、まず、ステップＳ４２１の処理が行なわれる。
【０２５１】
ステップＳ４２１では、制御部６１０が、自動録画予約番組情報データおよび装置ＩＤを受信したか否かを判定する。ステップＳ４２１において、ＹＥＳならば、ステップＳ４２４に進む。一方、ステップＳ４２１において、ＮＯならば、再度、ステップＳ４２１の処理が行なわれる。
【０２５２】
ステップＳ４２２では、予約情報データテーブル更新処理が行なわれる。予約情報データテーブル更新処理では、制御部６１０が、受信した自動録画予約番組情報データおよび装置ＩＤ（０９０１１１１１１）に基づいて、予約情報データテーブルＤ３１０に予約情報データを追加することにより、以下の予約情報データテーブルＤ３１０Ａを生成する。そして、制御部６１０は、記憶部６２０に予約情報データテーブルＤ３１０Ａを記憶させる。そして、ステップＳ４２２の処理は終了する。以下においては、予約情報データテーブル更新処理により追加された予約情報データを、追加予約情報データともいう。
【０２５３】
図２７は、一例としての予約情報データテーブルＤ３１０Ａを示す図である。図２７を参照して、予約情報データテーブルＤ３１０Ａは、図１６の予約情報データテーブルＤ３１０と比較して、管理番号“３”の予約情報データが追加されている点が異なる。それ以外は、予約情報データテーブルＤ３１０と同様なので詳細な説明は繰り返さない。すなわち、管理番号“３”の予約情報データは、追加予約情報データである。
【０２５４】
追加予約情報データには、受信した装置ＩＤと、受信した自動録画予約番組情報データが示す、「チャンネル番号」、「放送局名」、「ＩＤ番号」、「タイトル」が含まれる。なお、受信した自動録画予約番組情報データが示す「開始日時」および「終了日時」は、それぞれ、「開始予定日時」および「終了予定日時」とされる。
【０２５５】
なお、追加予約情報データの「予約種別」は、自動的に「１回予約」と設定される。また、追加予約情報データの「画質」は、自動的に「普通」と設定される。なお、追加予約情報データにおいて設定される「画質」は、「普通」に限定されることなく、たとえば、「高画質」であってもよい。
【０２５６】
再び、図２３を参照して、ステップＳ４２２の処理が終了すると、再度、ステップＳ４２１の処理が行なわれる。
【０２５７】
再び、図１８を参照して、ステップＳ３２５の処理の後、ステップＳ３２６に進む。
ステップＳ３２６では、番組リスト表示処理が行なわれる。番組リスト表示処理では、制御部５１０が、ＥＰＧデータＤ５００Ｃを構成する一部の番組情報データを使用して、ＶＤＰ５３２を利用して、以下の番組リスト画像ＭＧ２００を生成し、生成した番組リスト画像ＭＧ２００を表示部５３０に表示させる。そして、制御部５１０は、通信端末装置５００のリモコンモードを解除する。これにより、通信端末装置５００は、映像表示装置６００を、インターフェース操作Ｍにより操作不可能となる。そして、ステップＳ３２６の処理は終了する。
【０２５８】
図２８は、一例としての番組リスト画像ＭＧ２００を示す図である。図２８を参照して、番組リスト画像ＭＧ２００には、リスト画像ＭＧ２１０が配置される。リスト画像ＭＧ２１０には、１つの放送局に対応する複数の番組簡易情報がリスト表示される。複数の番組簡易情報は、ＥＰＧデータＤ５００Ｃを構成する一部の番組情報データに対応する。番組簡易情報は、番組の開始時刻および番組のタイトル名を含む。たとえば、「Ｆスポーツ」というタイトル名を表示する番組簡易情報は、ＥＰＧデータＤ５００Ｃにおいて、管理番号“０２１”の番組情報データに対応する。
【０２５９】
リスト画像ＭＧ２１０に表示される番組簡易情報に対応する、図２６の番組情報データの状態の項目に「録画済み」の情報がある場合、当該番組簡易情報に対応する番組のタイトル名の右横に「（録画済み）」という文字列が追記される。
【０２６０】
リスト画像ＭＧ２１０に表示される番組簡易情報に対応する、図２６の番組情報データの状態の項目に「予約」の情報がある場合、当該番組簡易情報に対応する番組のタイトル名の右横に「（予約）」という文字列が追記される。
【０２６１】
リスト画像ＭＧ２１０に表示される番組簡易情報に対応する、図２６の番組情報データに「お勧め度」の情報がある場合、当該番組簡易情報に対応する番組のタイトル名の右横に、お勧め度の数字に対応する数の黒星マークが表示される。なお、黒星マークは、一例であり、他の形状のマークであってもよい。
【０２６２】
枠ＭＳＲ２１２は、番組簡易情報を選択するための枠である。枠ＭＳＲ２１２は、方向ボタン５４１Ａの短押操作により、リスト画像ＭＧ２１０内において、上に移動させることが可能である。なお、枠ＭＳＲ２１２が、リスト画像ＭＧ２１０内の最上部の番組簡易情報を選択する位置に配置された状態で、さらに、方向ボタン５４１Ａの短押操作があると、複数の番組簡易情報は、下にスクロール表示される。そして、枠ＭＳＲ２１２により選択されている番組簡易情報の１つ上の番組簡易情報が枠ＭＳＲ２１２により選択される。
【０２６３】
枠ＭＳＲ２１２は、方向ボタン５４１Ｂの短押操作により、リスト画像ＭＧ２１０内において、下に移動させることが可能である。なお、枠ＭＳＲ２１２が、リスト画像ＭＧ２１０内の最下部の番組簡易情報を選択する位置に配置された状態で、さらに、方向ボタン５４１Ｂの短押操作があると、複数の番組簡易情報は、上にスクロール表示される。そして、枠ＭＳＲ２１２により選択されている番組簡易情報の１つ下の番組簡易情報が枠ＭＳＲ２１２により選択される。
【０２６４】
番組リスト画像ＭＧ２００には、さらに、ボタン画像ＭＢＧ２４２，ＭＢＧ２４４，ＭＢＧ２７０、ＭＢＧ２７２が配置される。
【０２６５】
ボタン画像ＭＢＧ２４２は、インターフェース操作Ｍにより押下処理されることにより、リスト画像ＭＧ２１０内に表示されている複数の番組簡易情報を、上にスクロール表示させるためのボタン画像である。ボタン画像ＭＢＧ２４４は、インターフェース操作Ｍにより押下処理されることにより、リスト画像ＭＧ２１０内に表示されている複数の番組簡易情報を、下にスクロール表示させるためのボタン画像である。
【０２６６】
ボタン画像ＭＢＧ２７０は、インターフェース操作Ｍにより押下処理されることにより、リスト画像ＭＧ２１０に表示されている放送局（たとえば、ＪＪテレビ）とは別の放送局（たとえば、ＫＫテレビ）に対応する複数の番組簡易情報をリスト表示するためのボタン画像である。登録されている放送局の順で現在の放送局の一つ前の放送局に対応する複数の番組簡易情報がリスト表示される。
【０２６７】
ボタン画像ＭＢＧ２７２は、ＭＢＧ２７０と同様、インターフェース操作Ｍにより押下処理されることにより、リスト画像ＭＧ２１０に表示されている放送局とは別の放送局（たとえば、ＳＳテレビ）に対応する複数の番組簡易情報がリスト表示するためのボタン画像である。登録されている放送局の順で現在の放送局の一つ後の放送局に対応する複数の番組簡易情報がリスト表示する。
【０２６８】
なお、ステップＳ３２６の処理では、制御部５１０が、ＥＰＧデータＤ５００Ｃを構成する一部の番組情報データを使用して、ＶＤＰ５３２を利用して、以下の番組リスト画像ＭＧ２００Ａを生成し、生成した番組リスト画像ＭＧ２００Ａを表示部５３０に表示させてもよい。
【０２６９】
図２９は、一例としての番組リスト画像ＭＧ２００Ａを示す図である。図２９を参照して、番組リスト画像ＭＧ２００Ａは、番組リスト画像ＭＧ２００と比較して、リスト画像ＭＧ２１０の代わりにリスト画像ＭＧ２１０Ａが配置される点と、ボタン画像ＭＢＧ２７０、ＭＢＧ２７２が配置されない点とが異なる。それ以外は、番組リスト画像ＭＧ２００と同様なので詳細な説明は繰り返さない。
【０２７０】
リスト画像ＭＧ２１０Ａは、リスト画像ＭＧ２１０と比較して、複数の番組簡易情報が分類されて表示される点が異なる。リスト画像ＭＧ２１０Ａに表示される複数の番組簡易情報の各々は、図２８で説明したのと同様に、ＥＰＧデータＤ５００Ｃにおける、一部の番組情報データに対応する。番組簡易情報は、対応する番組情報データに含まれる、チャンネル番号、番組の開始時刻および番組のタイトル名を含む。
【０２７１】
リスト画像ＭＧ２１０Ａに表示される番組簡易情報に対応する、図２６の番組情報データの状態の項目に「録画済み」の情報がある場合、当該番組簡易情報に対応する番組のタイトル名の右横に「（録画済み）」という文字列が追記される。
【０２７２】
リスト画像ＭＧ２１０Ａに表示される番組簡易情報に対応する、図２６の番組情報データの状態の項目に「予約」の情報がある場合、当該番組簡易情報に対応する番組のタイトル名の右横に「（予約）」という文字列が追記される。
【０２７３】
リスト画像ＭＧ２１０Ａに表示される番組簡易情報に対応する、図２６の番組情報データに「お勧め度」の情報がある場合、当該番組簡易情報に対応する番組のタイトル名の右横に、お勧め度の数字に対応する数の黒星マークが表示される。なお、黒星マークは、一例であり、他の形状のマークであってもよい。
【０２７４】
リスト画像ＭＧ２１０Ａにおいて、「（お勧め番組）」という文字列の下に表示される、一例としての３つの番組簡易情報（以下、お勧め番組簡易情報ともいう）の各々は、対応する番組情報データに「お勧め度」の情報がある場合の情報である。３つのお勧め番組簡易情報の各々は、対応する番組のタイトル名の右横に、お勧め度の数字に対応する数の黒星マークを表示する。
【０２７５】
リスト画像ＭＧ２１０Ａにおいて、「（録画予約番組）」という文字列の下に表示される、一例としての３つの番組簡易情報（以下、予約番組簡易情報ともいう）の各々は、対応する番組情報データに「予約」の情報がある場合の情報である。３つの予約番組簡易情報の各々は、対応する番組のタイトル名の右横に、「（予約）」という文字列を表示する。
【０２７６】
リスト画像ＭＧ２１０Ａにおいて、「（録画済み番組）」という文字列の下に表示される、一例としての２つの番組簡易情報（以下、録画済み番組簡易情報ともいう）の各々は、対応する番組情報データに「録画済み」の情報がある場合の情報である。２つの録画済み番組簡易情報の各々は、番組のタイトル名の右横に、「（録画済み）」という文字列を表示する。
【０２７７】
なお、リスト画像ＭＧ２１０Ａには、お勧め番組簡易情報、予約番組簡易情報および録画済み番組簡易情報の全てではなく、お勧め番組簡易情報、予約番組簡易情報および録画済み番組簡易情報の少なくとも１つが表示されてもよい。たとえば、リスト画像ＭＧ２１０Ａには、お勧め番組簡易情報のみが表示されてもよい。また、たとえば、リスト画像ＭＧ２１０Ａには、お勧め番組簡易情報および録画済み番組簡易情報のみが表示されてもよい。
【０２７８】
また、お勧め番組簡易情報、予約番組簡易情報および録画済み番組簡易情報のうち、リスト画像ＭＧ２１０Ａに表示させる番組簡易情報を、ユーザがインターフェース操作Ｍにより設定してもよい。
【０２７９】
以上の処理により、通信端末装置５００のユーザは、映像表示装置６００で録画済みの番組、映像表示装置６００で録画予約されている番組、およびどの番組がユーザの嗜好に応じた番組であるかという情報等を、手元の通信端末装置５００で容易に確認することができるという効果を奏する。
【０２８０】
再び、図１８を参照して、映像表示装置６００では、ステップＳ３１４の処理が終了すると、ステップＳ３１５に進む。
【０２８１】
ステップＳ３１５では、データ統合処理Ｔが行なわれる。
図３０は、データ統合処理Ｔのフローチャートである。図３０を参照して、ステップＳ４３０では、予約情報データ統合処理Ｔが行なわれる。予約情報データ統合処理Ｔでは、図２３のステップＳ４１０の処理と同様に、制御部６１０が、ＥＰＧデータＤ５００において、図１６の予約情報データテーブルＤ３１０を構成する複数の予約情報データの各々に示されるＩＤ番号と一致するＩＤ番号を含む番組情報データに「予約」という状態を対応づけて追記することにより、図２４のＥＰＧデータＤ５００Ａを生成する。そして、制御部６１０は、生成したＥＰＧデータＤ５００Ａを、一時記憶部６２２に記憶させる。その後、ステップＳ４３２に進む。
【０２８２】
ステップＳ４３２では、録画情報データ統合処理Ｔが行なわれる。録画情報データ統合処理Ｔでは、図２３のステップＳ４１２の処理と同様に、制御部６１０が、ＥＰＧデータＤ５００Ａにおいて、図１７の録画情報データテーブルＤ３２０を構成する複数の録画情報データの各々に示されるＩＤ番号と一致するＩＤ番号を含む番組情報データに「録画済み」という状態を対応づけて追記することにより、図２５のＥＰＧデータＤ５００Ｂを生成する。そして、制御部６１０は、生成したＥＰＧデータＤ５００Ｂを、一時記憶部６２２に記憶させる。その後、ステップＳ４３４に進む。なお、ステップＳ４３４の処理は、図２３のステップＳ４２２の処理よりも後に行なわれるとして、以下説明する。当然のことながら、ステップＳ４３４の処理は、図２３のステップＳ４２２の処理の前に行なわれてもよい。
【０２８３】
ステップＳ４３４では、お勧め番組データ統合処理Ｔが行なわれる。お勧め番組データ統合処理Ｔでは、図２３のステップＳ４１４の処理と同様な処理が行なわれる。具体的には、制御部６１０が、ＥＰＧデータＤ５００Ｂにおいて、お勧め番組データに示されるＩＤ番号と一致するＩＤ番号を含む番組情報データに「お勧め度」を対応づけて追記することにより、図２６のＥＰＧデータＤ５００Ｃを生成する。本実施の形態で使用されるお勧め番組データは、一例として、図２２のお勧め番組データＤ４００であるとする。
【０２８４】
お勧め番組データ統合処理Ｔでは、ＥＰＧデータＤ５００Ｂにおいて、お勧め番組データ（たとえば、お勧め番組データＤ４００）に示されるＩＤ番号と一致するＩＤ番号を含む番組情報データについて、制御部６１０が、番組情報データに「お勧め度」を対応づけて追記することにより、以下のＥＰＧデータＤ５００Ｃを生成する。そして、制御部６１０は、生成したＥＰＧデータＤ５００Ｃを、一時記憶部６２２に記憶させる。その後、このデータ統合処理Ｔは終了し、図１８の映像表示装置６００が行なうステップＳ３１５の次のステップＳ３１６に進む。
【０２８５】
再び、図１８を参照して、映像表示装置６００では、ステップＳ３１５の処理が終了すると、ステップＳ３１６に進む。
【０２８６】
ステップＳ３１６では、番組表表示処理が行なわれる。番組表表示処理では、制御部６１０が、図２６のＥＰＧデータＤ５００Ｃを構成する一部の番組情報データを使用して、ＶＤＰ６３２を利用して、以下の番組表画像Ｇ１００を生成し、生成した番組表画像Ｇ１００を表示部６３０に表示させる。そして、ステップＳ３１６の処理は終了する。
【０２８７】
図３１は、一例としての番組表画像Ｇ１００を示す図である。図３１を参照して、番組表画像Ｇ１００には、番組表表示画像Ｇ１１０と、詳細情報画像Ｇ１２０とが配置される。
【０２８８】
番組表表示画像Ｇ１１０は、ＥＰＧデータＤ５００Ｃを構成する複数の番組情報データに基づく番組情報を表示するための画像である。番組表表示画像Ｇ１１０において、一番左の列には、チャンネル番号および放送局名が表示される。番組表画像Ｇ１００において、番組表表示画像Ｇ１１０の上部の、１９，２０，２１，２２，２３は、それぞれ、１９時，２０時，２１時，２２時，２３時の時刻を示す。番組表表示画像Ｇ１１０において、一番左の列以外に表示される複数の四角の各々は、番組の放送時間を示す枠（以下、番組放送時間枠ともいう）である。
【０２８９】
たとえば、番組放送時間枠ＳＱ１１１は、ＥＰＧデータＤ５００Ｃにおいて、管理番号が“０２１”の番組情報データに対応する枠である。番組放送時間枠ＳＱ１１１は、チャンネル“００１”において、１９時〜２０時に放送される番組を示す枠である。また、番組放送時間枠ＳＱ１１２は、ＥＰＧデータＤ５００Ｃにおいて、管理番号が“０２２”の番組情報データに対応する枠である。番組放送時間枠ＳＱ１１２は、チャンネル“００１”において、２０時〜２１時に放送される番組を示す枠である。また、番組放送時間枠ＳＱ１１３は、ＥＰＧデータＤ５００Ｃにおいて、管理番号が“０２３”の番組情報データに対応する枠である。番組放送時間枠ＳＱ１１３は、チャンネル“００１”において、２１時〜２３時に放送される番組を示す枠である。
【０２９０】
番組放送時間枠は、通信端末装置５００がリモコンモードである場合、インターフェース操作Ｍにより、選択状態になる。選択状態の番組放送時間枠は、一例として、番組放送時間枠ＳＱ１１２のように、背景が黒で、文字列が白く表示される。
【０２９１】
詳細情報画像Ｇ１２０は、番組表表示画像Ｇ１１０において、選択状態の番組放送時間枠に対応する番組に関する詳細情報を表示する画像である。詳細情報は、番組放送時間枠に対応する番組情報データに示される情報である。詳細情報は、一例として、「Ｓクイズ」という番組を放送している放送局に割り当てられているチャンネル番号および放送局名、「Ｓクイズ」という番組名、番組のジャンル、番組の放送時間、出演者、番組内容等の情報を含む。
【０２９２】
また、番組表表示画像Ｇ１１０に表示される複数の番組放送時間枠の各々には、対応する番組情報データに「録画済み」の情報がある場合、番組放送時間枠内に「（録画済み）」という文字列が表示される。「（録画済み）」という文字列が表示されている番組放送時間枠は、たとえば、番組放送時間枠ＳＱ１１１，ＳＱ１１２である。
【０２９３】
また、番組表表示画像Ｇ１１０に表示される複数の番組放送時間枠の各々には、対応する番組情報データに「予約」の情報がある場合、番組放送時間枠内に「（予約）」という文字列が表示される。「（予約）」という文字列が表示されている番組放送時間枠は、たとえば、番組放送時間枠ＳＱ１１３である。
【０２９４】
また、番組表表示画像Ｇ１１０に表示される複数の番組放送時間枠の各々には、対応する番組情報データに「お勧め度」の情報がある場合、番組放送時間枠内にお勧め度の数字に対応する数の黒星マークが表示される。黒星マークが表示されている番組放送時間枠は、たとえば、番組放送時間枠ＳＱ１１２である。なお、番組放送時間枠ＳＱ１１２は、選択状態になっているので、黒星マークは、白色に反転表示されている。
【０２９５】
以上の処理により、映像表示装置６００で録画済みの番組、映像表示装置６００で録画予約されている番組、および、どの番組がユーザの嗜好に応じた番組であるかという情報等を、容易に確認することができるという効果を奏する。
【０２９６】
再び、図１８を参照して、通信端末装置５００では、ステップＳ３２６の処理が終了すると、ステップＳ３２７に進む。
【０２９７】
ステップＳ３２７では、番組選択処理が行なわれる。番組選択処理では、まず、制御部５１０が、選択決定操作があるか否かを判定する。ここで、選択決定操作とは、表示部５３０に図２８の番組リスト画像ＭＧ２００または図２９の番組リスト画像ＭＧ２００Ａが表示されており、かつ、リスト画像ＭＧ２１０内の番組簡易情報が、枠ＭＳＲ２１２により選択されている状態で、決定ボタン５４１Ｅの短押操作が行なわれる操作である。制御部５１０は、選択決定操作があったと判定した場合、枠ＭＳＲ２１２により選択されている番組簡易情報に対応するＩＤ番号を、映像表示装置６００へ送信する。本実施の形態では、選択決定操作において、一例として、録画済みであり、かつ、タイトルが「Ｓクイズ」の番組に対応する番組簡易情報が、枠ＭＳＲ２１２により選択されているとする。
【０２９８】
この場合、制御部５１０は、ＥＰＧデータＤ５００Ｃに基づいて、ＩＤ番号情報を、映像表示装置６００へ送信する。以下においては、番組選択処理により送信されるＩＤ番号情報をコンテンツ選択情報ともいう。この場合、送信されるＩＤ番号情報は、タイトルが「Ｓクイズ」のＩＤ番号（１１２２２２（図２６参照））の情報である。その後、ステップＳ３２７の処理は終了し、通信端末装置５００における処理は終了する。
【０２９９】
映像表示装置６００では、ステップＳ３１６の処理の後、ステップＳ３１７の処理が行なわれる。
【０３００】
ステップＳ３１７では、制御部６１０が、コンテンツ選択情報としてのＩＤ番号情報を受信したか否かを判定する。ステップＳ３１７において、ＹＥＳならば、ステップＳ３１８に進む。一方、ステップＳ３１７において、ＮＯならば、再度、ステップＳ３１７の処理が行なわれる。ここでは、コンテンツ選択情報として、タイトルが「Ｓクイズ」のＩＤ番号（１１２２２２（図２６参照））の情報を受信したとして、ステップＳ３１８に進む。
【０３０１】
ステップＳ３１８では、コンテンツ表示処理が行なわれる。コンテンツ表示処理では、制御部６１０が、受信したＩＤ番号情報が示すＩＤ番号に対応する、コンテンツとしての番組の画像を表示部６３０に表示する表示処理を行なう。以下においては、受信したＩＤ番号情報が示すＩＤ番号に対応する、コンテンツとしての番組を、選択コンテンツともいう。ここでは、選択コンテンツは、ＩＤ番号が“Ｓクイズ”であって、タイトルが「Ｓクイズ」の番組である。なお、この場合、選択コンテンツは、録画処理が行なわれ、記憶部６２０に録画データとして記憶されている。この場合、表示処理では、まず、制御部６１０が、記憶部６２０に記憶されている選択コンテンツとしての録画データを読み出し、録画データに対応する動画像を、表示部６３０に再生表示させる。
【０３０２】
なお、選択コンテンツが、現在、放送中の番組である場合、以下の表示処理が行なわれる。表示処理では、制御部６１０は、チューナ６０５およびデータ処理部６０７およびＶＤＰ６３２を利用して、表示部６３０に、選択コンテンツのＴＶ画像を表示させる処理を行なう。
【０３０３】
コンテンツ表示処理において、制御部６１０が、終了操作があったと判定すると、ステップＳ３１８の処理は終了し、映像表示装置６００における処理は終了する。ここで、終了操作とは、選択コンテンツに対応する動画像の表示を終了させるためのインターフェース操作Ｍである。
【０３０４】
なお、映像表示装置６００において、たとえば、新たな録画予約が行なわれることにより予約情報データテーブルが更新された場合または録画処理により録画情報データテーブルが更新された場合、本実施の形態のコンテンツリスト表示処理は、映像表示装置６００において、ステップＳ３１３，Ｓ３１４，Ｓ３１５，Ｓ３１６，Ｓ３１７，Ｓ３１８の処理が行なわれ、通信端末装置５００において、ステップＳ３２４，Ｓ３２５，Ｓ３２６，Ｓ３２７の処理が行なわれるのみで実施可能である。
【０３０５】
また、通信端末装置５００が、図２８のリスト画像ＭＧ２１０または図２９の番組リスト画像ＭＧ２００Ａに表示されているような、「録画済み」および「予約」の文字列、「お勧め度」の情報等を、表示部５３０に表示させるための要求を、映像表示装置６００へ送信した場合、本実施の形態のコンテンツリスト表示処理は、映像表示装置６００において、ステップＳ３１３，Ｓ３１４，Ｓ３１５，Ｓ３１６，Ｓ３１７，Ｓ３１８の処理が行なわれ、通信端末装置５００において、ステップＳ３２４，Ｓ３２５，Ｓ３２６，Ｓ３２７の処理が行なわれるのみで実施可能である。
【０３０６】
以上説明したように、本実施の形態によれば、映像表示装置６００は、予約情報データテーブル、録画情報データテーブルおよびお勧め番組データを、通信端末装置５００へ送信する。そして、通信端末装置５００の表示部５３０には、通信端末装置５００が受信して保有するＥＰＧデータＤ５００を利用した、予約情報データテーブル、録画情報データテーブルおよびお勧め番組データに基づいた番組リスト画像が表示される。
【０３０７】
したがって、映像表示装置６００で録画済みの番組、映像表示装置６００で録画予約されている番組、およびどの番組がユーザの嗜好に応じた番組であるかという情報等を、手元の通信端末装置５００で容易に確認することができるという効果を奏する。
【０３０８】
また、番組リスト画像には、同一コンテンツに関して、異なる複数の情報が表示される。異なる複数の情報は、たとえば、通信端末装置５００が受信して保有するＥＰＧデータＤ５００に基づく、コンテンツとしての番組の開始時刻の情報、映像表示装置６００が記憶している予約情報データテーブルに基づく、コンテンツの録画予約の情報である。
【０３０９】
したがって、複数種類の装置の各々が有する、同一コンテンツに関する異なる情報を、１つの装置で容易に参照することができるという効果を奏する。
【０３１０】
＜第２の実施の形態＞
第１の実施の形態では、ユーザの嗜好情報に基づく嗜好情報リストデータは、映像表示装置６００に記憶されていた。また、第１の実施の形態では、不特定多数の人が使用する映像表示装置６００に記憶されている嗜好情報リストデータに基づいて、通信端末装置５００の表示部５３０に番組リスト画像ＭＧ２００が表示されていた。そのため、通信端末装置５００の表示部５３０に表示される番組簡易情報が、通信端末装置５００を所有するユーザの嗜好に応じた情報でない可能性もあった。本実施の形態では、嗜好情報リストデータが、通信端末装置５００に記憶されている場合の処理について説明する。
【０３１１】
なお、本実施の形態では、嗜好情報リストデータが通信端末装置５００に記憶されているので、映像表示装置６００は、特定の映像表示装置（たとえば、自宅の映像表示装置）に限定されない。通信端末装置５００のユーザが通信端末装置５００を使用して、たとえば、友人の家にある映像表示装置に対しても、以下の処理を行なうことが可能である。この場合、友人の家にある映像表示装置は、第１の実施の形態で説明した映像表示装置６００の構成を有するとする。
【０３１２】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０３１３】
次に、本実施の形態において、ユーザの嗜好情報を利用して、コンテンツとしての番組のリストを表示させるための処理（以下、コンテンツリスト表示処理Ａともいう）について説明する。
【０３１４】
なお、映像表示装置６００の記憶部６２０には、第１の実施の形態と同様、図１６の予約情報データテーブルＤ３１０が記憶されているとする。また、映像表示装置６００の記憶部６２０には、第１の実施の形態と同様、録画処理により、記憶部６２０に記憶された録画データの情報を示す、図１７の録画情報データテーブルＤ３２０も記憶されているとする。
【０３１５】
本実施の形態では、コンテンツリスト表示処理Ａが行なわれる前に、通信端末装置５００において、以下の嗜好情報登録処理が行なわれるとする。嗜好情報登録処理は、インターフェース操作Ｍにより、プログラム１８０に含まれる嗜好情報登録プログラムが実行されることにより行なわれる処理である。
【０３１６】
嗜好情報登録処理では、制御部５１０が、表示部５３０に以下の嗜好情報入力画像ＭＧ３００を表示させる。嗜好情報入力画像ＭＧ３００は、嗜好番組情報を、インターフェース操作Ｍにより入力し、登録するための画像である。
【０３１７】
図３２は、一例としての嗜好情報入力画像ＭＧ３００を示す図である。図３２を参照して、嗜好情報入力画像ＭＧ３００には、嗜好情報入力枠ＩＭＧ３１２，ＩＭＧ３１４，ＩＭＧ３２２，ＩＭＧ３２４，ＩＭＧ３３２，ＩＭＧ３３４と、ボタン画像ＭＢＧ３８５とが配置される。
【０３１８】
嗜好情報入力枠ＩＭＧ３１２，ＩＭＧ３１４は、インターフェース操作Ｍにより、番組のタイトルを入力するための枠である。嗜好情報入力枠ＩＭＧ３２２，ＩＭＧ３２４は、インターフェース操作Ｍにより、番組のジャンルを入力するための枠である。嗜好情報入力枠ＩＭＧ３３２，ＩＭＧ３３４は、インターフェース操作Ｍにより、番組の出演者を入力するための枠である。なお、タイトル、ジャンルおよび出演者を入力するための嗜好情報入力枠は、２つに限定されることなく、１つまたは３つ以上であってもよい。
【０３１９】
ボタン画像ＭＢＧ３８５は、インターフェース操作Ｍにより押下処理されることにより、嗜好情報入力枠ＩＭＧ３１２，ＩＭＧ３１４，ＩＭＧ３２２，ＩＭＧ３２４，ＩＭＧ３３２，ＩＭＧ３３４に入力された嗜好情報を、記憶部５２０に記憶させるためのボタン画像である。
【０３２０】
そして、表示部５３０に、嗜好情報入力画像ＭＧ３００が表示された状態で、かつ、嗜好情報入力画像ＭＧ３００に示すように嗜好情報が入力された状態で、嗜好情報登録操作があったとする。ここで、嗜好情報登録操作とは、ボタン画像ＭＢＧ３８５を押下処理するためのインターフェース操作Ｍである。この場合、制御部５１０は、入力された嗜好情報に基づく、以下の嗜好情報リストデータＤ２５０Ａを記憶部５２０に記憶させる。以上により、この嗜好情報登録処理は終了する。
【０３２１】
図３３は、一例としての嗜好情報リストデータＤ２５０Ａを示す図である。図３３を参照して、嗜好情報リストデータＤ２５０Ａは、図１５の嗜好情報リストデータＤ２５０と比較して、「個数」の項目がない点のみが異なる。それ以外は、嗜好情報リストデータＤ２５０と同様なので詳細な説明は繰り返さない。
【０３２２】
次に、コンテンツリスト表示処理Ａについて説明する。コンテンツリスト表示処理Ａは、表示部５３０に、図９のリモコン画像ＭＧ１００が表示されている場合に行なわれる処理であるとする。この場合、通信端末装置５００は、リモコンモードに設定されているとする。
【０３２３】
図３４は、コンテンツリスト表示処理Ａのフローチャートである。図３４は、通信端末装置５００、映像表示装置６００、サービスサーバ８００Ａの各々において行なわれる処理を示す。図３４を参照して、コンテンツリスト表示処理Ａは、図１８のコンテンツリスト表示処理と比較して、ステップＳ３１２の処理が行なわれない点と、ステップＳ３１４の代わりにステップＳ３１４Ａの処理が行なわれる点と、ステップＳ３２２Ａの処理が行なわれる点と、ステップＳ３２４の代わりにステップＳ３２４Ａの処理が行なわれる点とが異なる。それ以外は、コンテンツリスト表示処理と同様なので詳細な説明は繰り返さない。以下、第１の実施の形態のコンテンツリスト表示処理と異なる処理を、主に説明する。
【０３２４】
通信端末装置５００では、ステップＳ３２０，Ｓ３２１の処理の後、ステップＳ３２２Ａに進む。ステップＳ３２１までの処理により、通信端末装置５００の記憶部５２０には、図１９のＥＰＧデータＤ５００が記憶される。
【０３２５】
ステップＳ３２２Ａでは、おすすめ番組検索処理Ａが行なわれる。なお、記憶部５２０には、図２０のポイント付与テーブルＴ１００が予め記憶されているものとする。おすすめ番組検索処理Ａは、図１８のステップＳ３１２のおすすめ番組検索処理において、制御部６１０、記憶部６２０、一時記憶部６２２および嗜好情報リストデータＤ２５０を、それぞれ、制御部５１０、記憶部５２０、一時記憶部５２２および嗜好情報リストデータＤ２５０Ａに置き換えた処理と同様なので詳細な説明は繰り返さない。この処理により、一時記憶部５２２には、図２２のお勧め番組データＤ４００が記憶される。そして、ステップＳ３２２Ａの処理は終了する。
【０３２６】
映像表示装置６００では、ステップＳ３１０の処理が行なわれる。この処理により、映像表示装置６００の記憶部６２０には、図１９のＥＰＧデータＤ５００が記憶される。そして、ステップＳ３１３に進む。そして、ステップＳ３１３の処理の後、ステップＳ３１４Ａに進む。
【０３２７】
ステップＳ３１４Ａでは、制御部６１０が、予約情報データテーブルおよび録画情報データを、通信端末装置５００へ送信する。その後、ステップＳ３１４Ａの処理は終了する。なお、送信される予約情報データテーブルおよび録画情報データテーブルは、それぞれ、予約情報データテーブルＤ３１０および録画情報データテーブルＤ３２０であるとする。
【０３２８】
通信端末装置５００では、ステップＳ３２２Ａの処理の後、ステップＳ３２４Ａに進む。
【０３２９】
ステップＳ３２４Ａでは、制御部５１０が、予約情報データテーブルおよび録画情報データテーブルを受信する。そして、制御部５１０は、受信した予約情報データテーブルおよび録画情報データテーブルを一時記憶部５２２に記憶させる。なお、受信される予約情報データテーブルおよび録画情報データテーブルは、それぞれ、予約情報データテーブルＤ３１０および録画情報データテーブルＤ３２０であるとする。その後、ステップＳ３２５に進む。
【０３３０】
ステップＳ３２５では、第１の実施の形態と同様、図２３のデータ統合処理が行なわれる。この処理により、一時記憶部５２２には、図２６のＥＰＧデータＤ５００Ｃが記憶される。その後、ステップＳ３２６に進む。
【０３３１】
その後、ステップＳ３２６の処理が、第１の実施の形態と同様に行なわれるので詳細な説明は繰り返さない。この処理により、表示部５３０には、図２８の番組リスト画像ＭＧ２００または図２９の番組リスト画像ＭＧ２００Ａが表示される。
【０３３２】
したがって、本実施の形態では、通信端末装置５００に記憶されている嗜好情報リストデータに基づいて、番組リスト画像ＭＧ２００または番組リスト画像ＭＧ２００Ａが表示されるので、通信端末装置５００を所有するユーザの嗜好に応じた複数の番組簡易情報を、表示部５３０に表示させることができるという効果を奏する。
【０３３３】
ステップＳ３２６の処理が終了すると、ステップＳ３２７の処理が、第１の実施の形態と同様に行なわれるので詳細な説明は繰り返さない。以上により、通信端末装置５００における処理は終了する。
【０３３４】
映像表示装置６００では、ステップＳ３１４Ａの処理が終了すると、ステップＳ３１５に進む。
【０３３５】
その後、ステップＳ３１５，Ｓ３１６，Ｓ３１７，Ｓ３１８の処理が、第１の実施の形態と同様に行なわれるので詳細な説明は繰り返さない。以上により、映像表示装置６００における処理は終了する。
【０３３６】
なお、映像表示装置６００において、たとえば、新たな録画予約が行なわれることにより予約情報データテーブルが更新された場合または録画処理により録画情報データテーブルが更新された場合、本実施の形態のコンテンツリスト表示処理Ａは、映像表示装置６００において、ステップＳ３１３，Ｓ３１４Ａ，Ｓ３１５，Ｓ３１６，Ｓ３１７，Ｓ３１８の処理が行なわれ、通信端末装置５００において、ステップＳ３２４Ａ，Ｓ３２５，Ｓ３２６，Ｓ３２７の処理が行なわれるのみで実施可能である。
【０３３７】
また、通信端末装置５００が、図２８のリスト画像ＭＧ２１０または図２９の番組リスト画像ＭＧ２００Ａに表示されているような、「録画済み」および「予約」の文字列、「お勧め度」の情報等を、表示部５３０に表示させるための要求を、映像表示装置６００へ送信した場合、本実施の形態のコンテンツリスト表示処理Ａは、映像表示装置６００において、ステップＳ３１３，Ｓ３１４Ａ，Ｓ３１５，Ｓ３１６，Ｓ３１７，Ｓ３１８の処理が行なわれ、通信端末装置５００において、ステップＳ３２４Ａ，Ｓ３２５，Ｓ３２６，Ｓ３２７の処理が行なわれるのみで実施可能である。
【０３３８】
以上説明したように、本実施の形態によれば、通信端末装置５００に記憶されている嗜好情報リストデータに基づいて、番組リスト画像ＭＧ２００または番組リスト画像ＭＧ２００Ａが表示されるので、通信端末装置５００を所有するユーザの嗜好に応じた複数の番組簡易情報を、表示部５３０に表示させることができるという効果を奏する。
【０３３９】
また、番組リスト画像には、同一コンテンツに関して、異なる複数の情報が表示される。異なる複数の情報は、たとえば、通信端末装置５００が受信して保有するＥＰＧデータＤ５００に基づく、コンテンツとしての番組の開始時刻の情報、映像表示装置６００が記憶している予約情報データテーブルに基づく、コンテンツの録画予約の情報である。
【０３４０】
したがって、複数種類の装置の各々が有する、同一コンテンツに関する異なる情報を、１つの装置で容易に参照することができるという効果を奏する。
【０３４１】
＜第２の実施の形態の変形例＞
第２の実施の形態では、１台の通信端末装置５００が、映像表示装置６００に対し処理を行なう場合の処理について説明した。本実施の形態では、各々の装置ＩＤが異なる、複数の通信端末装置５００の各々が、映像表示装置６００に対し処理について説明する。複数の通信端末装置５００の各々には、異なる嗜好情報リストデータが記憶されているとする。
【０３４２】
したがって、本実施の形態では、嗜好情報リストデータが各通信端末装置５００に記憶されているので、映像表示装置６００は、特定の映像表示装置（たとえば、自宅の映像表示装置）に限定されない。通信端末装置５００のユーザが通信端末装置５００を使用して、たとえば、友人の家にある映像表示装置に対しても、以下の処理を行なうことが可能である。この場合、友人の家にある映像表示装置は、第１の実施の形態で説明した映像表示装置６００の構成を有するとする。
【０３４３】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０３４４】
本実施の形態では、通信端末装置５００は、一例として３台あるとして説明する。本実施の形態では、３台の通信端末装置５００を、それぞれ、通信端末装置Ａ、通信端末装置Ｂおよび通信端末装置Ｃとも称する。通信端末装置Ａ、通信端末装置Ｂおよび通信端末装置Ｃの装置ＩＤは、それぞれ、“０９０１１１１１１”、“０９０２２２２２２”および“０９０３３３３３３”であるとする。
【０３４５】
次に、本実施の形態において、ユーザの嗜好情報を利用して、コンテンツとしての番組のリストを表示させるための処理（以下、複数装置対応コンテンツリスト表示処理Ａともいう）について説明する。
【０３４６】
なお、映像表示装置６００の記憶部６２０には、複数の通信端末装置の録画予約処理により、以下の予約情報データテーブルＤ３１０ＡＡが記憶されているとする。
【０３４７】
図３５は、一例として予約情報データテーブルＤ３１０ＡＡを示す図である。図３５を参照して、予約情報データテーブルＤ３１０ＡＡは、図２７の予約情報データテーブルＤ３１０Ａと比較して、管理番号“２”の予約情報データの「装置ＩＤ」の項目に、装置ＩＤ“０９０２２２２２２”がさらに追加されている点が異なる。それ以外は、予約情報データテーブルＤ３１０Ａと同様なので詳細な説明は繰り返さない。
【０３４８】
「装置ＩＤ」の項目に複数の装置ＩＤが記載されている予約情報データは、同じ番組を、複数の通信端末装置が録画予約していることを示す。この場合、予約情報データテーブルＤ３１０ＡＡでは、管理番号“２”の予約情報データが示す番組は、装置ＩＤが“０９０１１１１１１”の通信端末装置Ａと、装置ＩＤが“０９０２２２２２２”の通信端末装置Ｂとが録画予約していることを示す。
【０３４９】
また、映像表示装置６００の記憶部６２０には、複数の通信端末装置が録画予約していた番組が録画処理されることにより、記憶部６２０に記憶された録画データの情報を示す、以下の録画情報データテーブルＤ３２０Ａも記憶されているとする。
【０３５０】
図３６は、一例として録画情報データテーブルＤ３２０Ａを示す図である。図３６を参照して、録画情報データテーブルＤ３２０Ａは、図１７の録画情報データテーブルＤ３２０と比較して、管理番号“１”の録画情報データの「装置ＩＤ」の項目に、装置ＩＤ“０９０３３３３３３”がさらに追加されている点が異なる。それ以外は、録画情報データテーブルＤ３２０と同様なので詳細な説明は繰り返さない。
【０３５１】
「装置ＩＤ」の項目に複数の装置ＩＤが記載されている録画情報データは、複数の通信端末装置が録画予約していた１つの番組の録画処理が終了したことを示す。この場合、予録画情報データテーブルＤ３２０Ａでは、管理番号“１”の録画情報データが示す番組は、装置ＩＤが“０９０１１１１１１”の通信端末装置Ａと、装置ＩＤが“０９０３３３３３３”の通信端末装置Ｃとが録画予約し、当該録画予約による録画処理が終了した番組である。
【０３５２】
本実施の形態では、第２の実施の形態と同様、複数装置対応コンテンツリスト表示処理Ａが行なわれる前に、通信端末装置Ａは、前述した嗜好情報登録処理を行なうとする。この処理により、通信端末装置Ａの記憶部５２０に、図３３の嗜好情報リストデータＤ２５０Ａが記憶される。また、通信端末装置Ｂおよび通信端末装置Ｃの各々も、複数装置対応コンテンツリスト表示処理Ａが行なわれる前に、前述した嗜好情報登録処理を行なうとする。この処理により、通信端末装置Ｂおよび通信端末装置Ｃの各々の記憶部５２０にも、嗜好情報リストデータが記憶される。なお、通信端末装置Ａ、通信端末装置Ｂおよび通信端末装置Ｃの各々の嗜好情報リストデータは異なるとする。
【０３５３】
次に、複数装置対応コンテンツリスト表示処理Ａについて説明する。複数装置対応コンテンツリスト表示処理Ａは、通信端末装置Ａ、通信端末装置Ｂおよび通信端末装置Ｃの各々の表示部５３０に、図９のリモコン画像ＭＧ１００が表示されている場合に行なわれる処理であるとする。この場合、通信端末装置Ａ、通信端末装置Ｂおよび通信端末装置Ｃの各々は、リモコンモードに設定されているとする。
【０３５４】
図３７は、複数装置対応コンテンツリスト表示処理Ａのフローチャートである。図３７は、通信端末装置５００、映像表示装置６００、サービスサーバ８００Ａの各々において行なわれる処理を示す。図３７を参照して、複数装置対応コンテンツリスト表示処理Ａは、図３４のコンテンツリスト表示処理Ａと比較して、ステップＳ３１５の代わりにステップＳ３１５Ａの処理が行なわれる点と、ステップＳ３２５の代わりにステップＳ３２５Ａの処理が行なわれる点とが異なる。それ以外は、コンテンツリスト表示処理Ａと同様なので詳細な説明は繰り返さない。以下、第２の実施の形態のコンテンツリスト表示処理Ａと異なる処理を、主に説明する。
【０３５５】
まず、通信端末装置Ａが映像表示装置６００に対して処理を行なう場合の複数装置対応コンテンツリスト表示処理Ａについて説明する。
【０３５６】
通信端末装置Ａは、ステップＳ３２０，Ｓ３２１の処理の後、ステップＳ３２２Ａに進む。ステップＳ３２１までの処理により、通信端末装置Ａの記憶部５２０には、図１９のＥＰＧデータＤ５００が記憶される。
【０３５７】
ステップＳ３２２Ａでは、第２の実施の形態と同様な処理が行なわれるので詳細な説明は繰り返さない。この処理により、通信端末装置Ａの一時記憶部５２２には、図２２のお勧め番組データＤ４００が記憶される。そして、ステップＳ３２２Ａの処理は終了する。
【０３５８】
映像表示装置６００では、ステップＳ３１０の処理が行なわれる。この処理により、映像表示装置６００の記憶部６２０には、図１９のＥＰＧデータＤ５００が記憶される。そして、ステップＳ３１３に進む。そして、ステップＳ３１３の処理の後、ステップＳ３１４Ａに進む。
【０３５９】
ステップＳ３１４Ａでは、制御部６１０が、予約情報データテーブルおよび録画情報データを、通信端末装置Ａへ送信する。その後、ステップＳ３１４Ａの処理は終了する。なお、送信される予約情報データテーブルおよび録画情報データテーブルは、それぞれ、予約情報データテーブルＤ３１０ＡＡおよび録画情報データテーブルＤ３２０Ａであるとする。
【０３６０】
通信端末装置Ａでは、ステップＳ３２２Ａの処理の後、ステップＳ３２４Ａに進む。
ステップＳ３２４Ａでは、制御部５１０が、予約情報データテーブルおよび録画情報データテーブルを受信する。そして、制御部５１０は、受信した予約情報データテーブルおよび録画情報データテーブルを一時記憶部５２２に記憶させる。なお、受信される予約情報データテーブルおよび録画情報データテーブルは、それぞれ、予約情報データテーブルＤ３１０ＡＡおよび録画情報データテーブルＤ３２０Ａであるとする。その後、ステップＳ３２５Ａに進む。
【０３６１】
ステップＳ３２５Ａでは、データ統合処理Ａが行なわれる。
図３８は、データ統合処理Ａのフローチャートである。なお、図３８には、映像表示装置６００で行なわれる、後述する処理のフローチャートも示される。図３８を参照して、ステップＳ４１０Ａでは、予約情報データ統合処理Ａが行なわれる。予約情報データ統合処理Ａでは、制御部５１０が、ＥＰＧデータＤ５００において、図３５の予約情報データテーブルＤ３１０ＡＡを構成する複数の予約情報データの各々に示されるＩＤ番号と一致するＩＤ番号を含む番組情報データ（以下、予約番組情報データともいう）に「予約」という状態を対応づけて追記する。
【０３６２】
そして、さらに、予約番組情報データに示されるＩＤ番号と一致するＩＤ番号を含む予約情報データの示す装置ＩＤが２つ以上である場合、制御部５１０は、予約番組情報データに、装置ＩＤの数を対応づけて追記する。
【０３６３】
以上の処理により、以下のＥＰＧデータＤ５００ＡＡが生成される。そして、制御部５１０は、生成したＥＰＧデータＤ５００ＡＡを、一時記憶部５２２に記憶させる。その後、このステップＳ４１０Ａの処理は終了する。
【０３６４】
図３９は、一例としてのＥＰＧデータＤ５００ＡＡを示す図である。図３９を参照して、ＥＰＧデータＤ５００ＡＡは、図２４のＥＰＧデータＤ５００Ａと比較して、管理番号“０２３”の番組情報データの「状態」の項目において、図３５の管理番号“２”の予約情報データの示す装置ＩＤの数（“２”）がさらに記載されている点が異なる。それ以外は、ＥＰＧデータＤ５００Ａと同様なので詳細な説明は繰り返さない。
【０３６５】
管理番号“０２３”の番組情報データの示す情報により、ＥＰＧデータＤ５００ＡＡにおける管理番号“０２３”の番組情報データに対応する番組は、２つの通信端末装置により録画予約されていることが分かる。
【０３６６】
再び、図３８を参照して、ステップＳ４１０Ａの処理の後、ステップＳ４１２Ａに進む。
【０３６７】
ステップＳ４１２Ａでは、録画情報データ統合処理Ａが行なわれる。録画情報データ統合処理Ａでは、制御部５１０が、ＥＰＧデータＤ５００ＡＡにおいて、図３６の録画情報データテーブルＤ３２０Ａを構成する複数の録画情報データの各々に示されるＩＤ番号と一致するＩＤ番号を含む番組情報データ（以下、録画済み番組情報データともいう）に「録画済み」という状態を対応づけて追記する。
【０３６８】
そして、さらに、録画済み番組情報データに示されるＩＤ番号と一致するＩＤ番号を含む録画情報データの示す装置ＩＤが２つ以上である場合、制御部５１０は、録画済み番組情報データに、装置ＩＤの数を対応づけて追記する。
【０３６９】
以上の処理により、以下のＥＰＧデータＤ５００ＢＢが生成される。そして、制御部５１０は、生成したＥＰＧデータＤ５００ＢＢを、一時記憶部５２２に記憶させる。その後、このステップＳ４１２Ａの処理は終了する。
【０３７０】
図４０は、一例としてのＥＰＧデータＤ５００ＢＢを示す図である。図４０を参照して、ＥＰＧデータＤ５００ＢＢは、図２５のＥＰＧデータＤ５００Ｂと比較して、管理番号“０２３”の番組情報データの「状態」の項目において、図３５の管理番号“２”の予約情報データの示す装置ＩＤの数（“２”）がさらに記載されている点と、管理番号“０２１”の番組情報データの「状態」の項目において、図３６の管理番号“１”の録画情報データの示す装置ＩＤの数（“２”）がさらに記載されている点とが異なる。それ以外は、ＥＰＧデータＤ５００Ｂと同様なので詳細な説明は繰り返さない。
【０３７１】
管理番号“０２１”の番組情報データの示す情報により、ＥＰＧデータＤ５００ＢＢにおける管理番号“０２１”の番組情報データに対応する番組は、２つの通信端末装置が録画予約し、当該録画予約による録画処理が終了した番組であることが分かる。
【０３７２】
再び、図３８を参照して、ステップＳ４１２Ａの処理の後、ステップＳ４１４に進む。
ステップＳ４１４では、図２３のステップＳ４１４と同様に、お勧め番組データ統合処理が行なわれる。具体的には、お勧め番組データ統合処理では、制御部５１０が、ＥＰＧデータＤ５００ＢＢにおいて、お勧め番組データに示されるＩＤ番号と一致するＩＤ番号を含む番組情報データに「お勧め度」を対応づけて追記することにより、以下のＥＰＧデータＤ５００ＣＣを生成する。本実施の形態の通信端末装置Ａで使用されるお勧め番組データは、一例として、図２２のお勧め番組データＤ４００であるとする。
【０３７３】
ここで、通信端末装置Ａ、通信端末装置Ｂおよび通信端末装置Ｃの各々の記憶部５２０には、予め、前述したお勧め番組自動録画フラグＭが記憶されている。
【０３７４】
そのため、お勧め番組データ統合処理では、お勧め番組自動録画フラグＭがオンであり、かつ、ＥＰＧデータＤ５００ＢＢにおいて、お勧め番組データ（たとえば、お勧め番組データＤ４００）に示されるＩＤ番号と一致するＩＤ番号を含む番組情報データの「状態」の項目が「予約」となってない場合、制御部５１０が、番組情報データに「お勧め度」を対応づけて追記すると共に、「状態」の項目を「予約」とすることにより、以下のＥＰＧデータＤ５００ＣＣを生成する。そして、制御部５１０は、生成したＥＰＧデータＤ５００ＣＣを、一時記憶部５２２に記憶させる。その後、このステップＳ４１４の処理は終了する。
【０３７５】
この処理により、予約となってないお勧め番組を自動的に録画予約することが可能となる。以下においては、自動的に録画予約された番組の情報を示す番組情報データを、自動録画予約番組情報データともいう。
【０３７６】
図４１は、一例としてのＥＰＧデータＤ５００ＣＣを示す図である。図４１を参照して、ＥＰＧデータＤ５００ＣＣは、図４０のＥＰＧデータＤ５００ＢＢと比較して、「お勧め度」という項目がさらに追加されている点が異なる。それ以外は、ＥＰＧデータＤ５００ＢＢと同様なので詳細な説明は繰り返さない。
【０３７７】
なお、「お勧め度」の項目において、ステップＳ４１４の処理の対象となった番組情報データには“１”〜“３”で表される「お勧め度」が追記される。また、“１１２２３２”のＩＤ番号を含む番組情報データには、状態の項目が「予約」に変更されている。すなわち、“１１２２３２”のＩＤ番号を含む番組情報データは、自動録画予約番組情報データである。
【０３７８】
再び、図３８を参照して、ステップＳ４１４の処理の後、ステップＳ４１６に進む。
ステップＳ４１６では、図２３のステップＳ４１６と同様な処理が行なわれるので詳細な説明は繰り返さない。ここでは、自動録画予約番組情報データがあったとして、ステップＳ４１７に進む。
【０３７９】
ステップＳ４１７では、図２３のステップＳ４１７と同様な処理が行なわれるので詳細な説明は繰り返さない。その後、このデータ統合処理Ａは終了し、図３７の通信端末装置Ａが行なうステップＳ３２５Ａの次のステップＳ３２６に進む。
【０３８０】
映像表示装置６００では、他の処理とは独立してデータ受信時処理が行なわれる。データ受信時処理では、まず、ステップＳ４２１の処理が行なわれる。
【０３８１】
ステップＳ４２１では、図２３のステップＳ４２１と同様な処理が行なわれるので詳細な説明は繰り返さない。ここでは、ＹＥＳと判定されて、ステップＳ４２２に進むとする。
【０３８２】
ステップＳ４２２では、図２３のステップＳ４２２と同様な処理が行なわれるので詳細な説明は繰り返さない。この処理により、図３５の予約情報データテーブルＤ３１０ＡＡに予約情報データを追加することにより、予約情報データテーブルＤ３１０ＡＡが更新され、記憶部６２０に記憶される。
【０３８３】
再び、図３８を参照して、ステップＳ４２２の処理が終了すると、再度、ステップＳ４２１の処理が行なわれる。
【０３８４】
再び、図３７を参照して、ステップＳ３２５Ａの処理の後、ステップＳ３２６に進む。
ステップＳ３２６では、第１の実施の形態と同様に、番組リスト表示処理が行なわれる。番組リスト表示処理では、制御部５１０が、ＥＰＧデータＤ５００ＣＣを構成する一部の番組情報データを使用して、ＶＤＰ５３２を利用して、以下の番組リスト画像ＭＧ２０１を生成し、生成した番組リスト画像ＭＧ２０１を表示部５３０に表示させる。そして、制御部５１０は、通信端末装置５００のリモコンモードを解除する。これにより、通信端末装置５００は、映像表示装置６００を、インターフェース操作Ｍにより操作不可能となる。そして、ステップＳ３２６の処理は終了する。
【０３８５】
図４２は、一例としての番組リスト画像ＭＧ２０１を示す図である。図４２を参照して、番組リスト画像ＭＧ２０１は、図２８の番組リスト画像ＭＧ２００と比較して、リスト画像ＭＧ２１０の代わりにリスト画像ＭＧ２１１が配置される点が異なる。それ以外は、番組リスト画像ＭＧ２００と同様なので詳細な説明は繰り返さない。
【０３８６】
リスト画像ＭＧ２１１には、１つの放送局に対応する複数の番組簡易情報がリスト表示される。複数の番組簡易情報は、図２８で説明したのと同様に、ＥＰＧデータＤ５００ＣＣを構成する一部の番組情報データに対応する。
【０３８７】
リスト画像ＭＧ２１１は、リスト画像ＭＧ２１０と比較して、タイトルが「Ｆスポーツ」という番組簡易情報が示す「（録画済み）」という文字列に下線が追記されている点と、タイトルが「Ｅ映画」という番組簡易情報が示す「（予約）」という文字列に下線が追記されている点とが異なる。それ以外は、リスト画像ＭＧ２１０と同様なので詳細な説明は繰り返さない。
【０３８８】
リスト画像ＭＧ２１１に表示される番組簡易情報に対応する、図４１の番組情報データの状態の項目に「録画済み」の情報があり、かつ、装置ＩＤの数（たとえば、“２”）がある場合、番組簡易情報が示す「（録画済み）」という文字列に下線が追記される。「（録画済み）」という文字列に追記される下線は、番組簡易情報が示す番組を複数の装置が録画予約し、当該録画予約により録画処理が終了したことを示す。
【０３８９】
また、リスト画像ＭＧ２１１に表示される番組簡易情報に対応する、図４１の番組情報データの状態の項目に「予約」の情報があり、かつ、装置ＩＤの数（たとえば、“２”）がある場合、番組簡易情報が示す「（予約）」という文字列に下線が追記される。「（予約）」という文字列に追記される下線は、番組簡易情報が示す番組を複数の装置が録画予約していることを示す。
【０３９０】
たとえば、タイトルが「Ｆスポーツ」という番組簡易情報に対応する図４１の管理番号“０２１”の番組情報データは、状態の項目に「録画済み」の情報があり、かつ、装置ＩＤの数（たとえば、“２”）があるので、タイトルが「Ｆスポーツ」という番組簡易情報が示す「（録画済み）」という文字列に下線が追記される。
【０３９１】
また、たとえば、タイトルが「Ｅ映画」という番組簡易情報に対応する図４１の管理番号“０２３”の番組情報データは、状態の項目に「予約」の情報があり、かつ、装置ＩＤの数（たとえば、“２”）があるので、タイトルが「Ｅ映画」という番組簡易情報が示す「（予約）」という文字列に下線が追記される。
【０３９２】
なお、「（録画済み）」および「（予約）」の文字列は、下線の代わりに、他の表現が行なわれてもよい。他の表現とは、たとえば、文字列のフォントサイズを大きくするという表現、文字列を太字にするという表現、文字列に色をつけるという表現である。
【０３９３】
なお、他の装置と共通する情報（たとえば、下線が追記された「（録画済み）」および「（予約）」の文字列）は、リスト画像ＭＧ２１１に表示しないようにしてもよい。これにより、通信端末装置では、自装置のみの情報を表示することができる。
【０３９４】
なお、ステップＳ３２６の処理では、制御部５１０が、ＥＰＧデータＤ５００ＣＣを構成する一部の番組情報データを使用して、ＶＤＰ５３２を利用して、以下の番組リスト画像ＭＧ２０１Ａを生成し、生成した番組リスト画像ＭＧ２０１Ａを表示部５３０に表示させてもよい。
【０３９５】
図４３は、一例としての番組リスト画像ＭＧ２０１Ａを示す図である。図４３を参照して、番組リスト画像ＭＧ２０１Ａは、図２９の番組リスト画像ＭＧ２００Ａと比較して、リスト画像ＭＧ２１０Ａの代わりにリスト画像ＭＧ２１１Ａが配置される点が異なる。それ以外は、番組リスト画像ＭＧ２００Ａと同様なので詳細な説明は繰り返さない。
【０３９６】
リスト画像ＭＧ２１１Ａには、複数の番組簡易情報がリスト表示される。複数の番組簡易情報は、図２８で説明したのと同様に、ＥＰＧデータＤ５００ＣＣを構成する一部の番組情報データに対応する。
【０３９７】
リスト画像ＭＧ２１１Ａは、リスト画像ＭＧ２１０Ａと比較して、タイトルが「Ｆスポーツ」という番組簡易情報が示す「（録画済み）」という文字列に下線が追記されている点と、タイトルが「Ｅ映画」という番組簡易情報が示す「（予約）」という文字列に下線が追記されている点とが異なる。それ以外は、リスト画像ＭＧ２１０と同様なので詳細な説明は繰り返さない。
【０３９８】
リスト画像ＭＧ２１１Ａに表示される番組簡易情報に対応する、図４１の番組情報データの状態の項目に「録画済み」の情報があり、かつ、装置ＩＤの数（たとえば、“２”）がある場合、番組簡易情報が示す「（録画済み）」という文字列に下線が追記される。「（録画済み）」という文字列に追記される下線は、番組簡易情報が示す番組を複数の装置が録画予約し、当該録画予約により録画処理が終了したことを示す。
【０３９９】
また、リスト画像ＭＧ２１１Ａに表示される番組簡易情報に対応する、図４１の番組情報データの状態の項目に「予約」の情報があり、かつ、装置ＩＤの数（たとえば、“２”）がある場合、番組簡易情報が示す「（予約）」という文字列に下線が追記される。「（予約）」という文字列に追記される下線は、番組簡易情報が示す番組を複数の装置が録画予約していることを示す。
【０４００】
なお、「（録画済み）」および「（予約）」の文字列は、下線の代わりに、他の表現が行なわれてもよい。他の表現とは、たとえば、文字列のフォントサイズを大きくするという表現、文字列を太字にするという表現、文字列に色をつけるという表現である。
【０４０１】
なお、他の装置と共通する情報（たとえば、下線が追記された「（録画済み）」および「（予約）」の文字列）は、リスト画像ＭＧ２１１Ａに表示しないようにしてもよい。これにより、通信端末装置では、自装置のみの情報を表示することができる。
【０４０２】
以上の処理により、通信端末装置を所有するユーザの嗜好に応じた複数の番組簡易情報を、表示部５３０に表示させることができるという効果に加え、通信端末装置のユーザは、複数の通信端末装置が、対応する番組を録画予約し、当該録画予約により録画処理が終了した番組、および、複数の通信端末装置が、録画予約している番組を、手元の通信端末装置で容易に確認することができるという効果を奏する。
【０４０３】
ステップＳ３２６の処理が終了すると、ステップＳ３２７の処理が、第１の実施の形態と同様に行なわれるので詳細な説明は繰り返さない。以上により、通信端末装置Ａにおける処理は終了する。
【０４０４】
映像表示装置６００では、ステップＳ３１４Ａの処理が終了すると、ステップＳ３１５Ａに進む。
【０４０５】
ステップＳ３１５Ａでは、データ統合処理ＴＡが行なわれる。
図４４は、データ統合処理ＴＡのフローチャートである。図４４を参照して、ステップＳ４３０Ａでは、予約情報データ統合処理ＴＡが行なわれる。予約情報データ統合処理ＴＡでは、図３８のステップＳ４１０Ａの処理と同様に、制御部６１０が、ＥＰＧデータＤ５００において、図３５の予約情報データテーブルＤ３１０ＡＡを構成する複数の予約情報データの各々に示されるＩＤ番号と一致するＩＤ番号を含む番組情報データ（以下、予約番組情報データともいう）に「予約」という状態を対応づけて追記する。
【０４０６】
そして、さらに、予約番組情報データに示されるＩＤ番号と一致するＩＤ番号を含む予約情報データの示す装置ＩＤが２つ以上である場合、制御部６１０は、予約番組情報データに、装置ＩＤの数を対応づけて追記する。
【０４０７】
以上の処理により、図３９のＥＰＧデータＤ５００ＡＡが生成される。そして、制御部６１０は、生成したＥＰＧデータＤ５００ＡＡを、一時記憶部６２２に記憶させる。その後、ステップＳ４３２Ａに進む。
【０４０８】
ステップＳ４３２Ａでは、録画情報データ統合処理ＴＡが行なわれる。録画情報データ統合処理ＴＡでは、図３８のステップＳ４１２Ａの処理と同様に、制御部６１０が、ＥＰＧデータＤ５００ＡＡにおいて、図３６の録画情報データテーブルＤ３２０Ａを構成する複数の録画情報データの各々に示されるＩＤ番号と一致するＩＤ番号を含む番組情報データ（以下、録画済み番組情報データともいう）に「録画済み」という状態を対応づけて追記する。
【０４０９】
そして、さらに、録画済み番組情報データに示されるＩＤ番号と一致するＩＤ番号を含む録画情報データの示す装置ＩＤが２つ以上である場合、制御部６１０は、録画済み番組情報データに、装置ＩＤの数を対応づけて追記する。
【０４１０】
以上の処理により、図４０のＥＰＧデータＤ５００ＢＢが生成される。そして、制御部６１０は、生成したＥＰＧデータＤ５００ＢＢを、一時記憶部６２２に記憶させる。その後、ステップＳ４３４に進む。
【０４１１】
ステップＳ４３４では、図３０のステップＳ４３４の処理と同様に、お勧め番組データ統合処理Ｔが行なわれる。具体的には、お勧め番組データ統合処理Ｔでは、制御部６１０が、ＥＰＧデータＤ５００ＢＢにおいて、お勧め番組データに示されるＩＤ番号と一致するＩＤ番号を含む番組情報データに「お勧め度」を対応づけて追記することにより、図４１のＥＰＧデータＤ５００ＣＣを生成する。本実施の形態の通信端末装置Ａで使用されるお勧め番組データは、一例として、図２２のお勧め番組データＤ４００であるとする。
【０４１２】
お勧め番組データ統合処理Ｔでは、ＥＰＧデータＤ５００ＢＢにおいて、お勧め番組データ（たとえば、お勧め番組データＤ４００）に示されるＩＤ番号と一致するＩＤ番号を含む番組情報データについて、制御部６１０が、番組情報データに「お勧め度」を対応づけて追記することにより、図４１のＥＰＧデータＤ５００ＣＣを生成する。そして、制御部６１０は、生成したＥＰＧデータＤ５００ＣＣを、一時記憶部６２２に記憶させる。その後、このデータ統合処理Ｔは終了し、図３７の映像表示装置６００が行なうステップＳ３１５Ａの次のステップＳ３１６に進む。
【０４１３】
再び、図１８を参照して、映像表示装置６００では、ステップＳ３１５の処理が終了すると、ステップＳ３１６に進む。
【０４１４】
ステップＳ３１６では、第１の実施の形態と同様に、番組表表示処理が行なわれる。番組表表示処理では、制御部６１０が、ＥＰＧデータＤ５００ＣＣを構成する一部の番組情報データを使用して、ＶＤＰ６３２を利用して、以下の番組表画像Ｇ１０１を生成し、生成した番組表画像Ｇ１０１を表示部６３０に表示させる。そして、ステップＳ３１６の処理は終了する。
【０４１５】
図４５は、一例としての番組表画像Ｇ１０１を示す図である。図４５を参照して、番組表画像Ｇ１０１は、図３１の番組表画像Ｇ１００と比較して、番組表表示画像Ｇ１１０の代わりに番組表表示画像Ｇ１１１が配置される点が異なる。それ以外は、番組表画像Ｇ１００と同様なので詳細な説明は繰り返さない。
【０４１６】
番組表表示画像Ｇ１１１は、番組表表示画像Ｇ１１０と比較して、番組表表示画像Ｇ１１１に表示される複数の番組放送時間枠のうち、一部の番組放送時間枠内の「（録画済み）」という文字列または「（予約）」という文字列に、下線が追記されている点が異なる。それ以外は、番組表表示画像Ｇ１１０と同様なので詳細な説明は繰り返さない。
【０４１７】
なお、番組表表示画像Ｇ１１１に表示される複数の番組放送時間枠は、図４１のＥＰＧデータＤ５００ＣＣの一部の番組情報データに対応する。ＥＰＧデータＤ５００ＣＣにおける番組情報データと、番組放送時間枠との対応の説明は、図３１の説明において、ＥＰＧデータＤ５００Ｃを、ＥＰＧデータＤ５００ＣＣに置き換えた説明と同様であるので、詳細な説明は繰り返さない。
【０４１８】
番組表表示画像Ｇ１１１に表示される番組放送時間枠に対応する図４１の番組情報データに「録画済み」の情報があり、かつ、装置ＩＤの数（たとえば、“２”）がある場合、番組放送時間枠に表示される「（録画済み）」という文字列に下線が追記される。「（録画済み）」という文字列に追記される下線は、対応する番組情報データが示す番組を複数の装置が録画予約し、当該録画予約により録画処理が終了したことを示す。
【０４１９】
番組表表示画像Ｇ１１１に表示される番組放送時間枠に対応する図４１の番組情報データに「予約」の情報があり、かつ、装置ＩＤの数（たとえば、“２”）がある場合、番組放送時間枠に表示される「（予約）」という文字列に下線が追記される。「（予約）」という文字列に追記される下線は、対応する番組情報データが示す番組を複数の装置が録画予約していることを示す。
【０４２０】
たとえば、図４５の番組放送時間枠ＳＱ１１１に対応する、図４１の管理番号“０２１”の番組情報データは、状態の項目に「録画済み」の情報があり、かつ、装置ＩＤの数（たとえば、“２”）があるので、番組放送時間枠ＳＱ１１１内の「（録画済み）」という文字列に下線が追記される。
【０４２１】
また、たとえば、図４５の番組放送時間枠ＳＱ１１３に対応する、図４１の管理番号“０２３”の番組情報データは、状態の項目に「予約」の情報があり、かつ、装置ＩＤの数（たとえば、“２”）があるので、番組放送時間枠ＳＱ１１３内の「（予約）」という文字列に下線が追記される。
【０４２２】
なお、「（録画済み）」および「（予約）」の文字列は、下線の代わりに、他の表現が行なわれてもよい。他の表現とは、たとえば、文字列のフォントサイズを大きくするという表現、文字列を太字にするという表現、文字列に色をつけるという表現である。
【０４２３】
以上の処理により、映像表示装置６００で録画済みの番組、映像表示装置６００で録画予約されている番組、およびどの番組がユーザの嗜好に応じた番組であるかという情報等を、容易に確認することができるという効果に加え、複数の通信端末装置が、対応する番組を録画予約し、当該録画予約により録画処理が終了した番組、および、複数の通信端末装置が、録画予約している番組を、容易に確認することができるという効果を奏する。
【０４２４】
なお、他の装置と共通する情報（たとえば、下線が追記されている「（録画済み）」および「（予約）」の文字列）のみを、番組表表示画像Ｇ１１１に表示するようにしてもよい。これにより、映像表示装置６００では、複数のユーザで共通する情報のみを表示することができる。
【０４２５】
再び、図３７を参照して、映像表示装置６００では、ステップＳ３１６の処理の後、ステップＳ３１７，Ｓ３１８の処理が、第１の実施の形態と同様に行なわれるので詳細な説明は繰り返さない。以上により、映像表示装置６００における処理は終了する。
【０４２６】
なお、映像表示装置６００において、たとえば、新たな録画予約が行なわれることにより予約情報データテーブルが更新された場合または録画処理により録画情報データテーブルが更新された場合、本実施の形態の複数装置対応コンテンツリスト表示処理Ａは、映像表示装置６００において、ステップＳ３１３，Ｓ３１４Ａ，Ｓ３１５Ａ，Ｓ３１６，Ｓ３１７，Ｓ３１８の処理が行なわれ、通信端末装置５００において、ステップＳ３２４Ａ，Ｓ３２５Ａ，Ｓ３２６，Ｓ３２７の処理が行なわれるのみで実施可能である。
【０４２７】
また、通信端末装置Ａが、図４２のリスト画像ＭＧ２１１または図４３の番組リスト画像ＭＧ２０１Ａに表示されているような、「録画済み」および「予約」の文字列、「お勧め度」の情報等を、表示部５３０に表示させるための要求を、映像表示装置６００へ送信した場合、本実施の形態の複数装置対応コンテンツリスト表示処理Ａは、映像表示装置６００において、ステップＳ３１３，Ｓ３１４Ａ，Ｓ３１５Ａ，Ｓ３１６，Ｓ３１７，Ｓ３１８の処理が行なわれ、通信端末装置５００において、ステップＳ３２４Ａ，Ｓ３２５Ａ，Ｓ３２６，Ｓ３２７の処理が行なわれるのみで実施可能である。
【０４２８】
その後、通信端末装置Ｂおよび通信端末装置Ｃの各々が、映像表示装置６００に対して、複数装置対応コンテンツリスト表示処理Ａを行なう。なお、映像表示装置６００は、複数装置対応コンテンツリスト表示処理ＡのステップＳ３１３までの処理を行なっているとする。
【０４２９】
この場合、映像表示装置６００に対し、通信端末装置Ｂおよび通信端末装置Ｃの各々が処理を行なう場合、複数装置対応コンテンツリスト表示処理Ａは、映像表示装置６００において、ステップＳ３１４Ａ，Ｓ３１５Ａ，Ｓ３１６，Ｓ３１７，Ｓ３１８の処理が行なわれ、通信端末装置Ｂおよび通信端末装置Ｃの各々において、前述した通信端末装置Ａと同様に、ステップＳ３２０，Ｓ３２１，Ｓ３２２Ａ，Ｓ３２４Ａ，Ｓ３２５Ａ，Ｓ３２６，Ｓ３２７の処理が行なわれる処理となる。
【０４３０】
以上により、複数装置対応コンテンツリスト表示処理Ａは、各々の装置ＩＤが異なる、複数の通信端末装置５００が、映像表示装置６００に対し処理を行なう場合でも実施可能である。
【０４３１】
以上説明したように、本実施の形態によれば、第２の実施の形態の奏する効果に加えて、通信端末装置のユーザは、複数の通信端末装置が、対応する番組を録画予約し、当該録画予約により録画処理が終了した番組、および、複数の通信端末装置が、録画予約している番組を、手元の通信端末装置で容易に確認することができるという効果を奏する。
【０４３２】
＜第３の実施の形態＞
第１および第２の実施の形態では、通信端末装置５００がＥＰＧデータを受信する処理を行なっていた。本実施の形態では、通信端末装置５００がＥＰＧデータを受信する処理を行なわない場合の処理について説明する。
【０４３３】
なお、本実施の形態においては、第２の実施の形態と同様、嗜好情報リストデータが、通信端末装置５００に記憶されているとする。したがって、本実施の形態では、嗜好情報リストデータが通信端末装置５００に記憶されているので、映像表示装置６００は、特定の映像表示装置（たとえば、自宅の映像表示装置）に限定されない。通信端末装置５００のユーザが通信端末装置５００を使用して、たとえば、友人の家にある映像表示装置に対しても、以下の処理を行なうことが可能である。この場合、友人の家にある映像表示装置は、第１の実施の形態で説明した映像表示装置６００の構成を有するとする。
【０４３４】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０４３５】
次に、本実施の形態において、ユーザの嗜好情報を利用して、コンテンツとしての番組のリストを表示させるための処理（以下、コンテンツリスト表示処理Ｂともいう）について説明する。
【０４３６】
なお、映像表示装置６００の記憶部６２０には、第１の実施の形態と同様、録画予約処理により、図１６の予約情報データテーブルＤ３１０が記憶されているとする。また、映像表示装置６００の記憶部６２０には、第１の実施の形態と同様、録画処理により、記憶部６２０に記憶された録画データの情報を示す、図１７の録画情報データテーブルＤ３２０も記憶されているとする。
【０４３７】
本実施の形態では、第２の実施の形態と同様、コンテンツリスト表示処理Ｂが行なわれる前に、通信端末装置５００において、前述した嗜好情報登録処理が行なわれるとする。この処理により、記憶部５２０に、図３３の嗜好情報リストデータＤ２５０Ａが記憶される。
【０４３８】
次に、コンテンツリスト表示処理Ｂについて説明する。コンテンツリスト表示処理Ｂは、表示部５３０に、図９のリモコン画像ＭＧ１００が表示されている場合に行なわれる処理であるとする。この場合、通信端末装置５００は、リモコンモードに設定されているとする。
【０４３９】
図４６は、コンテンツリスト表示処理Ｂのフローチャートである。図４６は、通信端末装置５００、映像表示装置６００、サービスサーバ８００Ａの各々において行なわれる処理を示す。図４６を参照して、コンテンツリスト表示処理Ｂは、図３４のコンテンツリスト表示処理Ａと比較して、ステップＳ３１１Ｂの処理が行なわれる点と、ステップＳ３２０，Ｓ３２１の処理が行なわれない点と、ステップＳ３２０Ｂ，Ｓ３２１Ｂの処理が行なわれる点とが異なる。それ以外は、コンテンツリスト表示処理Ａと同様なので詳細な説明は繰り返さない。以下、第２の実施の形態のコンテンツリスト表示処理Ａと異なる処理を、主に説明する。
【０４４０】
映像表示装置６００では、ステップＳ３１０の処理が行なわれる。この処理により、映像表示装置６００の記憶部６２０には、図１９のＥＰＧデータＤ５００が記憶される。そして、ステップＳ３１１Ｂに進む。
【０４４１】
ステップＳ３１１Ｂでは、制御部６１０が、番組データとしてのＥＰＧデータを、通信端末装置５００へ送信する。ここで、送信されるＥＰＧデータは、ＥＰＧデータＤ５００であるとする。その後、ステップＳ３１１Ｂの処理は終了する。
【０４４２】
通信端末装置５００では、まず、ステップＳ３２０Ｂの処理が行なわれる。
ステップＳ３２０Ｂでは、制御部５１０が、番組データとしてのＥＰＧデータＤ５００を受信したか否かを判定する。ステップＳ３２０Ｂにおいて、ＹＥＳならば、ステップＳ３２１Ｂに進む。一方、ステップＳ３２０Ｂにおいて、ＮＯならば、再度、ステップＳ３２０Ｂの処理が行なわれる。ここでは、番組データとしてのＥＰＧデータＤ５００を受信したとして、ステップＳ３２１Ｂに進む。
【０４４３】
ステップＳ３２１Ｂでは、制御部５１０が、受信したＥＰＧデータＤ５００を、記憶部５２０に記憶させる。その後、ステップＳ３２１Ｂの処理は終了する。
【０４４４】
映像表示装置６００では、ステップＳ３１１Ｂの処理が終了すると、ステップＳ３１３に進む。そして、ステップＳ３１３，Ｓ３１４Ａの処理が行なわれる。これらの処理により、予約情報データテーブルおよび録画情報データが、通信端末装置５００へ送信される。なお、送信される予約情報データテーブルおよび録画情報データテーブルは、それぞれ、予約情報データテーブルＤ３１０および録画情報データテーブルＤ３２０であるとする。
【０４４５】
なお、コンテンツリスト表示処理Ｂでは、ステップＳ３１１Ｂの処理が行なわれなくてもよい。この場合、ステップＳ３１４Ａの処理において、予約情報データテーブルＤ３１０および録画情報データテーブルＤ３２０に加え、番組データとしてのＥＰＧデータＤ５００を、通信端末装置５００へ送信する処理が行なわれる。
【０４４６】
通信端末装置５００では、ステップＳ３２１Ｂの処理の後、ステップＳ３２２Ａに進む。
【０４４７】
ステップＳ３２２Ａでは、第２の実施の形態と同様な処理が行なわれるので詳細な説明は繰り返さない。この処理により、一時記憶部５２２には、図２２のお勧め番組データＤ４００が記憶される。そして、ステップＳ３２２Ａの処理は終了し、ステップＳ３２４Ａに進む。
【０４４８】
ステップＳ３２４Ａでは、第２の実施の形態と同様な処理が行なわれるので詳細な説明は繰り返さない。この処理により、一時記憶部５２２に、予約情報データテーブルＤ３１０および録画情報データテーブルＤ３２０が記憶される。その後、ステップＳ３２５に進む。
【０４４９】
ステップＳ３２５では、第１の実施の形態と同様、図２３のデータ統合処理が行なわれる。この処理により、一時記憶部５２２には、図２６のＥＰＧデータＤ５００Ｃが記憶される。その後、ステップＳ３２６に進む。
【０４５０】
その後、ステップＳ３２６の処理が、第１の実施の形態と同様に行なわれるので詳細な説明は繰り返さない。この処理により、表示部５３０には、図２８の番組リスト画像ＭＧ２００または図２９の番組リスト画像ＭＧ２００Ａが表示される。
【０４５１】
したがって、本実施の形態では、通信端末装置５００に記憶されている嗜好情報リストデータに基づいて、番組リスト画像ＭＧ２００または番組リスト画像ＭＧ２００Ａが表示されるので、通信端末装置５００を所有するユーザの嗜好に応じた複数の番組簡易情報を、表示部５３０に表示させることができるという効果を奏する。
【０４５２】
ステップＳ３２６の処理が終了すると、ステップＳ３２７の処理が、第１の実施の形態と同様に行なわれるので詳細な説明は繰り返さない。以上により、通信端末装置５００における処理は終了する。
【０４５３】
映像表示装置６００では、ステップＳ３１４Ａの処理が終了すると、ステップＳ３１５に進む。
【０４５４】
その後、ステップＳ３１５，Ｓ３１６，Ｓ３１７，Ｓ３１８の処理が、第１の実施の形態と同様に行なわれるので詳細な説明は繰り返さない。以上により、映像表示装置６００における処理は終了する。
【０４５５】
なお、映像表示装置６００において、たとえば、新たな録画予約が行なわれることにより予約情報データテーブルが更新された場合または録画処理により録画情報データテーブルが更新された場合、本実施の形態のコンテンツリスト表示処理Ｂは、映像表示装置６００において、ステップＳ３１３，Ｓ３１４Ａ，Ｓ３１５，Ｓ３１６，Ｓ３１７，Ｓ３１８の処理が行なわれ、通信端末装置５００において、ステップＳ３２４Ａ，Ｓ３２５，Ｓ３２６，Ｓ３２７の処理が行なわれるのみで実施可能である。
【０４５６】
また、通信端末装置５００が、図２８のリスト画像ＭＧ２１０または図２９の番組リスト画像ＭＧ２００Ａに表示されているような、「録画済み」および「予約」の文字列、「お勧め度」の情報等を、表示部５３０に表示させるための要求を、映像表示装置６００へ送信した場合、本実施の形態のコンテンツリスト表示処理Ｂは、映像表示装置６００において、ステップＳ３１３，Ｓ３１４Ａ，Ｓ３１５，Ｓ３１６，Ｓ３１７，Ｓ３１８の処理が行なわれ、通信端末装置５００において、ステップＳ３２４Ａ，Ｓ３２５，Ｓ３２６，Ｓ３２７の処理が行なわれるのみで実施可能である。
【０４５７】
以上説明したように、本実施の形態によれば、通信端末装置５００がＥＰＧデータを受信する処理を行なわない場合でも、第２の実施の形態で奏する効果を得ることができる。すなわち、通信端末装置５００に記憶されている嗜好情報リストデータに基づいて、番組リスト画像ＭＧ２００または番組リスト画像ＭＧ２００Ａが表示されるので、通信端末装置５００を所有するユーザの嗜好に応じた複数の番組簡易情報を、表示部５３０に表示させることができるという効果を奏する。
【０４５８】
また、番組リスト画像には、同一コンテンツに関して、異なる複数の情報が表示される。異なる複数の情報は、たとえば、通信端末装置５００が記憶している嗜好情報リストデータに基づくお勧め番組データに基づく情報、映像表示装置６００が記憶している予約情報データテーブルに基づく、コンテンツの録画予約の情報である。
【０４５９】
したがって、複数種類の装置の各々が有する、同一コンテンツに関する異なる情報を、１つの装置で容易に参照することができるという効果を奏する。
【０４６０】
＜第３の実施の形態の変形例＞
第３の実施の形態では、１台の通信端末装置５００が、映像表示装置６００に対し処理を行なう場合の処理について説明した。本実施の形態では、各々の装置ＩＤが異なる、複数の通信端末装置５００の各々が、映像表示装置６００に対し処理について説明する。複数の通信端末装置５００の各々には、異なる嗜好情報リストデータが記憶されているとする。
【０４６１】
したがって、本実施の形態では、嗜好情報リストデータが各通信端末装置５００に記憶されているので、映像表示装置６００は、特定の映像表示装置（たとえば、自宅の映像表示装置）に限定されない。通信端末装置５００のユーザが通信端末装置５００を使用して、たとえば、友人の家にある映像表示装置に対しても、以下の処理を行なうことが可能である。この場合、友人の家にある映像表示装置は、第１の実施の形態で説明した映像表示装置６００の構成を有するとする。
【０４６２】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０４６３】
本実施の形態では、通信端末装置５００は、一例として３台あるとして説明する。本実施の形態では、３台の通信端末装置５００を、それぞれ、通信端末装置Ａ、通信端末装置Ｂおよび通信端末装置Ｃとも称する。通信端末装置Ａ、通信端末装置Ｂおよび通信端末装置Ｃの装置ＩＤは、それぞれ、“０９０１１１１１１”、“０９０２２２２２２”および“０９０３３３３３３”であるとする。
【０４６４】
次に、本実施の形態において、ユーザの嗜好情報を利用して、コンテンツとしての番組のリストを表示させるための処理（以下、複数装置対応コンテンツリスト表示処理Ｂともいう）について説明する。
【０４６５】
なお、映像表示装置６００の記憶部６２０には、複数の通信端末装置の録画予約処理により、図３５の予約情報データテーブルＤ３１０ＡＡが記憶されているとする。また、映像表示装置６００の記憶部６２０には、複数の通信端末装置が録画予約していた番組が録画処理されることにより、記憶部６２０に記憶された録画データの情報を示す、図３６の録画情報データテーブルＤ３２０Ａも記憶されているとする。
【０４６６】
本実施の形態では、第２の実施の形態と同様、複数装置対応コンテンツリスト表示処理Ｂが行なわれる前に、通信端末装置Ａは、前述した嗜好情報登録処理を行なうとする。この処理により、通信端末装置Ａの記憶部５２０に、図３３の嗜好情報リストデータＤ２５０Ａが記憶される。また、通信端末装置Ｂおよび通信端末装置Ｃの各々も、複数装置対応コンテンツリスト表示処理Ｂが行なわれる前に、前述した嗜好情報登録処理を行なうとする。この処理により、通信端末装置Ｂおよび通信端末装置Ｃの各々の記憶部５２０にも、嗜好情報リストデータが記憶される。なお、通信端末装置Ａ、通信端末装置Ｂおよび通信端末装置Ｃの各々の嗜好情報リストデータは異なるとする。
【０４６７】
次に、複数装置対応コンテンツリスト表示処理Ｂについて説明する。複数装置対応コンテンツリスト表示処理Ｂは、通信端末装置Ａ、通信端末装置Ｂおよび通信端末装置Ｃの各々の表示部５３０に、図９のリモコン画像ＭＧ１００が表示されている場合に行なわれる処理であるとする。この場合、通信端末装置Ａ、通信端末装置Ｂおよび通信端末装置Ｃの各々は、リモコンモードに設定されているとする。
【０４６８】
図４７は、複数装置対応コンテンツリスト表示処理Ｂのフローチャートである。図４７は、通信端末装置５００、映像表示装置６００、サービスサーバ８００Ａの各々において行なわれる処理を示す。図４７を参照して、複数装置対応コンテンツリスト表示処理Ｂは、図４６のコンテンツリスト表示処理Ｂと比較して、ステップＳ３１５の代わりにステップＳ３１５Ａの処理が行なわれる点と、ステップＳ３２５の代わりにステップＳ３２５Ａの処理が行なわれる点とが異なる。それ以外は、コンテンツリスト表示処理Ｂと同様なので詳細な説明は繰り返さない。以下、第３の実施の形態のコンテンツリスト表示処理Ｂと異なる処理を、主に説明する。
【０４６９】
まず、通信端末装置Ａが映像表示装置６００に対して処理を行なう場合の複数装置対応コンテンツリスト表示処理Ａについて説明する。
【０４７０】
映像表示装置６００では、ステップＳ３１０の処理が行なわれる。この処理により、映像表示装置６００の記憶部６２０には、図１９のＥＰＧデータＤ５００が記憶される。そして、ステップＳ３１１Ｂに進む。
【０４７１】
ステップＳ３１１Ｂでは、第３の実施の形態と同様な処理が行なわれるので詳細な説明は繰り返さない。この処理により、番組データとしてのＥＰＧデータが通信端末装置Ａへ送信される。ここで、送信されるＥＰＧデータは、ＥＰＧデータＤ５００であるとする。その後、ステップＳ３１１Ｂの処理は終了する。
【０４７２】
通信端末装置Ａでは、まず、ステップＳ３２０Ｂの処理が行なわれる。
ステップＳ３２０Ｂでは、第３の実施の形態と同様な処理が行なわれるので詳細な説明は繰り返さない。ここでは、番組データとしてのＥＰＧデータＤ５００を受信したとして、ステップＳ３２１Ｂに進み、ステップＳ３２１Ｂの処理が行なわれる。その後、ステップＳ３２１Ｂの処理は終了する。
【０４７３】
映像表示装置６００では、ステップＳ３１１Ｂの処理が終了すると、ステップＳ３１３に進む。そして、ステップＳ３１３，Ｓ３１４Ａの処理が行なわれる。これらの処理により、予約情報データテーブルおよび録画情報データが、通信端末装置Ａへ送信される。なお、送信される予約情報データテーブルおよび録画情報データテーブルは、それぞれ、予約情報データテーブルＤ３１０ＡＡおよび録画情報データテーブルＤ３２０Ａであるとする。
【０４７４】
なお、複数装置対応コンテンツリスト表示処理Ｂでは、ステップＳ３１１Ｂの処理が行なわれなくてもよい。この場合、ステップＳ３１４Ａの処理において、予約情報データテーブルＤ３１０ＡＡおよび録画情報データテーブルＤ３２０Ａに加え、番組データとしてのＥＰＧデータＤ５００を、通信端末装置Ａへ送信する処理が行なわれる。
【０４７５】
通信端末装置Ａでは、ステップＳ３２１Ｂの処理の後、ステップＳ３２２Ａに進む。
ステップＳ３２２Ａでは、第２の実施の形態と同様な処理が行なわれるので詳細な説明は繰り返さない。この処理により、一時記憶部５２２には、図２２のお勧め番組データＤ４００が記憶される。そして、ステップＳ３２２Ａの処理は終了し、ステップＳ３２４Ａに進む。
【０４７６】
ステップＳ３２４Ａでは、第２の実施の形態と同様な処理が行なわれるので詳細な説明は繰り返さない。この処理により、一時記憶部５２２に、予約情報データテーブルＤ３１０ＡＡおよび録画情報データテーブルＤ３２０Ａが記憶される。その後、ステップＳ３２５Ａに進む。
【０４７７】
ステップＳ３２５Ａでは、第２の実施の形態の変形例と同様、図３７のデータ統合処理Ａが行なわれる。この処理により、一時記憶部５２２には、図４１のＥＰＧデータＤ５００ＣＣが記憶される。その後、ステップＳ３２６に進む。
【０４７８】
その後、ステップＳ３２６の処理が、第１の実施の形態と同様に行なわれるので詳細な説明は繰り返さない。この処理により、表示部５３０には、図４１の番組リスト画像ＭＧ２０１または図４３の番組リスト画像ＭＧ２０１Ａが表示される。
【０４７９】
したがって、本実施の形態では、通信端末装置に記憶されている嗜好情報リストデータに基づいて、番組リスト画像ＭＧ２０１または番組リスト画像ＭＧ２０１Ａが表示される。そのため、通信端末装置を所有するユーザの嗜好に応じた複数の番組簡易情報を、表示部５３０に表示させることができるという効果に加え、第２の実施の形態の変形例と同様、通信端末装置のユーザは、複数の通信端末装置が、対応する番組を録画予約し、当該録画予約により録画処理が終了した番組、および、複数の通信端末装置が、録画予約している番組を、手元の通信端末装置で容易に確認することができるという効果を奏する。
【０４８０】
ステップＳ３２６の処理が終了すると、ステップＳ３２７の処理が、第１の実施の形態と同様に行なわれるので詳細な説明は繰り返さない。以上により、通信端末装置Ａにおける処理は終了する。
【０４８１】
映像表示装置６００では、ステップＳ３１４Ａの処理が終了すると、ステップＳ３１５Ａに進む。
【０４８２】
ステップＳ３１５Ａでは、第２の実施の形態の変形例と同様な処理が行なわれるので詳細な説明は繰り返さない。その後、ステップＳ３１６の処理が行なわれる。この処理により、表示部６３０に、図４５の番組表画像Ｇ１０１が表示される。
【０４８３】
以上の処理により、映像表示装置６００で録画済みの番組、映像表示装置６００で録画予約されている番組、およびどの番組がユーザの嗜好に応じた番組であるかという情報等を、容易に確認することができるという効果に加え、複数の通信端末装置が、対応する番組を録画予約し、当該録画予約により録画処理が終了した番組、および、複数の通信端末装置が、録画予約している番組を、容易に確認することができるという効果を奏する。
【０４８４】
再び、図３７を参照して、映像表示装置６００では、ステップＳ３１６の処理の後、ステップＳ３１７，Ｓ３１８の処理が、第１の実施の形態と同様に行なわれるので詳細な説明は繰り返さない。以上により、映像表示装置６００における処理は終了する。
【０４８５】
なお、映像表示装置６００において、たとえば、新たな録画予約が行なわれることにより予約情報データテーブルが更新された場合または録画処理により録画情報データテーブルが更新された場合、本実施の形態の複数装置対応コンテンツリスト表示処理Ｂは、映像表示装置６００において、ステップＳ３１３，Ｓ３１４Ａ，Ｓ３１５Ａ，Ｓ３１６，Ｓ３１７，Ｓ３１８の処理が行なわれ、通信端末装置Ａにおいて、ステップＳ３２４Ａ，Ｓ３２５Ａ，Ｓ３２６，Ｓ３２７の処理が行なわれるのみで実施可能である。
【０４８６】
また、通信端末装置Ａが、図４２のリスト画像ＭＧ２１１または図４３の番組リスト画像ＭＧ２０１Ａに表示されているような、「録画済み」および「予約」の文字列、「お勧め度」の情報等を、表示部５３０に表示させるための要求を、映像表示装置６００へ送信した場合、本実施の形態の複数装置対応コンテンツリスト表示処理Ｂは、映像表示装置６００において、ステップＳ３１３，Ｓ３１４Ａ，Ｓ３１５Ａ，Ｓ３１６，Ｓ３１７，Ｓ３１８の処理が行なわれ、通信端末装置Ａにおいて、ステップＳ３２４Ａ，Ｓ３２５Ａ，Ｓ３２６，Ｓ３２７の処理が行なわれるのみで実施可能である。
【０４８７】
その後、通信端末装置Ｂおよび通信端末装置Ｃの各々が、映像表示装置６００に対して、複数装置対応コンテンツリスト表示処理Ｂを行なう。なお、映像表示装置６００は、複数装置対応コンテンツリスト表示処理ＢのステップＳ３１３までの処理を行なっているとする。
【０４８８】
この場合、映像表示装置６００に対し、通信端末装置Ｂおよび通信端末装置Ｃの各々が処理を行なう場合、複数装置対応コンテンツリスト表示処理Ｂは、映像表示装置６００において、ステップＳ３１４Ａ，Ｓ３１５Ａ，Ｓ３１６，Ｓ３１７，Ｓ３１８の処理が行なわれ、通信端末装置Ｂおよび通信端末装置Ｃの各々において、前述した通信端末装置Ａと同様に、ステップＳ３２０Ｂ，Ｓ３２１Ｂ，Ｓ３２２Ａ，Ｓ３２４Ａ，Ｓ３２５Ａ，Ｓ３２６，Ｓ３２７の処理が行なわれる処理となる。
【０４８９】
以上により、複数装置対応コンテンツリスト表示処理Ｂは、各々の装置ＩＤが異なる、複数の通信端末装置５００が、映像表示装置６００に対し処理を行なう場合でも実施可能である。
【０４９０】
以上説明したように、本実施の形態によれば、第３の実施の形態の奏する効果に加えて、第２の実施の形態の変形例と同様、通信端末装置のユーザは、複数の通信端末装置が、対応する番組を録画予約し、当該録画予約により録画処理が終了した番組、および、複数の通信端末装置が、録画予約している番組を、手元の通信端末装置で容易に確認することができるという効果を奏する。
【０４９１】
＜第４の実施の形態＞
本実施の形態では、映像表示装置６００が、装置ＩＤが異なる、複数の通信端末装置５００の情報を管理する処理について説明する。複数の通信端末装置５００の各々には、異なる嗜好情報リストデータが記憶されているとする。
【０４９２】
したがって、本実施の形態では、嗜好情報リストデータが各通信端末装置５００に記憶されているので、映像表示装置６００は、特定の映像表示装置（たとえば、自宅の映像表示装置）に限定されない。通信端末装置５００のユーザが通信端末装置５００を使用して、たとえば、友人の家にある映像表示装置に対しても、以下の処理を行なうことが可能である。この場合、友人の家にある映像表示装置は、第１の実施の形態で説明した映像表示装置６００の構成を有するとする。
【０４９３】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０４９４】
本実施の形態では、通信端末装置５００は、一例として３台あるとして説明する。本実施の形態では、３台の通信端末装置５００を、それぞれ、通信端末装置Ａ、通信端末装置Ｂおよび通信端末装置Ｃとも称する。通信端末装置Ａ、通信端末装置Ｂおよび通信端末装置Ｃの装置ＩＤは、それぞれ、“０９０１１１１１１”、“０９０２２２２２２”および“０９０３３３３３３”であるとする。
【０４９５】
次に、本実施の形態において、ユーザの嗜好情報を利用して、コンテンツとしての番組のリストを表示させるための処理（以下、コンテンツリスト表示処理Ｃともいう）について説明する。
【０４９６】
なお、映像表示装置６００の記憶部６２０には、複数の通信端末装置の録画予約処理により、図３５の予約情報データテーブルＤ３１０ＡＡが記憶されているとする。また、映像表示装置６００の記憶部６２０には、複数の通信端末装置が録画予約していた番組が録画処理されることにより、記憶部６２０に記憶された録画データの情報を示す、図３６の録画情報データテーブルＤ３２０Ａも記憶されているとする。
【０４９７】
本実施の形態では、第２の実施の形態と同様、コンテンツリスト表示処理Ｃが行なわれる前に、通信端末装置Ａは、前述した嗜好情報登録処理を行なうとする。この処理により、通信端末装置Ａの記憶部５２０に、図３３の嗜好情報リストデータＤ２５０Ａが記憶される。また、通信端末装置Ｂおよび通信端末装置Ｃの各々も、コンテンツリスト表示処理Ｃが行なわれる前に、前述した嗜好情報登録処理を行なうとする。この処理により、通信端末装置Ｂおよび通信端末装置Ｃの各々の記憶部５２０にも、嗜好情報リストデータが記憶される。なお、通信端末装置Ａ、通信端末装置Ｂおよび通信端末装置Ｃの各々の嗜好情報リストデータは異なるとする。
【０４９８】
また、通信端末装置Ａ、通信端末装置Ｂおよび通信端末装置Ｃの各々は、コンテンツリスト表示処理Ｃが行なわれる前に、お勧め番組表示許可処理を行なうとする。お勧め番組表示許可処理は、自装置の嗜好情報リストデータに基づくお勧め番組を、他の通信端末装置に表示させるか否かを設定するための処理である。
【０４９９】
なお、通信端末装置Ａ、通信端末装置Ｂおよび通信端末装置Ｃの各々の記憶部５２０には、お勧め番組表示許可フラグが記憶されているとする。お勧め番組表示許可フラグとは、自装置の嗜好情報リストデータに基づく番組のお勧め度を、他の通信端末装置に表示させるか否かを決定するためのフラグである。お勧め番組表示許可フラグがオンに設定されている場合、自装置の嗜好情報リストデータに基づく番組のお勧め度を、他の通信端末装置に表示させることが許可される。一方、お勧め番組表示許可フラグがオフに設定されている場合、自装置の嗜好情報リストデータに基づく番組のお勧め度を、他の通信端末装置に表示させることが許可されない。なお、お勧め番組表示許可フラグは、初期状態ではオフに設定されているとする。
【０５００】
お勧め番組表示許可処理は、インターフェース操作Ｍにより、プログラム１８０に含まれるお勧め番組表示許可プログラムが実行されることにより行なわれる処理である。
【０５０１】
お勧め番組表示許可プログラムでは、制御部５１０が、表示部５３０に以下のお勧め番組表示許可画像ＭＧ４００を表示させる。
【０５０２】
図４８は、一例としてのお勧め番組表示許可画像ＭＧ４００を示す図である。図４８を参照して、お勧め番組表示許可画像ＭＧ４００には、ボタン画像ＭＢＧ４８５，ＭＢＧ４８７とが配置される。
【０５０３】
ボタン画像ＭＢＧ４８５は、インターフェース操作Ｍにより押下処理されることにより、記憶部５２０に記憶されているお勧め番組表示許可フラグをオンに設定するためのボタン画像である。ボタン画像ＭＢＧ４８７は、インターフェース操作Ｍにより押下処理されることにより、記憶部５２０に記憶されているお勧め番組表示許可フラグをオフに設定するためのボタン画像である。
【０５０４】
そして、通信端末装置Ａの表示部５３０に、お勧め番組表示許可画像ＭＧ４００が表示された状態で、お勧め番組表示許可操作があったとする。ここで、お勧め番組表示許可操作とは、ボタン画像ＭＢＧ４８５を押下処理するためのインターフェース操作Ｍである。この場合、制御部５１０は、勧め番組表示許可フラグをオンに設定する。そして、制御部５１０は、自装置の装置ＩＤおよびお勧め番組表示許可フラグの状態の情報を、映像表示装置６００へ送信する。
【０５０５】
そして、映像表示装置６００の制御部６１０は、装置ＩＤおよびお勧め番組表示許可フラグの状態の情報を受信し、記憶部６２０に記憶させる。
【０５０６】
通信端末装置Ｂおよび通信端末装置Ｃの各々も、通信端末装置Ａと同様に、上記処理を行ない、勧め番組表示許可フラグをオンに設定し、自装置の装置ＩＤおよび勧め番組表示許可フラグの状態の情報を、映像表示装置６００へ送信する。
【０５０７】
そして、映像表示装置６００の制御部６１０は、信端末装置Ｂおよび通信端末装置Ｃの各々の装置ＩＤおよびお勧め番組表示許可フラグの状態の情報を受信し、記憶部６２０に記憶させる。以上により、このお勧め番組表示許可処理は終了する。
【０５０８】
お勧め番組表示許可処理が終了した後、記憶部６２０には、以下のお勧め番組表示許可設定データＳＤ６００が生成される。
【０５０９】
図４９は、一例としてのお勧め番組表示許可設定データＳＤ６００を示す図である。図４９を参照して、お勧め番組表示許可設定データＳＤ６００は、装置ＩＤに対応する通信端末装置のお勧め番組表示許可フラグの状態を示す。
【０５１０】
なお、通信端末装置Ａ、通信端末装置Ｂおよび通信端末装置Ｃの各々のお勧め番組表示許可フラグは、すべてオンに設定されなくてもよい。通信端末装置Ａ、通信端末装置Ｂおよび通信端末装置Ｃの各々のお勧め番組表示許可フラグのうち、少なくとも１つのお勧め番組表示許可フラグがオンに設定されていてもよい。
【０５１１】
次に、コンテンツリスト表示処理Ｃについて説明する。コンテンツリスト表示処理Ｃは、通信端末装置Ａ、通信端末装置Ｂおよび通信端末装置Ｃの各々の表示部５３０に、図９のリモコン画像ＭＧ１００が表示されている場合に行なわれる処理であるとする。この場合、通信端末装置Ａ、通信端末装置Ｂおよび通信端末装置Ｃの各々は、リモコンモードに設定されているとする。
【０５１２】
図５０は、コンテンツリスト表示処理Ｃのフローチャートである。図５０は、通信端末装置５００、映像表示装置６００、サービスサーバ８００Ａの各々において行なわれる処理を示す。図５０を参照して、コンテンツリスト表示処理Ｃは、図４７の複数装置対応コンテンツリスト表示処理Ｂと比較して、ステップＳ３１１Ｂの代わりにステップＳ３１１Ｃの処理が行なわれる点と、ステップＳ３１２Ｃの処理が行なわれる点と、ステップＳ３１４Ａの代わりにステップＳ３１４Ｃの処理が行なわれる点と、ステップＳ３１５Ａの代わりにステップＳ３１５Ｃの処理が行なわれる点と、ステップＳ３２０Ｂの代わりにステップＳ３２０Ｃの処理が行なわれる点と、ステップＳ３２１Ｂの代わりにステップＳ３２１Ｃの処理が行なわれる点と、ステップＳ３２２Ａの処理の代わりにステップＳ３２２Ｃの処理が行なわれる点と、ステップＳ３２４Ａの代わりにステップＳ３２４Ｃの処理が行なわれる点と、ステップＳ３２５Ａの代わりにステップＳ３２５Ｃの処理が行なわれる点とが異なる。それ以外は、複数装置対応コンテンツリスト表示処理Ｂと同様なので詳細な説明は繰り返さない。以下、第３の実施の形態の変形例の複数装置対応コンテンツリスト表示処理Ｂと異なる処理を、主に説明する。
【０５１３】
まず、通信端末装置Ａが映像表示装置６００に対して処理を行なう場合のコンテンツリスト表示処理Ｃについて説明する。
【０５１４】
映像表示装置６００では、ステップＳ３１０の処理が行なわれる。この処理により、映像表示装置６００の記憶部６２０には、図１９のＥＰＧデータＤ５００が記憶される。その後、ステップＳ３１０の処理は終了する。
【０５１５】
通信端末装置Ａでは、まず、ステップＳ３２０Ｃの処理が行なわれる。
ステップＳ３２０Ｃでは、制御部５１０が、ＶＤＰ５３２を利用して、以下の嗜好情報送信画像ＭＧ５００を生成し、表示部５３０に嗜好情報送信画像ＭＧ５００を表示させる。その後、ステップＳ３２０Ｃの処理は終了する。
【０５１６】
図５１は、一例としての嗜好情報送信画像ＭＧ５００を示す図である。図５１を参照して、嗜好情報送信画像ＭＧ５００には、ボタン画像ＭＢＧ５８５が配置される。
【０５１７】
ボタン画像ＭＢＧ５８５は、インターフェース操作Ｍにより押下処理されることにより、記憶部５２０に記憶されている嗜好情報リストデータを、映像表示装置６００へ送信するためのボタン画像である。
【０５１８】
再び、図５０を参照して、ステップＳ３２０Ｃの処理が終了すると、ステップＳ３２１Ｃに進む。
【０５１９】
ステップＳ３２１Ｃでは、制御部５１０が、嗜好情報送信許可操作があるか否かを判定する。嗜好情報送信許可操作とは、ボタン画像ＭＢＧ５８５を押下処理するためのインターフェース操作Ｍである。ステップＳ３２１Ｃにおいて、ＹＥＳならば、ステップＳ３２２Ｃに進む。一方、ステップＳ３２１Ｃにおいて、ＮＯならば、再度、ステップＳ３２１Ｃの処理が行なわれる。ここでは、嗜好情報送信許可操作があったとして、ステップＳ３２２Ｃに進む。
【０５２０】
ステップＳ３２２Ｃでは、制御部５１０が、記憶部５２０に記憶されている嗜好情報リストデータ（たとえば、図３３の嗜好情報リストデータＤ２５０Ａ）とともに、自装置の装置ＩＤ（たとえば、“０９０１１１１１１”）を、映像表示装置６００へ送信する。その後、ステップＳ３２２Ｃの処理は終了する。
【０５２１】
映像表示装置６００では、ステップＳ３１０の処理の後、ステップＳ３１１Ｃの処理が行なわれる。
【０５２２】
ステップＳ３１１Ｃでは、受信処理が行なわれる。受信処理では、制御部６１０が、嗜好情報リストデータおよび装置ＩＤ（たとえば、“０９０１１１１１１”）を受信し、装置ＩＤに嗜好情報リストデータを対応づけて、記憶部６２０に記憶させる。
【０５２３】
その後、通信端末装置Ｂおよび通信端末装置Ｃの各々も、通信端末装置Ａと同様に、ステップＳ３２０Ｃ，Ｓ３２１Ｃ，Ｓ３２２Ｃを行なう。なお、ステップＳ３２２Ｃの処理で送信され、映像表示装置６００が受信する、装置毎の嗜好情報リストデータは、映像表示装置６００が受信してから所定時間（たとえば、２０分）経過すると、映像表示装置６００の制御部６１０が削除する。これにより、映像表示装置６００の制御部６１０が処理する、装置毎の嗜好情報リストデータが非常に多くなることで、表示部６３０に表示される、装置毎のお勧め番組の数が膨大な数になり、見難くなることを防止することができる。
【０５２４】
ここで、通信端末装置Ｂおよび通信端末装置Ｃの各々が行なうＳ３２２Ｃの処理は、通信端末装置ＡがステップＳ３２２Ｃの処理を行なってから、所定時間（たとえば、２０分）以内に行なわれるとする。
【０５２５】
ステップＳ３２２Ｃの処理が行なわれる毎に、映像表示装置６００では、ステップＳ３１１Ｃの処理が行なわれる。上記処理により、記憶部６２０には、以下の嗜好情報リストデータテーブルＤ６００が生成される。
【０５２６】
図５２は、一例としての嗜好情報リストデータテーブルＤ６００を示す図である。図５２を参照して、嗜好情報リストデータテーブルＤ６００は、複数の嗜好情報データから構成される。「管理番号」とは、複数の嗜好情報データを管理するための番号である。嗜好情報データには、装置ＩＤおよび嗜好情報リストデータが含まれる。したがって、複数の嗜好情報リストデータの各々は、対応する装置ＩＤに対応付けられる。嗜好情報リストデータは、複数の嗜好番組情報を含む。
【０５２７】
たとえば、管理番号“１”の嗜好情報データに含まれる嗜好情報リストデータは、タイトルが「Ｄドラマ」という嗜好番組情報、タイトルが「Ｂクイズ」という嗜好番組情報、ジャンルが「ドラマ」という嗜好番組情報、ジャンルが「バラエティ」という嗜好番組情報、出演者が「Ｋ．Ｔ」という嗜好番組情報、出演者が「Ｓ．Ｓ」という嗜好番組情報を含む。
【０５２８】
再び、図５０を参照して、映像表示装置６００では、ステップＳ３１１Ｃの処理の後、ステップＳ３１２Ｃの処理が行なわれる。
【０５２９】
ステップＳ３１２Ｃでは、おすすめ番組検索処理ＴＡが行なわれる。おすすめ番組検索処理ＴＡは、嗜好情報リストデータテーブルＤ６００に基づいて、ＥＰＧデータＤ５００を構成する複数の番組情報データにそれぞれ対応する複数の番組から、装置ＩＤ毎のおすすめ番組を検索する処理である。以下においては、嗜好情報リストデータテーブルＤ６００の管理番号“Ｓ（自然数）”の嗜好情報データに含まれる、嗜好情報リストデータを、嗜好情報リストデータＳともいう。したがって、たとえば、嗜好情報リストデータテーブルＤ６００の管理番号“１”の嗜好情報データに含まれる、嗜好情報リストデータは、嗜好情報リストデータ１ともいう。
【０５３０】
なお、記憶部６２０には、図２０のポイント付与テーブルＴ１００が予め記憶されているものとする。おすすめ番組検索処理ＴＡでは、嗜好情報リストデータテーブルＤ６００を構成する複数の嗜好情報データの各々に対し、以下の検索処理が行なわれる。具体的には、おすすめ番組検索処理ＴＡでは、嗜好情報リストデータ１〜嗜好情報リストデータ３に対し、以下の検索処理が行なわれる。
【０５３１】
検索処理では、まず、制御部６１０が、記憶部６２０から嗜好情報リストデータ１を読出し、嗜好情報リストデータ１における複数の嗜好番組情報と一致する情報を含む番組を識別するためのＩＤ番号に対し、ポイント付与テーブルＴ１００に基づいて、ポイントを計算する。
【０５３２】
ポイントの計算方法は、図２１で説明したのと同様である。図２１を参照して、嗜好情報リストデータ１に示される嗜好番組情報としてのタイトル（Ｄドラマ）は、図１９のＥＰＧデータＤ５００に示される、ＩＤ番号が“１１２２３１”の番組情報データが示すタイトル（Ｄドラマ）と一致する。そのため、ＩＤ番号が“１１２２３１”には、ポイント付与テーブルＴ１００に基づいて、２０ポイントが加算される。
【０５３３】
また、嗜好情報リストデータ１に示される嗜好番組情報としてのジャンル（ドラマ）は、図１９のＥＰＧデータＤ５００に示される、ＩＤ番号が“１１２２３１”の番組情報データが示すジャンル（ドラマ）と一致する。そのため、ＩＤ番号が“１１２２３１”には、ポイント付与テーブルＴ１００に基づいて、１５ポイントが加算される。また、嗜好情報リストデータＤ２５０に示される嗜好番組情報としての出演者（Ｋ．Ｔ）は、図１９のＥＰＧデータＤ５００に示される、ＩＤ番号が“１１２２３１”の番組情報データが示す出演者（Ｋ．Ｔ）と一致する。そのため、ＩＤ番号が“１１２２３１”には、ポイント付与テーブルＴ１００に基づいて、１０ポイントが加算される。以上の計算により、ＩＤ番号“１１２２３１”のポイントは、合計で４５ポイントとなる。
【０５３４】
なお、他のＩＤ番号のポイントに対しても、ＩＤ番号が“１１２２３１”の場合と同様にポイントが計算される。本実施の形態では、一例として、４０ポイント以上がお勧め度“３”に設定され、２０ポイント以上がお勧め度“２”に設定され、１５ポイント以上がお勧め度“１”に設定されるとする。したがって、ＩＤ番号“１１２２３１”は、お勧め度が“３”に設定される。ＩＤ番号“１１２２２２”は、お勧め度が“２”に設定される。ＩＤ番号“１１２２３５”は、お勧め度が“１”に設定される。
【０５３５】
以上の計算に基づき、各ＩＤ番号に対し、ポイントが計算される。なお、お勧め度の判定のポイント数は、上記に限定されることなく、他のポイント数であってもよい。また、お勧め度は、“１”〜“３”の３段階に限定されることなく、２段階または４段階以上であってもよい。
【０５３６】
そして、制御部６１０は、嗜好情報リストデータ１に対し行なった上記の検索処理により計算されたＩＤ番号毎のポイントを、使用した嗜好情報リストデータに対応する装置ＩＤに対応づけて、記憶部６２０に記憶させる。そして、制御部６１０は、嗜好情報リストデータ１に対し行なった検索処理を、嗜好情報リストデータ１および嗜好情報リストデータ２の各々に対しても行なうことで、記憶部６２０には、以下のお勧め番組データテーブルＤ７００が生成される。そして、ステップＳ３１２Ｃの処理は終了する。
【０５３７】
図５３は、一例としてのお勧め番組データテーブルＤ７００を示す図である。図５３を参照して、お勧め番組データテーブルＤ７００は、複数のお勧めデータから構成される。「管理番号」とは、複数のお勧めデータを管理するための番号である。複数のお勧めデータの各々には、装置ＩＤおよびお勧め番組データが含まれる。お勧め番組データテーブルＤ７００において、管理番号が“１”のお勧めデータに含まれるお勧め番組データは、たとえば、図２２のお勧め番組データＤ４００と同じである。
【０５３８】
以下においては、お勧め番組データテーブルＤ７００に含まれる、管理番号“Ｌ（自然数）”のお勧めデータを、お勧めデータＬともいう。たとえば、お勧め番組データテーブルＤ７００に含まれる、管理番号“２”のお勧めデータは、お勧めデータ２ともいう。したがってお勧め番組データテーブルＤ７００には、お勧めデータ１〜３が含まれる。
【０５３９】
再び、図５０を参照して、ステップＳ３１２Ｃの処理が終了すると、ステップＳ３１３に進む。そして、ステップＳ３１３の処理の後、ステップＳ３１４Ｃに進む。
【０５４０】
ステップＳ３１４Ｃでは、データ送信処理が行なわれる。以下においては、データ送信処理において、データの送信先の装置を、送信先通信端末装置ともいう。ここでは、通信端末装置は、通信端末装置Ａとする。したがって、送信先通信端末装置は、通信端末装置Ａとなる。
【０５４１】
データ送信処理では、制御部６１０が、予約情報データテーブル、録画情報データおよび送信先通信端末装置（たとえば、通信端末装置Ａ）のお勧めデータを、送信先通信端末装置へ送信する。以下、ステップＳ３１４Ｃにおいて送信されるお勧めデータは、制御部６１０が、記憶部６２０から読み出したデータである。なお、送信される予約情報データテーブルおよび録画情報データテーブルは、それぞれ、図３５の予約情報データテーブルＤ３１０ＡＡおよび図３６の録画情報データテーブルＤ３２０Ａであるとする。
【０５４２】
上記処理により、送信されるお勧めデータは、送信先通信端末装置が通信端末装置Ａ（装置ＩＤ“０９０１１１１１１”の装置）である場合、お勧めデータ１となる。前述したように、お勧めデータには、装置ＩＤおよびお勧め番組データが含まれる。したがって、お勧めデータ１は、装置ＩＤ“０９０１１１１１１”および通信端末装置Ａのお勧め番組データが含まれる。
【０５４３】
また、制御部６１０は、図４９のお勧め番組表示許可設定データＳＤ６００を参照して、送信先通信端末装置以外の通信端末装置（以下、非送信先通信端末装置ともいう）の装置ＩＤに対応するお勧め番組表示許可フラグがオンである場合、お勧めデータ１〜３のうち、対応する装置のお勧めデータを、さらに、送信先通信端末装置へ送信する。
【０５４４】
たとえば、送信先通信端末装置が通信端末装置Ａである場合、非送信先通信端末装置は、通信端末装置Ｂおよび通信端末装置Ｃとなる。この場合、通信端末装置Ｂおよび通信端末装置Ｃの各々の装置ＩＤに対応するお勧め番組表示許可フラグがオンである場合、通信端末装置Ｂおよび通信端末装置Ｃのお勧めデータが、通信端末装置Ａへ送信されることになる。そして、ステップＳ３１４Ｃの処理は終了する。
【０５４５】
本実施の形態では、お勧め番組表示許可設定データＳＤ６００に従い、通信端末装置Ａ、通信端末装置Ｂおよび通信端末装置Ｃのお勧めデータが、送信先通信端末装置へ送信される。通信端末装置Ａ、通信端末装置Ｂおよび通信端末装置Ｃのお勧めデータは、それぞれ、お勧めデータ１、お勧めデータ２およびお勧めデータ３である。
【０５４６】
通信端末装置Ａでは、ステップＳ３２２Ｃの処理の後、ステップＳ３２４Ｃの処理が行なわれる。
【０５４７】
ステップＳ３２４Ｃでは、データ受信処理Ｃが行なわれる。データ受信処理Ｃでは、制御部５１０が、ステップＳ３１４Ｃの処理により送信されたデータを受信し、受信したデータを、一時記憶部５２２に記憶させる。本実施の形態では、データ受信処理Ｃで受信したデータは、予約情報データテーブルＤ３１０ＡＡ、録画情報データテーブルＤ３２０Ａおよびお勧めデータ１〜３であるとする。したがって、一時記憶部５２２には、予約情報データテーブルＤ３１０ＡＡ、録画情報データテーブルＤ３２０Ａおよびお勧めデータ１〜３が記憶される。その後、ステップＳ３２５Ｃに進む。
【０５４８】
ステップＳ３２５Ｃでは、データ統合処理Ｃが行なわれる。
図５４は、データ統合処理Ｃのフローチャートである。なお、図５４には、映像表示装置６００で行なわれる、後述する処理のフローチャートも示される。
図５４を参照して、ステップＳ４１０Ａでは、第２の実施の形態の変形例と同様、予約情報データ統合処理Ａが行なわれるので詳細な説明は繰り返さない。この処理により、一時記憶部５２２に、図３９のＥＰＧデータＤ５００ＡＡが記憶される。そして、ステップＳ４１２Ａに進む。
【０５４９】
ステップＳ４１２Ａでは、第２の実施の形態の変形例と同様、録画情報データ統合処理Ａが行なわれるので詳細な説明は繰り返さない。この処理により、一時記憶部５２２に、図４０のＥＰＧデータＤ５００ＢＢが記憶される。そして、ステップＳ４１４Ｃに進む。
【０５５０】
ステップＳ４１４Ｃでは、お勧め番組データ統合処理Ｃが行なわれる。お勧め番組データ統合処理Ｃでは、制御部５１０が、ＥＰＧデータＤ５００ＢＢにおいて、お勧めデータ１〜３に示されるＩＤ番号と一致するＩＤ番号を含む番組情報データ（以下、お勧め番組情報データともいう）に「お勧め度」および、お勧めデータに対応する装置ＩＤを対応づけて追記する。
【０５５１】
たとえば、通信端末装置Ａの制御部５１０が、ＥＰＧデータＤ５００ＢＢにおいて、お勧めデータ１に示されるＩＤ番号と一致するＩＤ番号を含む番組情報データ（以下、お勧め番組情報データともいう）に「お勧め度」および、お勧めデータ１に示される装置ＩＤ（“０９０１１１１１１”）を対応づけて追記することにより、以下のＥＰＧデータＤ５００ＣＣＡが生成される。
【０５５２】
ここで、通信端末装置Ａ、通信端末装置Ｂおよび通信端末装置Ｃの各々の記憶部５２０には、予め、前述したお勧め番組自動録画フラグＭが記憶されている。
【０５５３】
そのため、お勧め番組データ統合処理Ｃでは、お勧め番組自動録画フラグＭがオンであり、かつ、ＥＰＧデータＤ５００ＢＢにおいて、お勧め番組データ（たとえば、お勧めデータ１）に示されるＩＤ番号と一致するＩＤ番号を含む番組情報データの「状態」の項目が「予約」となってない場合、制御部５１０が、番組情報データに「お勧め度」および、お勧めデータに対応する装置ＩＤを対応づけて追記すると共に、「状態」の項目を「予約」とすることにより、以下のＥＰＧデータＤ５００ＣＣＡを生成する。
【０５５４】
この処理により、予約となってないお勧め番組を自動的に録画予約することが可能となる。以下においては、自動的に録画予約された番組の情報を示す番組情報データを、自動録画予約番組情報データともいう。
【０５５５】
図５５は、一例としてのＥＰＧデータＤ５００ＣＣＡを示す図である。図５５を参照して、ＥＰＧデータＤ５００ＣＣＡは、図４０のＥＰＧデータＤ５００ＢＢと比較して、「お勧め度」という項目がさらに追加されている点と、お勧め度の数値の横に装置ＩＤが記載されている点とが異なる。それ以外は、ＥＰＧデータＤ５００ＢＢと同様なので詳細な説明は繰り返さない。
【０５５６】
なお、「お勧め度」の項目において、ステップＳ４１４Ｃの処理の対象となった番組情報データには“１”〜“３”で表される「お勧め度」が追記される。そして、追記された「お勧め度」の横には、お勧めデータ１に示される装置ＩＤ（“０９０１１１１１１”）が記載される。
【０５５７】
また、“１１２２３２”のＩＤ番号を含む番組情報データには、状態の項目が「予約」に変更されている。すなわち、“１１２２３２”のＩＤ番号を含む番組情報データは、自動録画予約番組情報データである。
【０５５８】
そして、制御部５１０が、お勧めデータ２およびお勧めデータ３に対しても、上記のお勧めデータ１と同様な処理を行なうことで、以下のＥＰＧデータＤ５００ＣＣＣが生成される。そして、制御部５１０は、生成したＥＰＧデータＤ５００ＣＣＣを、一時記憶部５２２に記憶させる。その後、このステップＳ４１４Ｃの処理は終了する。
【０５５９】
図５６は、一例としてのＥＰＧデータＤ５００ＣＣＣを示す図である。図５６を参照して、ＥＰＧデータＤ５００ＣＣＣは、図５５のＥＰＧデータＤ５００ＣＣＡと比較して、「お勧め度」の項目にさらに、お勧めデータ２およびお勧めデータ３に基づくお勧め度の数値と、お勧め度の数値に対応するお勧めデータ２またはお勧めデータ３に示される装置ＩＤが、当該お勧め度の数値の横に記載されている点が異なる。それ以外は、ＥＰＧデータＤ５００ＣＣＡと同様なので詳細な説明は繰り返さない。なお、ＥＰＧデータＤ５００ＣＣＣにおいて、同じお勧め度に対応して、複数の装置ＩＤがある場合は、たとえば、“１１２２３１”のＩＤ番号を含む番組情報データの「お勧め度」の項目のような記述が追記される。
【０５６０】
再び、図５４を参照して、ステップＳ４１４Ｃの処理の後、ステップＳ４１６に進む。
ステップＳ４１６では、図２３のステップＳ４１６と同様な処理が行なわれるので詳細な説明は繰り返さない。ここでは、自動録画予約番組情報データがあったとして、ステップＳ４１７に進む。
【０５６１】
ステップＳ４１７では、図２３のステップＳ４１７と同様な処理が行なわれるので詳細な説明は繰り返さない。その後、このデータ統合処理Ｃは終了し、図５０の通信端末装置Ａが行なうステップＳ３２５Ｃの次のステップＳ３２６に進む。
【０５６２】
映像表示装置６００では、他の処理とは独立してデータ受信時処理が行なわれる。データ受信時処理では、まず、ステップＳ４２１の処理が行なわれる。
【０５６３】
ステップＳ４２１では、図２３のステップＳ４２１と同様な処理が行なわれるので詳細な説明は繰り返さない。ここでは、ＹＥＳと判定されて、ステップＳ４２２に進むとする。
【０５６４】
ステップＳ４２２では、図２３のステップＳ４２２と同様な処理が行なわれるので詳細な説明は繰り返さない。この処理により、図３５の予約情報データテーブルＤ３１０ＡＡに予約情報データを追加することにより、予約情報データテーブルＤ３１０ＡＡが更新され、記憶部６２０に記憶される。
【０５６５】
再び、図５４を参照して、ステップＳ４２２の処理が終了すると、再度、ステップＳ４２１の処理が行なわれる。
【０５６６】
再び、図５０を参照して、ステップＳ３２５Ｃの処理の後、ステップＳ３２６に進む。
ステップＳ３２６では、第１の実施の形態と同様に、番組リスト表示処理が行なわれる。番組リスト表示処理では、制御部５１０が、図５６のＥＰＧデータＤ５００ＣＣＣを構成する一部の番組情報データを使用して、ＶＤＰ５３２を利用して、以下の番組リスト画像ＭＧ２０４を生成し、生成した番組リスト画像ＭＧ２０４を表示部５３０に表示させる。そして、制御部５１０は、通信端末装置５００のリモコンモードを解除する。これにより、通信端末装置５００は、映像表示装置６００を、インターフェース操作Ｍにより操作不可能となる。そして、ステップＳ３２６の処理は終了する。
【０５６７】
図５７は、一例としての番組リスト画像ＭＧ２０４を示す図である。図５７を参照して、番組リスト画像ＭＧ２０４は、図４２の番組リスト画像ＭＧ２０１と比較して、リスト画像ＭＧ２１１の代わりにリスト画像ＭＧ２１４が配置される点が異なる。それ以外は、番組リスト画像ＭＧ２０１と同様なので詳細な説明は繰り返さない。
【０５６８】
リスト画像ＭＧ２１４には、１つの放送局に対応する複数の番組簡易情報がリスト表示される。複数の番組簡易情報は、図２８で説明したのと同様に、ＥＰＧデータＤ５００ＣＣＣを構成する一部の番組情報データに対応する。
【０５６９】
リスト画像ＭＧ２１４は、リスト画像ＭＧ２１１と比較して、他の通信端末装置のお勧め度の情報が、異なる図形によって表示されている点が異なる。ここで、装置ＩＤ“０９０１１１１１１”には、一例として、黒星マークが対応づけられる。装置ＩＤ“０９０２２２２２２”には、一例として、黒丸マークが対応づけられる。装置ＩＤ“０９０３３３３３３”には、一例として、黒三角マークが対応づけられる。なお、マークの形状は、上記の形状に限定されることなく、他の形状のマークであってもよい。
【０５７０】
黒星マークの数は、装置ＩＤが“０９０１１１１１１”の自装置の嗜好情報リストデータに基づく番組のお勧め度を示す。黒丸マークの数は、装置ＩＤが“０９０２２２２２２”の装置の嗜好情報リストデータに基づく番組のお勧め度を示す。黒三角マークの数は、装置ＩＤが“０９０３３３３３３”の装置の嗜好情報リストデータに基づく番組のお勧め度を示す。
【０５７１】
なお、自装置以外のお勧め度を示すマークは、同じマークであってもよい。これにより、お勧め度は、自装置と、他の装置との２種類になり、見易くなる。また、お勧め度は、自装置のみのものを表示するようにしてもよい。
【０５７２】
リスト画像ＭＧ２１４に表示される番組簡易情報に対応する、図５６の番組情報データに「お勧め度」の情報がある場合、当該番組簡易情報に対応する番組のタイトル名の右横に、装置ＩＤに対応づけられた形状のマークが、お勧め度の数字に対応する数だけ表示される。
【０５７３】
また、リスト画像ＭＧ２１４に表示される番組簡易情報に対応する、図５６の番組情報データに「お勧め度」の情報があり、かつ、装置ＩＤが複数ある場合、当該番組簡易情報に対応する番組のタイトル名の右横に、複数の装置ＩＤの各々に対応づけられた形状のマークが、各装置ＩＤ毎に、お勧め度の数字に対応する数だけ表示される。
【０５７４】
リスト画像ＭＧ２１４を参照して、たとえば、タイトルが「Ｆスポーツ」という番組は、装置ＩＤが“０９０２２２２２２”の通信端末装置の嗜好情報リストデータに基づくお勧め度が“１”であることが示される。また、タイトルが「Ｆスポーツ」という番組は、装置ＩＤが“０９０３３３３３３”の通信端末装置の嗜好情報リストデータに基づくお勧め度が“２”であることが示される。また、タイトルが「Ｓクイズ」という番組は、装置ＩＤが“０９０１１１１１１”の通信端末装置（自装置）の嗜好情報リストデータに基づくお勧め度が“２”であることが示される。
【０５７５】
なお、装置毎のお勧め度の表現は、マークの形状に限定されることなく、他の表現が行なわれてもよい。他の表現とは、たとえば、同じマークで異なる色を使用するという表現などである。
【０５７６】
なお、ステップＳ３２６の処理では、制御部５１０が、ＥＰＧデータＤ５００ＣＣＣを構成する一部の番組情報データを使用して、ＶＤＰ５３２を利用して、以下の番組リスト画像ＭＧ２０４Ａを生成し、生成した番組リスト画像ＭＧ２０４Ａを表示部５３０に表示させてもよい。
【０５７７】
図５８は、一例としての番組リスト画像ＭＧ２０４Ａを示す図である。図５８を参照して、番組リスト画像ＭＧ２０４Ａは、図４３の番組リスト画像ＭＧ２０１Ａと比較して、リスト画像ＭＧ２１１Ａの代わりにリスト画像ＭＧ２１４Ａが配置される点が異なる。それ以外は、番組リスト画像ＭＧ２０１Ａと同様なので詳細な説明は繰り返さない。
【０５７８】
リスト画像ＭＧ２１４Ａには、複数の番組簡易情報がリスト表示される。複数の番組簡易情報は、図２８で説明したのと同様に、ＥＰＧデータＤ５００ＣＣＣを構成する一部の番組情報データに対応する。
【０５７９】
ここで、装置ＩＤ“０９０１１１１１１”には、一例として、黒星マークが対応づけられる。装置ＩＤ“０９０２２２２２２”には、一例として、黒丸マークが対応づけられる。装置ＩＤ“０９０３３３３３３”には、一例として、黒三角マークが対応づけられる。
【０５８０】
なお、自装置以外のお勧め度を示すマークは、同じマークであってもよい。これにより、お勧め度は、自装置と、他の装置との２種類になり、見易くなる。また、お勧め度は、自装置のみのものを表示するようにしてもよい。
【０５８１】
リスト画像ＭＧ２１４Ａに表示される番組簡易情報に対応する、図５６の番組情報データに「お勧め度」の情報がある場合、当該番組簡易情報に対応する番組のタイトル名の右横に、装置ＩＤに対応づけられた形状のマークが、お勧め度の数字に対応する数だけ表示される。
【０５８２】
また、リスト画像ＭＧ２１４Ａに表示される番組簡易情報に対応する、図５６の番組情報データに「お勧め度」の情報があり、かつ、装置ＩＤが複数ある場合、当該番組簡易情報に対応する番組のタイトル名の右横に、複数の装置ＩＤの各々に対応づけられた形状のマークが、各装置ＩＤ毎に、お勧め度の数字に対応する数だけ表示される。
【０５８３】
なお、お勧め度を示すマークについては、図５７で説明したのと同様なので詳細な説明は繰り返さない。
【０５８４】
以上の処理により、通信端末装置を所有するユーザの嗜好に応じた複数の番組簡易情報を、表示部５３０に表示させることができるという効果に加え、通信端末装置のユーザは、複数の通信端末装置が、対応する番組を録画予約し、当該録画予約により録画処理が終了した番組、および、複数の通信端末装置が、録画予約している番組を、手元の通信端末装置で容易に確認することができるという効果を奏する。
【０５８５】
そして、さらに、複数の通信端末装置の各々に対応する番組のお勧め度を、手元の通信端末装置で容易に確認することができるという効果を奏する。
【０５８６】
ステップＳ３２６の処理が終了すると、ステップＳ３２７の処理が、第１の実施の形態と同様に行なわれるので詳細な説明は繰り返さない。以上により、通信端末装置Ａにおける処理は終了する。
【０５８７】
映像表示装置６００では、ステップＳ３１４Ｃの処理が終了すると、ステップＳ３１５Ｃに進む。
【０５８８】
ステップＳ３１５Ｃでは、データ統合処理ＴＣが行なわれる。
図５９は、データ統合処理ＴＣのフローチャートである。図５９を参照して、ステップＳ４３０Ａでは、予約情報データ統合処理ＴＡが行なわれる。予約情報データ統合処理ＴＡでは、図３８のステップＳ４１０Ａの処理と同様に、制御部６１０が、ＥＰＧデータＤ５００において、図３５の予約情報データテーブルＤ３１０ＡＡを構成する複数の予約情報データの各々に示されるＩＤ番号と一致するＩＤ番号を含む番組情報データ（以下、予約番組情報データともいう）に「予約」という状態を対応づけて追記する。
【０５８９】
そして、さらに、予約番組情報データに示されるＩＤ番号と一致するＩＤ番号を含む予約情報データの示す装置ＩＤが２つ以上である場合、制御部６１０は、予約番組情報データに、装置ＩＤの数を対応づけて追記する。
【０５９０】
以上の処理により、図３９のＥＰＧデータＤ５００ＡＡが生成される。そして、制御部６１０は、生成したＥＰＧデータＤ５００ＡＡを、一時記憶部６２２に記憶させる。その後、ステップＳ４３２Ａに進む。
【０５９１】
ステップＳ４３２Ａでは、録画情報データ統合処理ＴＡが行なわれる。録画情報データ統合処理ＴＡでは、図３８のステップＳ４１２Ａの処理と同様に、制御部６１０が、ＥＰＧデータＤ５００ＡＡにおいて、図３６の録画情報データテーブルＤ３２０Ａを構成する複数の録画情報データの各々に示されるＩＤ番号と一致するＩＤ番号を含む番組情報データ（以下、録画済み番組情報データともいう）に「録画済み」という状態を対応づけて追記する。
【０５９２】
そして、さらに、録画済み番組情報データに示されるＩＤ番号と一致するＩＤ番号を含む録画情報データの示す装置ＩＤが２つ以上である場合、制御部６１０は、録画済み番組情報データに、装置ＩＤの数を対応づけて追記する。
【０５９３】
以上の処理により、図４０のＥＰＧデータＤ５００ＢＢが生成される。そして、制御部６１０は、生成したＥＰＧデータＤ５００ＢＢを、一時記憶部６２２に記憶させる。その後、ステップＳ４３４Ｃに進む。
【０５９４】
ステップＳ４３４Ｃでは、お勧め番組データ統合処理ＴＣが行なわれる。
お勧め番組データ統合処理ＴＣでは、制御部６１０が、ＥＰＧデータＤ５００ＢＢにおいて、図５３のお勧めデータ１〜３に示されるＩＤ番号と一致するＩＤ番号を含む番組情報データ（以下、お勧め番組情報データともいう）に「お勧め度」および、お勧めデータに対応する装置ＩＤを対応づけて追記する。この処理により、ＥＰＧデータＤ５００ＣＣＣが生成される。そして、制御部６１０は、生成したＥＰＧデータＤ５００ＣＣＣを、一時記憶部６２２に記憶させる。
【０５９５】
この処理により、一時記憶部６２２には、図５６のＥＰＧデータＤ５００ＣＣＣが記憶される。その後、このデータ統合処理ＴＣは終了し、図５０の映像表示装置６００が行なうステップＳ３１５Ｃの次のステップＳ３１６に進む。
【０５９６】
ステップＳ３１６では、第１の実施の形態と同様に、番組表表示処理が行なわれる。番組表表示処理では、制御部６１０が、ＥＰＧデータＤ５００ＣＣＣを構成する一部の番組情報データを使用して、ＶＤＰ６３２を利用して、以下の番組表画像Ｇ１０４を生成し、生成した番組表画像Ｇ１０４を表示部６３０に表示させる。そして、ステップＳ３１６の処理は終了する。
【０５９７】
図６０は、一例としての番組表画像Ｇ１０４を示す図である。図６０を参照して、番組表画像Ｇ１０４は、図４５の番組表画像Ｇ１０１と比較して、番組表表示画像Ｇ１１１の代わりに番組表表示画像Ｇ１１４が配置される点が異なる。それ以外は、番組表画像Ｇ１０１と同様なので詳細な説明は繰り返さない。
【０５９８】
番組表表示画像Ｇ１１４は、番組表表示画像Ｇ１１１と比較して、番組表表示画像Ｇ１１４に表示される複数の番組放送時間枠のうち、一部の番組放送時間枠内に、形状の異なるマークの数により、複数の通信端末装置の各々のお勧め度が示されている点が異なる。それ以外は、番組表表示画像Ｇ１１１と同様なので詳細な説明は繰り返さない。
【０５９９】
なお、番組表表示画像Ｇ１１４に表示される複数の番組放送時間枠は、図５６のＥＰＧデータＤ５００ＣＣＣの一部の番組情報データに対応する。ＥＰＧデータＤ５００ＣＣＣにおける番組情報データと、番組放送時間枠との対応の説明は、図３１の説明において、ＥＰＧデータＤ５００Ｃを、ＥＰＧデータＤ５００ＣＣＣに置き換えた説明と同様であるので、詳細な説明は繰り返さない。
【０６００】
ここで、装置ＩＤ“０９０１１１１１１”には、一例として、黒星マークが対応づけられる。装置ＩＤ“０９０２２２２２２”には、一例として、黒丸マークが対応づけられる。装置ＩＤ“０９０３３３３３３”には、一例として、黒三角マークが対応づけられる。なお、マークの形状は、上記の形状に限定されることなく、他の形状のマークであってもよい。
【０６０１】
黒星マークの数は、装置ＩＤが“０９０１１１１１１”の自装置の嗜好情報リストデータに基づく番組のお勧め度を示す。黒丸マークの数は、装置ＩＤが“０９０２２２２２２”の装置の嗜好情報リストデータに基づく番組のお勧め度を示す。黒三角マークの数は、装置ＩＤが“０９０３３３３３３”の装置の嗜好情報リストデータに基づく番組のお勧め度を示す。
【０６０２】
なお、自装置以外のお勧め度を示すマークは、同じマークであってもよい。また、お勧め度は、複数の装置において共通するもののみを表示するようにしてもよい。すなわち、番組放送時間枠内には、複数の装置ＩＤのお勧め度が表示されているもののみ表示するようにしてもよい。
【０６０３】
番組表表示画像Ｇ１１４に表示される番組放送時間枠に対応する、図５６の番組情報データに「お勧め度」の情報がある場合、当該番組放送時間枠内に、装置ＩＤに対応づけられた形状のマークが、お勧め度の数字に対応する数だけ表示される。
【０６０４】
また、番組表表示画像Ｇ１１４に表示される番組放送時間枠に対応する、図５６の番組情報データに「お勧め度」の情報があり、かつ、装置ＩＤが複数ある場合、当該番組放送時間枠内に、複数の装置ＩＤの各々に対応づけられた形状のマークが、各装置ＩＤ毎に、お勧め度の数字に対応する数だけ表示される。
【０６０５】
たとえば、図６０の番組放送時間枠ＳＱ１１１に対応する、図５６の管理番号“０２１”の番組情報データに「お勧め度」の情報があり、かつ、装置ＩＤが複数ある。ここで、装置ＩＤ“０９０２２２２２２”に対応するお勧め度は“１”である。また、装置ＩＤ“０９０３３３３３３”に対応するお勧め度は“２”である。したがって、番組放送時間枠ＳＱ１１１内には、装置ＩＤ“０９０２２２２２２” に対応づけられた黒丸マークが１つ表示され、装置ＩＤ“０９０３３３３３３” に対応づけられた黒三角マークが２つ表示される。
【０６０６】
また、たとえば、図６０の番組放送時間枠ＳＱ１１２に対応する、図５６の管理番号“０２２”の番組情報データに「お勧め度」の情報がある。ここで、装置ＩＤ“０９０１１１１１１”に対応するお勧め度は“２”である。したがって、番組放送時間枠ＳＱ１１２内には、装置ＩＤ“０９０１１１１１１” に対応づけられた黒星マークが２つ表示される。
【０６０７】
なお、装置毎のお勧め度の表現は、マークの形状に限定されることなく、他の表現が行なわれてもよい。他の表現とは、たとえば、同じマークで異なる色を使用するという表現などである。
【０６０８】
以上の処理により、通信端末装置を所有するユーザの嗜好に応じた複数の番組簡易情報を、表示部６３０に表示させることができるという効果に加え、複数の通信端末装置が、対応する番組を録画予約し、当該録画予約により録画処理が終了した番組、および、複数の通信端末装置が、録画予約している番組を、容易に確認することができるという効果を奏する。
【０６０９】
そして、さらに、複数の通信端末装置の各々に対応する番組のお勧め度を、多くの情報を表示可能な表示部６３０で容易に確認することができるという効果を奏する。
【０６１０】
再び、図５０を参照して、映像表示装置６００では、ステップＳ３１６の処理の後、ステップＳ３１７，Ｓ３１８の処理が、第１の実施の形態と同様に行なわれるので詳細な説明は繰り返さない。以上により、映像表示装置６００における処理は終了する。
【０６１１】
なお、映像表示装置６００において、たとえば、新たな録画予約が行なわれることにより予約情報データテーブルが更新された場合または録画処理により録画情報データテーブルが更新された場合、本実施の形態のコンテンツリスト表示処理Ｃは、映像表示装置６００において、ステップＳ３１３，Ｓ３１４Ｃ，Ｓ３１５Ｃ，Ｓ３１６，Ｓ３１７，Ｓ３１８の処理が行なわれ、通信端末装置Ａにおいて、ステップＳ３２４Ｃ，Ｓ３２５Ｃ，Ｓ３２６，Ｓ３２７の処理が行なわれるのみで実施可能である。
【０６１２】
また、通信端末装置Ａが、図５７のリスト画像ＭＧ２１４または図５８の番組リスト画像ＭＧ２０４Ａに表示されているような、「録画済み」および「予約」の文字列、「お勧め度」の情報等を、表示部５３０に表示させるための要求を、映像表示装置６００へ送信した場合、本実施の形態のコンテンツリスト表示処理Ｃは、映像表示装置６００において、ステップＳ３１３，Ｓ３１４Ｃ，Ｓ３１５Ｃ，Ｓ３１６，Ｓ３１７，Ｓ３１８の処理が行なわれ、通信端末装置Ａにおいて、ステップＳ３２４Ｃ，Ｓ３２５Ｃ，Ｓ３２６，Ｓ３２７の処理が行なわれるのみで実施可能である。
【０６１３】
その後、ステップＳ３２２Ｃまでの処理を行なっている通信端末装置Ｂおよび通信端末装置Ｃの各々が、映像表示装置６００に対して、コンテンツリスト表示処理Ｃを行なうとする。なお、映像表示装置６００は、コンテンツリスト表示処理ＣのステップＳ３１３までの処理を行なっているとする。
【０６１４】
この場合、映像表示装置６００に対し、通信端末装置Ｂおよび通信端末装置Ｃの各々が処理を行なう場合、コンテンツリスト表示処理Ｃは、映像表示装置６００において、ステップＳ３１４Ｃ，Ｓ３１５Ｃ，Ｓ３１６，Ｓ３１７，Ｓ３１８の処理が行なわれ、通信端末装置Ｂおよび通信端末装置Ｃの各々において、前述した通信端末装置Ａと同様に、ステップＳ３２４Ｃ，Ｓ３２５Ｃ，Ｓ３２６，Ｓ３２７の処理が行なわれる処理となる。
【０６１５】
以上説明したように、本実施の形態によれば、映像表示装置６００の記憶部６２０には、複数の通信端末装置の各々に対応する、コンテンツの処理に関するコンテンツ処理関連情報（たとえば、予約情報データテーブルＤ３１０ＡＡ、録画情報データテーブルＤ３２０Ａ）が記憶される。また、映像表示装置６００の記憶部６２０には、複数の通信端末装置の各々に対応する、コンテンツの嗜好情報（嗜好情報リストデータ）に基づいて生成されたお勧めコンテンツ情報（図５３のお勧め番組データテーブルＤ７００）が記憶される。
【０６１６】
そして、通信端末装置は自装置の装置ＩＤを、映像表示装置６００へ送信する。映像表示装置６００は、受信した装置ＩＤに対応する嗜好情報リストデータに基づいて生成されたお勧め番組データの示す番組のお勧め度を、対応する番組に対応づけて表示部６３０に表示する。また、映像表示装置６００は、予約情報データテーブルＤ３１０ＡＡにおいて、受信した装置ＩＤに対応する録画予約情報を、対応する番組に対応づけて表示部６３０に表示する。また、映像表示装置６００は、録画情報データテーブルＤ３２０Ａにおいて、受信した装置ＩＤに対応する録画済みの情報を、対応する番組に対応づけて表示部６３０に表示する。
【０６１７】
したがって、他の装置で管理されている、特定の装置のコンテンツに関する情報を、容易に参照することができるという効果を奏する。
【０６１８】
また、本実施の形態によれば、映像表示装置６００の記憶部６２０には、複数の通信端末装置の各々に対応する、コンテンツの嗜好情報（嗜好情報リストデータ）が記憶される。通信端末装置は自装置の装置ＩＤを、映像表示装置６００へ送信する。映像表示装置６００は、ＥＰＧデータＤ５００に含まれる複数の番組情報データのなかから、受信した装置ＩＤに対応する嗜好情報リストデータに基づく検索処理を行なうことで、お勧めコンテンツ情報を得る。そして、映像表示装置６００は、検索処理により得られたお勧めコンテンツ情報（お勧め番組のＩＤ番号および番組のお勧め度）を、装置ＩＤを送信した通信端末装置へ送信する。通信端末装置は、受信したお勧めコンテンツ情報（番組のお勧め度）を、表示部５３０に表示する。
【０６１９】
したがって、他の装置で管理されている、特定の装置の嗜好情報に基づくお勧めコンテンツ情報を容易に参照することができるという効果を奏する。
【０６２０】
また、本実施の形態によれば、第３の実施の形態の変形例の奏する効果に加えて、複数の通信端末装置の各々に対応する番組のお勧め度を、手元の通信端末装置で容易に確認することができるという効果を奏する。
【０６２１】
また、複数の通信端末装置の各々に対応する番組のお勧め度を、多くの情報を表示可能な表示部６３０で容易に確認することができるという効果を奏する。
【０６２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０６２３】
【図１】本実施の形態におけるネットワークシステムの構成を示す図である。
【図２】通信端末装置の外観を正面から示した図である。
【図３】通信端末装置の外観を左側面から示した図である。
【図４】通信端末装置の外観を背面から示した図である。
【図５】通信端末装置の内部構成を示したブロック図である。
【図６】映像表示装置の外観を正面から示した図である。
【図７】映像表示装置の内部構成を示したブロック図である。
【図８】サービスサーバの内部構成を示したブロック図である。
【図９】一例としてのリモコン画像を示す図である。
【図１０】視聴情報記述処理のフローチャートである。
【図１１】一例としてのＥＰＧデータを示す図である。
【図１２】視聴ログデータに記述される、一例としての視聴情報を示す図である。
【図１３】一例としての視聴ログデータを示す図である。
【図１４】嗜好情報集計処理のフローチャートを示す図である。
【図１５】一例としての嗜好情報リストデータを示す図である。
【図１６】一例として予約情報データテーブルを示す図である。
【図１７】一例として録画情報データテーブルを示す図である。
【図１８】コンテンツリスト表示処理のフローチャートである。
【図１９】一例としてのＥＰＧデータを示す図である。
【図２０】一例としてのポイント付与テーブルを示す図である。
【図２１】ポイントの計算の一例を示す図である。
【図２２】一例としてお勧め番組データを示す図である。
【図２３】データ統合処理のフローチャートである。
【図２４】一例としてのＥＰＧデータを示す図である。
【図２５】一例としてのＥＰＧデータを示す図である。
【図２６】一例としてのＥＰＧデータを示す図である。
【図２７】一例としての予約情報データテーブルを示す図である。
【図２８】一例としての番組リスト画像を示す図である。
【図２９】一例としての番組リスト画像を示す図である。
【図３０】データ統合処理Ｔのフローチャートである。
【図３１】一例としての番組表画像を示す図である。
【図３２】一例としての嗜好情報入力画像を示す図である。
【図３３】例としての嗜好情報リストデータを示す図である。
【図３４】コンテンツリスト表示処理Ａのフローチャートである。
【図３５】一例として予約情報データテーブルを示す図である。
【図３６】一例として録画情報データテーブルを示す図である。
【図３７】複数装置対応コンテンツリスト表示処理Ａのフローチャートである。
【図３８】データ統合処理Ａのフローチャートである。
【図３９】一例としてのＥＰＧデータを示す図である。
【図４０】一例としてのＥＰＧデータを示す図である。
【図４１】一例としてのＥＰＧデータを示す図である。
【図４２】一例としての番組リスト画像を示す図である。
【図４３】一例としての番組リスト画像を示す図である。
【図４４】データ統合処理ＴＡのフローチャートである。
【図４５】一例としての番組表画像を示す図である。
【図４６】コンテンツリスト表示処理Ｂのフローチャートである。
【図４７】複数装置対応コンテンツリスト表示処理Ｂのフローチャートである。
【図４８】一例としてのお勧め番組表示許可画像を示す図である。
【図４９】一例としてのお勧め番組表示許可設定データを示す図である。
【図５０】コンテンツリスト表示処理Ｃのフローチャートである。
【図５１】一例としての嗜好情報送信画像を示す図である。
【図５２】一例としての嗜好情報リストデータテーブルを示す図である。
【図５３】一例としてのお勧め番組データテーブルを示す図である。
【図５４】データ統合処理Ｃのフローチャートである。
【図５５】一例としてのＥＰＧデータを示す図である。
【図５６】一例としてのＥＰＧデータを示す図である。
【図５７】一例としての番組リスト画像を示す図である。
【図５８】一例としての番組リスト画像を示す図である。
【図５９】データ統合処理ＴＣのフローチャートである。
【図６０】一例としての番組表画像を示す図である。
【符号の説明】
【０６２４】
５０  通信部、７０  ネットワーク、１８０，１８０Ａ，１８０Ｂ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008005412.tif 000003
【図２】
2008005412.tif 000004
【図３】
2008005412.tif 000005
【図４】
2008005412.tif 000006
【図５】
2008005412.tif 000007
【図６】
2008005412.tif 000008
【図７】
2008005412.tif 000009
【図８】
2008005412.tif 000010
【図９】
2008005412.tif 000011
【図１０】
2008005412.tif 000012
【図１１】
2008005412.tif 000013
【図１２】
2008005412.tif 000014
【図１３】
2008005412.tif 000015
【図１４】
2008005412.tif 000016
【図１５】
2008005412.tif 000017
【図１６】
2008005412.tif 000018
【図１７】
2008005412.tif 000019
【図１８】
2008005412.tif 000020
【図１９】
2008005412.tif 000021
【図２０】
2008005412.tif 000022
【図２１】
2008005412.tif 000023
【図２２】
2008005412.tif 000024
【図２３】
2008005412.tif 000025
【図２４】
2008005412.tif 000026
【図２５】
2008005412.tif 000027
【図２６】
2008005412.tif 000028
【図２７】
2008005412.tif 000029
【図２８】
2008005412.tif 000030
【図２９】
2008005412.tif 000031
【図３０】
2008005412.tif 000032
【図３１】
2008005412.tif 000033
【図３２】
2008005412.tif 000034
【図３３】
2008005412.tif 000035
【図３４】
2008005412.tif 000036
【図３５】
2008005412.tif 000037
【図３６】
2008005412.tif 000038
【図３７】
2008005412.tif 000039
【図３８】
2008005412.tif 000040
【図３９】
2008005412.tif 000041
【図４０】
2008005412.tif 000042
【図４１】
2008005412.tif 000043
【図４２】
2008005412.tif 000044
【図４３】
2008005412.tif 000045
【図４４】
2008005412.tif 000046
【図４５】
2008005412.tif 000047
【図４６】
2008005412.tif 000048
【図４７】
2008005412.tif 000049
【図４８】
2008005412.tif 000050
【図４９】
2008005412.tif 000051
【図５０】
2008005412.tif 000052
【図５１】
2008005412.tif 000053
【図５２】
2008005412.tif 000054
【図５３】
2008005412.tif 000055
【図５４】
2008005412.tif 000056
【図５５】
2008005412.tif 000057
【図５６】
2008005412.tif 000058
【図５７】
2008005412.tif 000059
【図５８】
2008005412.tif 000060
【図５９】
2008005412.tif 000061
【図６０】
2008005412.tif 000062